(57)【特許請求の範囲】
【請求項１】
アプリケーション装置の種類毎に、特定の構成電池数で電池パックとして構成して使用される二次電池の取引情報提供装置において、
前記アプリケーション装置の種類毎に、前記構成電池数と、使用に応じて変化する二次電池の性能の程度を示す性能値であって、当該アプリケーション装置との関係で二次電池に要求される許容性能値と、を含む電池パック条件が記憶されているパック条件記憶手段と、
売却可能なものとしてプールされた二次電池それぞれについて、該二次電池の電池識別子と該二次電池の前記性能値とが関連付けられて記憶されているプール電池情報記憶手段と、
前記プール電池情報記憶手段に記憶されている前記二次電池の前記電池識別子のうちから、各電池識別子に関連付けられている前記性能値を参照して、前記パック条件記憶手段に記憶されているいずれかの前記アプリケーション装置の種類について、前記電池パック条件の前記許容性能値を満たす二次電池の電池識別子を、該電池パック条件の構成電池数分抽出し、抽出した前記電池識別子の二次電池を含む電池パックをユーザ買い対象パックとし、該電池パックのパック識別子を定めるパック再構築手段と、
前記パック再構築手段により前記ユーザ買い対象パックとされた前記電池パックの前記パック識別子と、該電池パックに含まれる二次電池の性能値に関する性能値情報とを含む買い情報を作成する買い情報作成手段と、
前記買い情報作成手段により作成された前記買い情報を、予め登録されている売買情報送信先へ送る買い情報提供手段と、
を備えていることを特徴とする電池パックの取引情報提供装置。
【請求項２】
請求項１に記載の電池パックの取引情報提供装置において、
各前記アプリケーション装置に装着された前記電池パック毎に、該電池パックに含まれている前記二次電池毎の電池識別子と前記性能値とが相互に関連付けられた性能情報を取得する性能情報取得手段と、
前記性能情報取得手段により取得された前記電池パック毎の前記性能情報が記憶されるパック状態情報記憶手段と、
前記アプリケーション装置側から、前記電池パックを売る旨を受け付ける売り受付手段と、
前記売り受付手段により、前記アプリケーション装置側から前記電池パックを売る旨が受け付けられると、該電池パックに含まれている全ての二次電池について、前記電池識別子及び前記性能値と関連付けて、前記プール電池情報記憶手段に記憶するプール設定手段と、
を備えていることを特徴とする電池パックの取引情報提供装置。
【請求項３】
請求項２に記載の電池パックの取引情報提供装置において、
前記パック条件記憶手段に記憶されている前記アプリケーション装置の前記電池パック条件と、電池性能の程度がより高い許容性能値の電池パック条件を上位とするランキングとが関連付けて記憶されている条件ランキング記憶手段と、
前記ユーザ買い対象パックの候補となった仮のユーザ買い対象パックの情報が記憶される仮パック情報記憶手段と、
を備え、
前記パック再構築手段は、
前記性能情報取得手段により、前記電池パックに関する前記性能情報が取得される毎に、該性能情報に含まれている前記複数の二次電池毎の性能値のうちから、最高性能を示す性能値を抽出する最高性能値抽出処理と、
前記条件ランキング記憶手段に記憶されている複数の前記電池パック条件のうちから、許容性能値が前記最高性能を示す前記性能値よりも低い一以上の電池パック条件を選択し、該一以上の電池パック条件のうちから、最上位の電池パック条件を選択する選択処理と、
前記選択処理で選択された前記電池パック条件の許容性能値を満たし、且つ前記最高性能を示す性能値に最も近い未抽出の性能値であることを抽出条件として、前記性能情報取得手段により取得された前記性能情報に含まれている前記複数の二次電池毎の性能値のうちから、性能値を順次抽出する次性能値抽出処理と、
前記最高性能値抽出処理及び前記次性能値抽出処理で抽出された性能値の数が前記電池パック条件の構成電池数になったか否かを判断する電池数判断処理と、
前記電池数判断処理で、前記最高性能値抽出処理及び前記次性能値抽出処理で抽出された性能値の数が前記電池パック条件の構成電池数になった判断されると、該最高性能値抽出処理及び該次性能値抽出処理で抽出された性能値を示す二次電池を含む電池パックを、前記仮のユーザ買い対象パックとし、該仮のユーザ買い対象パックに対して仮のパック識別子を定めると共に、該仮のパック識別子と、該最高性能値抽出処理及び前記次性能値抽出処理で抽出された全性能値のそれぞれに関連付けられている電池識別子と、を関連付けて前記仮パック情報記憶手段に記憶する仮パック情報設定処理と、
前記仮パック情報記憶手段に記憶された前記仮のパック識別子に関連付けられている全ての電池識別子の二次電池が前記プール電池情報記憶手段に記憶されていることで、該全ての電池識別子がプール状態になっていると判断すると、該仮のユーザ買い対象パックを前記ユーザ買い対象パックとする、買い対象パック設定処理と、
を実行することを特徴とする電池パックの取引情報提供装置。
【請求項４】
請求項３に記載の電池パックの取引情報提供装置において、
前記パック再構築手段は、
前記次性能値抽出処理で、前記性能情報取得手段により取得された前記性能情報に含まれている前記複数の二次電池毎の性能値のうちから、前記抽出条件を満たす全ての性能値を全て抽出しても、前記電池数判断処理で、前記最高性能値抽出処理及び前記次性能値抽出処理で抽出された性能値の数が前記電池パック条件の構成電池数になっていないと判断されると、前記電池パック条件の許容性能値を満たし、且つ前記最高性能を示す性能値に最も近い未抽出の性能値であることを抽出条件として、前記プール電池情報記憶手段に記憶されている性能値のうちから、性能値を順次抽出するプール性能値抽出処理を実行し、
前記電池数判断処理では、前記最高性能値抽出処理と前記次性能値抽出処理と前記プール性能値抽出処理で抽出された性能値の数が前記電池パック条件の構成電池数になったか否かを判断し、
前記仮パック情報設定処理では、前記電池数判断処理で、前記最高性能値抽出処理と前記次性能値抽出処理と前記プール性能値抽出処理で抽出された性能値の数が前記電池パック条件の構成電池数になった判断されると、該最高性能値抽出処理と該次性能値抽出処理と該プール性能値抽出処理で抽出された性能値を示す二次電池を含む電池パックを、前記仮のユーザ買い対象パックとする、
ことを特徴とする電池パックの取引情報提供装置。
【請求項５】
請求項４に記載の電池パックの取引情報提供装置において、
前記パック再構築手段は、前記仮パック情報設定処理で、前記仮のユーザ買い対象パックを設定する毎に、前記性能情報取得手段により取得された前記性能情報に含まれている前記複数の二次電池毎の性能値が全て抽出されたか否かを判断する抽出数判断処理を実行し、
前記抽出数判断処理で、前記性能情報取得手段により取得された前記性能情報に含まれている前記複数の二次電池毎の性能値が全て抽出されていないと判断されると、前記最高性能値抽出処理では、前記性能情報取得手段により取得された前記性能情報に含まれている前記複数の二次電池毎の性能値のうちから、未抽出で最高性能を示す性能値を抽出し、
前記選択処理では、前記条件ランキング記憶手段に記憶されている複数の前記電池パック条件のうちから、許容性能値が前記未抽出で最高性能を示す前記性能値よりも低い一以上の電池パック条件を選択し、該一以上の電池パック条件のうちから、最上位の電池パック条件を選択し、
前記次性能値抽出処理及び前記プール性能値抽出処理では、前記選択処理で選択された前記電池パック条件の許容性能値を満たし、且つ前記未抽出で最高性能を示す性能値に最も近い未抽出の性能値であることを前記抽出条件として、前記性能情報取得手段により取得された前記性能情報に含まれている前記複数の二次電池毎の性能値のうちから、性能値を順次抽出する、
ことを特徴とする電池パックの取引情報提供装置。
【請求項６】
請求項４又は５に記載の電池パックの取引情報提供装置において、
前記次性能値抽出処理及び前記プール性能値抽出処理での前記抽出条件は、前記電池パック条件の許容性能値を満たし、未抽出で前記最高性能を示す性能値に最も近く且つ該性能値から予め定められた偏差の範囲内の状態値である、
ことを特徴とする電池パックの取引情報提供装置。
【請求項７】
請求項６に記載の電池パックの取引情報提供装置において、
前記抽出条件での前記予め定められた偏差として、複数の偏差が存在し、
前記パック再構築手段では、前記複数の偏差毎に、前記次性能値抽出処理と前記電池数判断処理と前記プール性能値抽出処理と前記仮パック情報設定処理と前記買い対象パック設定処理とを実行する、
ことを特徴とする電池パックの取引情報提供装置。
【請求項８】
請求項２に記載の電池パックの取引情報提供装置において、
前記パック条件記憶手段に記憶されているアプリケーション装置の種類毎の電池パック条件と、電池性能の程度がより高い許容性能値の電池パック条件を上位とするランキングとが関連付けて記憶されている条件ランキング記憶手段を備え、
前記パック再構築手段は、
前記条件ランキング記憶手段に記憶されている複数の前記電池パック条件のうちから、未選択で最上位のランキングが付されている電池パック条件を選択する選択処理と、
前記プール電池情報記憶手段に記憶されている複数の電池識別子のうちから、選択された前記電池パック条件の許容性能値を満たす二次電池の電池識別子を、該電池パック条件の構成電池数分抽出し、抽出した電池識別子の二次電池を含む電池パックを、前記ユーザ買い対象パックとする買い対象パック設定処理と、
を繰り返して実行することを特徴とする電池パックの取引情報提供装置。
【請求項９】
請求項２から８のいずれか一項に記載の電池パックの取引情報提供装置において、
複数の売買情報送信先毎に、アプリケーション装置の種類が記憶されているユーザアプリケーション種記憶手段を備え、
前記買い情報提供手段は、前記買い情報に含まれている前記パック識別子の前記ユーザ買い対象パックを定めるために用いた前記電池パック条件を把握し、前記パック条件記憶手段及び前記ユーザアプリケーション種記憶手段を参照して、該電池パック条件を要求する種類のアプリケーション装置に関連付けられている売買情報送信先へ、該買い情報を送る、
ことを特徴とする電池パックの取引情報提供装置。
【請求項１０】
請求項２から９のいずれか一項に記載の電池パックの取引情報提供装置において、
前記性能情報取得手段により、所有者により所有されている電池パックの前記性能情報が取得されると、該性能情報に含まれている二次電池の性能値を用い、予め定められた手法に従って、該電池パックを該所有者が売るときのユーザ売り価格を求めるユーザ売り価格算出手段と、
前記ユーザ売り価格を含む売り情報を作成する売り情報作成手段と、
前記売り情報を、予め登録されている売買情報送信先のうちの前記所有者の送信先へ前記売り情報を送る売り情報提供手段と、
を備えていることを特徴とする電池パックの取引情報提供装置。
【請求項１１】
請求項３から７のいずれか一項に記載の電池パックの取引情報提供装置において、
前記性能情報取得手段により、所有者により所有されている電池パックの前記性能情報が取得され、且つ前記パック再構築手段の前記仮パック情報設定処理で前記仮のユーザ買い対象パックが定められると、該仮のユーザ買い対象パックに含まれている二次電池の性能値を用い、予め定められている手法に従って、該仮のユーザ買い対象パックをユーザが売るときの売り価格を求め、該仮のユーザ買い対象パックに含まれている二次電池中の、前記所有者により所有されている電池パックに含まれている二次電池の割合に応じて、該売り価格を案分し、案分で得られた価格を、前記所有者により所有されている前記電池パックのユーザ売り価格とするユーザ売り価格算出手段と、
前記ユーザ売り価格を含む売り情報を作成する売り情報作成手段と、
前記売り情報を、予め登録されている売買情報送信先のうちの前記所有者の送信先へ前記売り情報を送る売り情報提供手段と、
を備えていることを特徴とする電池パックの取引情報提供装置。
【請求項１２】
請求項１０又は１１に記載の電池パックの取引情報提供装置において、
前記性能情報取得手段により、所有者により所有されている電池パックの前記性能情報が取得されると、該性能情報に含まれている二次電池の性能値、及び該二次電池の過去の性能値を用いて、前記電池パックに含まれている二次電池の性能値の変化傾向を求める変化傾向算出手段と、
前記変化傾向を用いて、前記電池パックに含まれている二次電池の将来の性能値を求める将来性能予測手段と、
前記将来の性能値を用いて、予め定められている手順に従って、前記ユーザ売り価格に関する将来の価格を求める将来価格予測手段と、
を備え、
前記売り情報作成手段は、前記売り情報に、前記ユーザ売り価格に関する将来の価格を含める、
ことを特徴とする電池パックの取引情報提供装置。
【請求項１３】
請求項１から１２のいずれか一項に記載の電池パックの取引情報提供装置において、
前記パック再構築手段により前記ユーザ買い対象パックとされた前記電池パックに含まれている複数の二次電池の各状態値を用い、予め定められた手順に従って、該電池パックのユーザ買い価格を求めるユーザ買い価格算出手段を備え、
前記買い情報作成手段は、前記買い情報中に、前記ユーザ買い価格を含める、
ことを特徴とする電池パックの取引情報提供装置。
【請求項１４】
請求項１１に記載の電池パックの取引情報提供装置において、
前記買い対象パック設定処理で前記仮のユーザ買い対象パックが前記ユーザ買い対象パックとされると、前記ユーザ売り価格算出手段で、該仮のユーザ買い対象パックをユーザが売るときの売り価格に、予め定められた手順に従って求められたマージン分を付加し、該マージン分が付加された該売り価格を、前記ユーザ買い対象パックのユーザ買い価格とするユーザ買い価格算出手段を備え、
前記買い情報作成手段は、前記買い情報中に、前記ユーザ買い価格を含める、
ことを特徴とする電池パックの取引情報提供装置。
【請求項１５】
請求項１から１４のいずれか一項に記載の電池パックの取引情報提供装置において、
前記買い情報提供手段により前記買い情報が送られた前記売買情報送信先から、該買い情報に含まれているパック識別子と、該パック識別子が示す電池パックを買う旨の買い注文と、を受け付ける買い受付手段を備えている、
ことを特徴とする電池パックの取引情報提供装置。
【請求項１６】
請求項１から１４のいずれか一項に記載の電池パックの取引情報提供装置において、
前記買い情報提供手段により前記買い情報が送られた前記売買情報送信先から、該買い情報に含まれているパック識別子と、該パック識別子が示す電池パックの入札価格と、該電池パックをオークションで買う旨の買い注文と、を受け付けるオークション買い受付手段と、
前記パック識別子が示す前記電池パックに対して、前記オークション買い受付手段により、複数の前記売買情報送信先からオークションで買う旨の買い注文が受け付けられると、複数の該売買情報送信先のうち、最も高い入札価格を提示した売買情報送信先を落札先とする入札管理手段と、
を備えていることを特徴とする電池パックの取引情報提供装置。
【発明の詳細な説明】
【技術分野】
【０００１】
本発明は、アプリケーション装置の種類毎に、特定の構成電池数で電池パックとして構成して使用される二次電池の取引情報提供装置に関する。
【背景技術】
【０００２】
二次電池の取引情報提供装置としては、例えば、以下の特許文献１に記載されたものがある。
【０００３】
この特許文献１に記載された装置では、各電池パックから、各電池パックに含まれている複数の二次電池の状態値を受け付け、複数の二次電池毎の状態値から、当該電池パックを再利用する際の当該電池パックのグレードを求め、電池パック毎のグレードを外部に提供している。
【先行技術文献】
【特許文献】
【０００４】
【特許文献１】特開２００７−１４１４６４号公報
【発明の概要】
【発明が解決しようとする課題】
【０００５】
上記特許文献１に記載の技術では、管理下の電池パックに対してグレードを定め、このグレードを提示しているので、電池パックの購入希望者は、各電池パックのグレードを参照して、装置により管理されている複数の電池パックのうちから、所有するアプリケーション装置に合った電池パックを選定できる。
【０００６】
ところで、電池パックの購入希望者は、電池パックの選択肢が多ければ多いほど、性能や価格の面で、自分の希望に合う電池パックを選定できるので、電池パックの選択肢の増加を望むことは必定である。
【０００７】
本発明は、このような要望に応えるべく、電池パックの購入希望者に対して、多くの選択肢を提示できる電池パックの取引情報提供装置を提供することを目的とする。
【課題を解決するための手段】
【０００８】
前記課題を解決するための発明に係る第一の取引情報提供装置は、
アプリケーション装置の種類毎に、特定の構成電池数で電池パックとして構成して使用される二次電池の取引情報提供装置において、
前記アプリケーション装置の種類毎に、前記構成電池数と、使用に応じて変化する二次電池の性能の程度を示す性能値であって、当該アプリケーション装置との関係で二次電池に要求される許容性能値と、を含む電池パック条件が記憶されているパック条件記憶手段と、売却可能なものとしてプールされた二次電池それぞれについて、該二次電池の電池識別子と該二次電池の前記性能値とが関連付けられて記憶されているプール電池情報記憶手段と、前記プール電池情報記憶手段に記憶されている前記二次電池の前記電池識別子のうちから、各電池識別子に関連付けられている前記性能値を参照して、前記パック条件記憶手段に記憶されているいずれかの前記アプリケーション装置の種類について、前記電池パック条件の前記許容性能値を満たす二次電池の電池識別子を、該電池パック条件の構成電池数分抽出し、抽出した前記電池識別子の二次電池を含む電池パックをユーザ買い対象パックとし、該電池パックのパック識別子を定めるパック再構築手段と、前記パック再構築手段により前記ユーザ買い対象パックとされた前記電池パックの前記パック識別子と、該電池パックに含まれる二次電池の性能値に関する性能値情報とを含む買い情報を作成する買い情報作成手段と、前記買い情報作成手段により作成された前記買い情報を、予め登録されている売買情報送信先へ送る買い情報提供手段と、を備えていることを特徴とするものである。
【０００９】
上記第一の取引管理装置では、プール電池情報記憶手段に記憶されている電池識別子から、複数の電池パック条件毎に、当該電池パック条件を満たす電池識別子を抽出して、抽出した該電池識別子の二次電池を含む電池パックを再構築し、これをユーザ買い対象パックとしている。そして、この第一の取引管理装置では、これらのユーザ買い対象パックに関する情報を売買情報送信先に送っている。すなわち、第一の取引管理装置では、複数の電池パック条件毎の電池パックを再構築しているので、電池パックの購入希望者に対して、買い対象となる電池パックに関して、多くの選択肢を提供できる。
【００１０】
前記問題点を解決するための発明に係る電池パックの第二の取引情報提供装置は、
上記第一の取引情報提供装置において、
各前記アプリケーション装置に装着された前記電池パック毎に、該電池パックに含まれている前記二次電池毎の電池識別子と前記性能値とが相互に関連付けられた性能情報を取得する性能情報取得手段と、前記性能情報取得手段により取得された前記電池パック毎の前記性能情報が記憶されるパック状態情報記憶手段と、前記アプリケーション装置側から、前記電池パックを売る旨を受け付ける売り受付手段と、前記売り受付手段により、前記アプリケーション装置側から前記電池パックを売る旨が受け付けられると、該電池パックに含まれている全ての二次電池について、前記電池識別子及び前記性能値と関連付けて、前記プール電池情報記憶手段に記憶するプール設定手段と、を備えていることを特徴とする電池パックの取引情報提供装置。
【００１１】
上記第二の取引管理装置では、プール電池情報記憶手段に記憶する情報を、売りが受け付けられて、プールされている二次電池が更新される毎に自動的に更新することができる。
【００１２】
前記問題点を解決するための発明に係る第三の取引情報提供装置は、
蒸気第二の取引情報提供装置において、
前記パック条件記憶手段に記憶されている前記アプリケーション装置の前記電池パック条件と、電池性能の程度がより高い許容性能値の電池パック条件を上位とするランキングとが関連付けて記憶されている条件ランキング記憶手段と、前記ユーザ買い対象パックの候補となった仮のユーザ買い対象パックの情報が記憶される仮パック情報記憶手段と、を備え、
前記パック再構築手段は、前記性能情報取得手段により、前記電池パックに関する前記性能情報が取得される毎に、該性能情報に含まれている前記複数の二次電池毎の性能値のうちから、最高性能を示す性能値を抽出する最高性能値抽出処理と、前記条件ランキング記憶手段に記憶されている複数の前記電池パック条件のうちから、許容性能値が前記最高性能を示す前記性能値よりも低い一以上の電池パック条件を選択し、該一以上の電池パック条件のうちから、最上位の電池パック条件を選択する選択処理と、前記選択処理で選択された前記電池パック条件の許容性能値を満たし、且つ前記最高性能を示す性能値に最も近い未抽出の性能値であることを抽出条件として、前記性能情報取得手段により取得された前記性能情報に含まれている前記複数の二次電池毎の性能値のうちから、性能値を順次抽出する次性能値抽出処理と、前記最高性能値抽出処理及び前記次性能値抽出処理で抽出された性能値の数が前記電池パック条件の構成電池数になったか否かを判断する電池数判断処理と、前記電池数判断処理で、前記最高性能値抽出処理及び前記次性能値抽出処理で抽出された性能値の数が前記電池パック条件の構成電池数になった判断されると、該最高性能値抽出処理及び該次性能値抽出処理で抽出された性能値を示す二次電池を含む電池パックを、前記仮のユーザ買い対象パックとし、該仮のユーザ買い対象パックに対して仮のパック識別子を定めると共に、該仮のパック識別子と、該最高性能値抽出処理及び前記次性能値抽出処理で抽出された全性能値のそれぞれに関連付けられている電池識別子と、を関連付けて前記仮パック情報記憶手段に記憶する仮パック情報設定処理と、前記仮パック情報記憶手段に記憶された前記仮のパック識別子に関連付けられている全ての電池識別子の二次電池が前記プール電池情報記憶手段に記憶されていることで、該全ての電池識別子がプール状態になっていると判断すると、該仮のユーザ買い対象パックを前記ユーザ買い対象パックとする、買い対象パック設定処理と、を実行することを特徴とするものである。
【００１３】
上記第三の取引情報提供装置では、前記所有者の前記電池パック中の二次電池をある程度まとめて、これを新たに再構築する電池パックに組み込んでいるので、再構築された電池パック中の二次電池の履歴をある程度揃えることができる。
【００１４】
前記問題点を解決するための発明に係る第四の取引情報提供装置は、
上記第三の取引情報提供装置において、
前記パック再構築手段は、前記次性能値抽出処理で、前記性能情報取得手段により取得された前記性能情報に含まれている前記複数の二次電池毎の性能値のうちから、前記抽出条件を満たす全ての性能値を全て抽出しても、前記電池数判断処理で、前記最高性能値抽出処理及び前記次性能値抽出処理で抽出された性能値の数が前記電池パック条件の構成電池数になっていないと判断されると、前記電池パック条件の許容性能値を満たし、且つ前記最高性能を示す性能値に最も近い未抽出の性能値であることを抽出条件として、前記プール電池情報記憶手段に記憶されている性能値のうちから、性能値を順次抽出するプール性能値抽出処理を実行し、前記電池数判断処理では、前記最高性能値抽出処理と前記次性能値抽出処理と前記プール性能値抽出処理で抽出された性能値の数が前記電池パック条件の構成電池数になったか否かを判断し、前記仮パック情報設定処理では、前記電池数判断処理で、前記最高性能値抽出処理と前記次性能値抽出処理と前記プール性能値抽出処理で抽出された性能値の数が前記電池パック条件の構成電池数になった判断されると、該最高性能値抽出処理と該次性能値抽出処理と該プール性能値抽出処理で抽出された性能値を示す二次電池を含む電池パックを、前記仮のユーザ買い対象パックとする、ことを特徴とするものである。
【００１５】
前記問題点を解決するための発明に係る第五の取引情報提供装置は、
上記第四の取引情報提供装置において、
前記パック再構築手段は、前記仮パック情報設定処理で、前記仮のユーザ買い対象パックを設定する毎に、前記性能情報取得手段により取得された前記性能情報に含まれている前記複数の二次電池毎の性能値が全て抽出されたか否かを判断する抽出数判断処理を実行し、前記抽出数判断処理で、前記性能情報取得手段により取得された前記性能情報に含まれている前記複数の二次電池毎の性能値が全て抽出されていないと判断されると、前記最高性能値抽出処理では、前記性能情報取得手段により取得された前記性能情報に含まれている前記複数の二次電池毎の性能値のうちから、未抽出で最高性能を示す性能値を抽出し、前記選択処理では、前記条件ランキング記憶手段に記憶されている複数の前記電池パック条件のうちから、許容性能値が前記未抽出で最高性能を示す前記性能値よりも低い一以上の電池パック条件を選択し、該一以上の電池パック条件のうちから、最上位の電池パック条件を選択し、前記次性能値抽出処理及び前記プール性能値抽出処理では、前記選択処理で選択された前記電池パック条件の許容性能値を満たし、且つ前記未抽出で最高性能を示す性能値に最も近い未抽出の性能値であることを前記抽出条件として、前記性能情報取得手段により取得された前記性能情報に含まれている前記複数の二次電池毎の性能値のうちから、性能値を順次抽出する、ことを特徴とする。
【００１６】
前記問題点を解決するための発明に係る第六の取引情報提供装置は、
上記第四又は第五の取引情報提供装置において、
前記次性能値抽出処理及び前記プール性能値抽出処理での前記抽出条件は、前記電池パック条件の許容性能値を満たし、未抽出で前記最高性能を示す性能値に最も近く且つ該性能値から予め定められた偏差の範囲内の状態値である、ことを特徴とするものである。
【００１７】
上記第六の取引情報提供装置では、再構築する電池パックに組み込まれる二次電池の性能値を所定の偏差の間に収めることができる。
【００１８】
前記問題点を解決するための発明に係る第七の取引情報提供装置は、
上記第六の取引情報提供装置において、
前記抽出条件での前記予め定められた偏差として、複数の偏差が存在し、前記パック再構築手段では、前記複数の偏差毎に、前記次性能値抽出処理と前記電池数判断処理と前記プール性能値抽出処理と前記仮パック情報設定処理と前記買い対象パック設定処理とを実行する、ことを特徴とするものである。
【００１９】
上記第七の取引管理装置では、複数の偏差毎に、電池パックの再構築処理が実行されるので、電池パックの購入希望者に対して、買い対象となる電池パックに関して、より多くの選択肢を提供できる。
【００２０】
前記問題点を解決するための発明に係る電池パックの第八の取引情報提供装置は、
上記第二の取引情報提供装置において、
前記パック条件記憶手段に記憶されているアプリケーション装置の種類毎の電池パック条件と、電池性能の程度がより高い許容性能値の電池パック条件を上位とするランキングとが関連付けて記憶されている条件ランキング記憶手段を備え、
前記パック再構築手段は、前記条件ランキング記憶手段に記憶されている複数の前記電池パック条件のうちから、未選択で最上位のランキングが付されている電池パック条件を選択する選択処理と、前記プール電池情報記憶手段に記憶されている複数の電池識別子のうちから、選択された前記電池パック条件の許容性能値を満たす二次電池の電池識別子を、該電池パック条件の構成電池数分抽出し、抽出した電池識別子の二次電池を含む電池パックを、前記ユーザ買い対象パックとする買い対象パック設定処理と、を繰り返して実行することを特徴とするものである。
【００２１】
前記問題点を解決するための発明に係る電池パックの第九の取引情報提供装置は、
上記第二から上記第八のいずれか一の取引情報提供装置において、
複数の売買情報送信先毎に、アプリケーション装置の種類が記憶されているユーザアプリケーション種記憶手段を備え、前記買い情報提供手段は、前記買い情報に含まれている前記パック識別子の前記ユーザ買い対象パックを定めるために用いた前記電池パック条件を把握し、前記パック条件記憶手段及び前記ユーザアプリケーション種記憶手段を参照して、該電池パック条件を要求する種類のアプリケーション装置に関連付けられている売買情報送信先へ、該買い情報を送ることを特徴とするものである。
【００２２】
前記問題点を解決するための発明に係る電池パックの第十の取引情報提供装置は、
上記第二から第九のいずれか一の取引情報提供装置において、
前記性能情報取得手段により、所有者により所有されている電池パックの前記性能情報が取得されると、該性能情報に含まれている二次電池の性能値を用い、予め定められた手法に従って、該電池パックを該所有者が売るときのユーザ売り価格を求めるユーザ売り価格算出手段と、前記ユーザ売り価格を含む売り情報を作成する売り情報作成手段と、
前記売り情報を、予め登録されている売買情報送信先のうちの前記所有者の送信先へ前記売り情報を送る売り情報提供手段と、を備えていることを特徴とするものである。
【００２３】
前記問題点を解決するための発明に係る電池パックの第十一の取引情報提供装置は、
上記第三から第七のいずれか一の取引情報提供装置において、
前記性能情報取得手段により、所有者により所有されている電池パックの前記性能情報が取得され、且つ前記パック再構築手段の前記仮パック情報設定処理で前記仮のユーザ買い対象パックが定められると、該仮のユーザ買い対象パックに含まれている二次電池の性能値を用い、予め定められている手法に従って、該仮のユーザ買い対象パックをユーザが売るときの売り価格を求め、該仮のユーザ買い対象パックに含まれている二次電池中の、前記所有者により所有されている電池パックに含まれている二次電池の割合に応じて、該売り価格を案分し、案分で得られた価格を、前記所有者により所有されている前記電池パックのユーザ売り価格とするユーザ売り価格算出手段と、前記ユーザ売り価格を含む売り情報を作成する売り情報作成手段と、前記売り情報を、予め登録されている売買情報送信先のうちの前記所有者の送信先へ前記売り情報を送る売り情報提供手段と、を備えていることを特徴とするものである。
【００２４】
第十及び第十一の取引情報提供装置では、所有者が電池パックを売るときのユーザ売り価格が当該所有者に提供されるので、当該所有者による、電池パックを売るか否かを判断を支援することができる。
【００２５】
前記問題点を解決するための発明に係る電池パックの第十二の取引情報提供装置は、
上記第十又は上記第十一の取引情報提供装置において、
前記性能情報取得手段により、所有者により所有されている電池パックの前記性能情報が取得されると、該性能情報に含まれている二次電池の性能値、及び該二次電池の過去の性能値を用いて、前記電池パックに含まれている二次電池の性能値の変化傾向を求める変化傾向算出手段と、前記変化傾向を用いて、前記電池パックに含まれている二次電池の将来の性能値を求める将来性能予測手段と、前記将来の性能値を用いて、予め定められている手法に従って、前記ユーザ売り価格に関する将来の価格を求める将来価格予測手段と、を備え、前記売り情報作成手段は、前記売り情報に、前記ユーザ売り価格に関する将来の価格を含めることを特徴とするものである。
【００２６】
上記第十二の取引情報提供装置では、所有者が電池パックの現在の売り価格のみならず、将来の売り価格を把握できるので、所有者は、現在から将来の価格の変動に基づいて、所有している電池パックを売るタイミングを判断することができる。
【００２７】
前記問題点を解決するための発明に係る第十三の取引情報提供装置は、
上記第一から上記第十二のいずれか一の取引情報提供装置において、
前記パック再構築手段により前記ユーザ買い対象パックとされた前記電池パックに含まれている複数の二次電池の各状態値を用い、予め定められた手順に従って、該電池パックのユーザ買い価格を求めるユーザ買い価格算出手段を備え、前記買い情報作成手段は、前記買い情報中に、前記ユーザ買い価格を含める、ことを特徴とするものである。
【００２８】
前記問題点を解決するための発明に係る第十四の取引情報提供装置は、
上記第十一の取引情報提供装置において、
前記買い対象パック設定処理で前記仮のユーザ買い対象パックが前記ユーザ買い対象パックとされると、前記ユーザ売り価格算出手段で、該仮のユーザ買い対象パックをユーザが売るときの売り価格に、予め定められた手順に従って求められたマージン分を付加し、該マージン分が付加された該売り価格を、前記ユーザ買い対象パックのユーザ買い価格とするユーザ買い価格算出手段を備え、前記買い情報作成手段は、前記買い情報中に、前記ユーザ買い価格を含める、ことを特徴とするものである。
【００２９】
第十三及び第十四の取引情報提供装置では、ユーザが電池パックを買うときのユーザ買い価格が、当該電池パックの性能に関する情報と共に、当該ユーザに提供されるので、当該ユーザによる、電池パックを買うか否かを判断を支援することができる。
【００３０】
前記問題点を解決するための発明に係る第十五の取引情報提供装置は、
上記第一から第十四のいずれか一の取引情報提供装置において、
前記買い情報提供手段により前記買い情報が送られた前記売買情報送信先から、該買い情報に含まれているパック識別子と、該パック識別子が示す電池パックを買う旨と、を受け付ける買い受付手段を備えている、ことを特徴とするものである。
【００３１】
前記問題点を解決するための発明に係る第十六の取引情報提供装置は、
上記第一から第十四のいずれか一の取引情報提供装置において、
前記買い情報提供手段により前記買い情報が送られた前記売買情報送信先から、該買い情報に含まれているパック識別子と、該パック識別子が示す電池パックの入札価格と、該電池パックをオークションで買う旨の買い注文と、を受け付けるオークション買い受付手段と、前記パック識別子が示す前記電池パックに対して、前記オークション買い受付手段により、複数の前記売買情報送信先からオークションで買う旨の買い注文が受け付けられると、複数の該売買情報送信先のうち、最も高い入札価格を提示した売買情報送信先を落札先とする入札管理手段と、を備えていることを特徴とするものである。
【００３２】
上記第十五及び第十六の取引情報提供装置では、ユーザによる電池パックの買いを管理することができる。
【発明の効果】
【００３３】
本発明では、複数の電池パック条件毎の電池パックを再構築しているので、売られた電池パックをそのまま買い対象の電池パックにするよりも、電池パックの購入希望者に、買い対象となる電池パックに関して、多くの選択肢を提供できる。
【図面の簡単な説明】
【００３４】
【図１】本発明に係る一実施形態における電池パックの取引管理システムの構成図である。
【図２】電池パックの構成を示す説明図である。
【図３】本発明に係る一実施形態における取引管理装置の構成を示す構成図である。
【図４】本発明に係る一実施形態におけるパック管理テーブルのデータ構成を示す説明図である。
【図５】本発明に係る一実施形態におけるパック条件情報テーブルのデータ構成を示す説明図である。
【図６】本発明に係る一実施形態におけるパック状態情報テーブルのデータ構成を示す説明図である。
【図７】本発明に係る一実施形態におけるアプリ種−パック条件テーブルのデータ構成を示す説明図である。
【図８】本発明に係る一実施形態における価格関数テーブルのデータ構成を示す説明図である。
【図９】本発明に係る一実施形態におけるパック条件ランキングテーブルのデータ構成を示す説明図ある。
【図１０】本発明に係る一実施形態における通常売り情報テーブルのデータ構成を示す説明図である。
【図１１】本発明に係る一実施形態における通常買い情報テーブルのデータ構成を示す説明図である。
【図１２】本発明に係る一実施形態におけるオークション売り情報テーブルのデータ構成を示す説明図である。
【図１３】本発明に係る一実施形態におけるオークション買い情報テーブルのデータ構成を示す説明図である。
【図１４】本発明に係る一実施形態におけるプール電池情報テーブルのデータ構成を示す説明図である。
【図１５】本発明に係る一実施形態におけるオークション実績テーブルのデータ構成を示す説明図である。
【図１６】本発明に係る一実施形態における入札情報テーブルのデータ構成を示す説明図である。
【図１７】本発明に係る一実施形態における電池パックの新規登録処理を示すフローチャートである。
【図１８】本発明に係る一実施形態における所有者の変更処理を示すフローチャートである。
【図１９】本発明に係る一実施形態における電池パックの廃棄完了受付処理を示すフローチャートである。
【図２０】本発明に係る一実施形態における状態監視、売買情報作成処理を示すフローチャート（その１）である。
【図２１】本発明に係る一実施形態における状態監視、売買情報作成処理を示すフローチャート（その２）である。
【図２２】図２２のステップ５０における処理の一部である、通常売り価格算出、パック再構築処理を示すフローチャート（その１）である。
【図２３】図２１のステップ５０における処理の一部である、通常売り価格算出、パック再構築処理を示すフローチャート（その２）である。
【図２４】図２１のステップ５０における処理の一部である、通常売り価格算出、パック再構築処理を示すフローチャート（その３）である。
【図２５】図２１のステップ５０における処理の一部である、通常売り価格算出、パック再構築処理を示すフローチャート（その４）である。
【図２６】図２１のステップ５０における処理の一部である、オークション売り価格算出、パック再構築処理を示すフローチャート（その１）である。
【図２７】図２１のステップ５０における処理の一部である、オークション売り価格算出、パック再構築処理を示すフローチャート（その２）である。
【図２８】本発明に係る一実施形態における通常売り受付処理を示すフローチャートである。
【図２９】本発明に係る一実施形態における通常買い受付処理を示すフローチャートである。
【図３０】本発明に係る一実施形態におけるオークション買い処理を示すフローチャートである。
【図３１】本発明に係る一実施形態におけるオークション売り受付処理を示すフローチャートである。
【図３２】本発明に係る一実施形態における通常売買情報の表示画面を示す説明図である。
【図３３】本発明に係る一実施形態におけるオークション売買情報の表示画面を示す説明図である。
【図３４】本発明に係る一実施形態における電池パックの売り価格算出方法、電池パックの再構築方法を示す説明図である。
【図３５】図２１のステップ５０における処理の一部の変形例である、買い価格算出、パック再構築処理を示すフローチャート（その１）である。
【図３６】図２１のステップ５０における処理の一部の変形例である、買い価格算出、パック再構築処理を示すフローチャート（その２）である。
【図３７】図２１のステップ５０における処理の一部の変形例である、買い価格算出、パック再構築処理を示すフローチャート（その３）である。
【図３８】図２１のステップ５０における処理の一部の変形例である、売り価格算出処理を示すフローチャートである。
【図３９】本発明に係る一実施形態の変形例における売り情報テーブルのデータ構成を示す説明図である。
【図４０】本発明に係る一実施形態の変形例における買い情報テーブルのデータ構成を示す説明図である。
【図４１】本発明に係る一実施形態の変形例におけるオークション買い処理を示すフローチャートである。
【図４２】本発明に係る一実施形態の変形例における電池パックの売主への入金額（売り価格）決定処理を示すフローチャートである。
【図４３】本発明に係る一実施形態の変形例におけるオークション買い情報テーブルのデータ構成を示す説明図である。
【発明を実施するための形態】
【００３５】
以下、本発明に係る電池パックの取引管理システムの一実施形態について説明する。
【００３６】
電池パックは、図１に示すように、各種アプリケーション装置に装着されて使用される。具体的に、電池パック１１ａ，１１ｂは、アプリケーション装置としての自動車１０ａ，１０ｂに装着されている。また、電池パック１１ｃは、風車１８の発電機に接続されているアプリケーション装置としての蓄電装置１０ｃに装着されている。また、電池パック１１ｄは、一般家庭の配電装置１９に接続されているアプリケーション装置としての蓄電装置１０ｄに装着されている。この他、電池パックは、フォークリフト等の作業機械等、エネルギーを消費する各種アプリケーション装置に装着される。
【００３７】
取引管理装置１００は、通信ネットワーク１を介して、各拠点に設けられた端末と通信する。ここでの拠点としては、各アプリケーション装置と対応付けられたものが存在し、例えば、電池パック１１ａ，１１ｂが装着されている自動車１０ａ，１０ｂでは、自動車１０ａ、１０ｂ自身、また、自動車１０ｂではさらに自動車１０ｂの所有者の家５ｂが該当する。また、風車１８では管理棟５ｃが該当する。また、家庭用蓄電装置１０ｄでは、蓄電装置１０ｄ自身、さらには、この家庭用蓄電装置１０ｄが設置されている家５ｄが該当する。また、各アプリケーション装置と対応付けられていない拠点としては、電池パックを製造する工場又は電池パックを販売する販売元（以下、単に販売元等とする）６、電池パック及び電池パックに組み込まれている二次電池を分解して、これから各種金属材料等を取り出すリサイクル工場７、等がある。
【００３８】
各拠点１０ａ，１０ｂ，５ｂ，５ｃ，１０ｄ，５ｄ，６，７には、上記端末として、通信機能を備えた装置１７，１７，１６ｂ，１６ｃ，１７ｄ，１６ｄ，１６ｅ，１６ｆが配置されている。具体的に、拠点としての自動車１０ａ．１０ｂには、無線通信装置１７，１７が設けられている。拠点としての家庭用蓄電装置１０ｄには有線通信装置１７ｄが設けられている。また、家５ｂ、管理棟５ｃ、家５ｄ、販売元等６、リサイクル工場７には、通信機能を備えたコンピュータ１６ｂ，１６ｃ，１６ｄ，１６ｅ，１６ｆが置かれている。
【００３９】
自動車１０ａ．１０ｂに設けられている無線通信装置１７，１７は、この自動車１０ａ．１０ｂの電池パック１１ａ，１１ｂと接続されており、電池パック１１ａ，１１ｂからの情報を取引管理装置１００へ送信する役目を担っている。自動車１０ａに設けられている無線通信装置１７は、さらに、取引管理装置１００との間で電池パックの売買情報を送受信する役目も担っている。また、自動車１０ｂの所有者の家５ｂに置かれているコンピュータ１６ｂは、取引管理装置１００との間で電池パックの売買情報を送受信する役目を担っている。
【００４０】
また、管理棟５ｃに置かれているコンピュータ１６ｃは、この管理棟５ｃの管理下にある風車用蓄電装置１０ｃの電池パック１０ｃと接続されている。このコンピュータ１６ｃは、この電池パック１０ｃからの情報を取引管理装置１００へ送信すると共に、取引管理装置１００との間で電池パックの売買情報を送受信する役目を担っている。
【００４１】
家庭用蓄電装置１０ｄの有線通信装置１７ｄは、この家庭用蓄電装置１０ｄに装着されている電池パック１１ｄと接続され、この電池パック１０ｄからの情報を取引管理装置１００へ送信する役目を担っている。この家庭用蓄電装置１０ｄが設置されている家５ｄのコンピュータ５ｄは、取引管理装置１００との間で電池パックの売買情報を送受信する役目を担っている。
【００４２】
販売元等５のコンピュータ１６ｅは、取引管理装置１００との間で、新品の電池パックに関する情報等を送受信する役目を担っており、リサイクル工場６のコンピュータ１６ｆは、取引管理装置１００との間で、電池パックの廃棄処理の完了通知等を送受信する役目を担っている。
【００４３】
販売元等５としては、自動車等のアプリケーション装置に電池パックが装着された状態で、このアプリケーション装置と電池パックとを一体で販売する販売元等の他、電池パックのみを販売する販売元等がある。また、販売元等５は、電池パックの販売等の他、一般ユーザで使用された電池パックを一旦解体し、この電池パックに組み込まれていた複数の二次電池を用いて、新たな電池パックの再構築作業も行う。
【００４４】
本実施形態の電池パックの取引管理システムは、取引管理装置１００の他、各アプリケーション装置１０ａ〜１０ｄの電池パック１１ａ〜１０ｄに接続されている通信装置１７，１７，１６ｃ，１７ｄと、家５ｂ，５ｄ、販売元等６、リサイクル工場７に置かれている通信機能を備えたコンピュータ１６ｂ，１６ｄ，１６ｅ，１６ｆを有して構成されている。
【００４５】
次に、本実施形態において、取引対象となる電池パックの構成について、図２を用いて説明する。
【００４６】
ここでは、アプリケーションである自動車１０ａに装着されている電池パック１１ａを例にして、電池パックの構成について説明する。電池パック１１ａは、複数の二次電池１２，１２，…と、一又は複数の二次電池１２の充放電等を制御する複数のＣＭＵ（Cell  Monitoring  Unit）１３及び各ＣＭＵ１３からのデータを集中管理するＢＭＵ（Battery Management Unit）１４を有する制御部と、これを収納しているパックケース１５とを有している。
【００４７】
ＣＭＵ１３は、管理下の一以上の二次電池１２の端子間電圧、端子電流、端子電流の積算値等の各種状態値を取得し、これをＢＭＵ１４に送り、ＢＭＵ１４は、各ＣＭＵ１３からの各二次電池毎の各種状態値に基づいて、電池パックの状態を把握する。
【００４８】
この自動車１０ａの場合、電池パック１１ａにおいて制御部の一構成であるＢＭＵ１４は、自動車１０ａのパワートレーン系等を制御するＥＣＵ（Electronic Control Unit）２０を介して、無線通信装置１７と接続されている。この無線装置１７は、ネットワーク終端装置である無線基地局２を含む通信ネットワーク１を介して、取引管理装置１００と通信する。
【００４９】
ＥＣＵ２０は、この自動車１０ａに搭載されているモニタ２１にも接続されている。このモニタ２１は、取引管理装置１００からの売買情報を表示する役目を担っている。なお、自動車１０ｂの電池パック１１ｄに関する売買情報、風車用蓄電装置１０ｃの電池パック１１ｃに関する売買情報、家庭用蓄電装置１０ｄの電池パック１１に関する売買情報は、それぞれ、家５ｂに置かれているコンピュータ１６ｂのディスプレイ、管理棟５ｃに置かれているコンピュータ１６ｃのディスプレイ、家５ｄに置かれているコンピュータ１６ｄのディスプレイに表示される。
【００５０】
次に、図３を用いて、取引管理装置１００の構成について説明する。なお、以下において、特に言及がない限り、「売る」とはユーザが売ることで、「売り」とはユーザによる売りのことである。また、以下において、特に言及がない限り、「買う」とはユーザが買うことであり、「買い」とはユーザによる買いのことである。
【００５１】
この取引管理装置１００は、コンピュータであり、各種演算処理を行うＣＰＵ１４０と、ハードディスクドライブ装置等の記憶装置１１０と、通信ネットワーク１を介して外部装置と通信する通信装置１０１と、ＣＰＵ１４０のワークエリア等になるメモリ１０２と、キーボードやマウス等の入力装置１０４と、表示装置１０５と、入力装置１０４や表示装置１０５のインタフェース１０３と、ディスク型記憶媒体１０９に対してデータの記憶処理や再生処理を行う記憶・再生装置１０６と、を有している。
【００５２】
記憶装置１１０には、取引管理プログラム１３０や、通信制御プログラム１３１等の各種プログラムが予め格納されている。これらのプログラム１３０，１３１は、記憶・再生装置１０６を介して、ディスク型記憶媒体１０９から記憶装置１１０に取り込まれる。なお、これらのプログラム１３０，１３１は、通信装置１０１を介して外部装置から記憶装置１１０に取り込まれてもよい。
【００５３】
この記憶装置１１０には、さらに、取引管理プログラム１３０の実行過程で、以下のテーブルが設けられる。すなわち、パック管理テーブル（ユーザアプリケーション種記憶手段）１１１、パック条件情報テーブル（パック条件記憶手段）１１２、パック状態情報テーブル（パック状態情報記憶手段）１１３、アプリ種−パック条件テーブル１１４、価格関数テーブル１１５、パック条件ランキングテーブル（条件ランキング記憶手段）１１６、通常売り情報テーブル（仮パック情報記憶手段）１１７、通常買い情報テーブル１１８、オークション売り情報テーブル（仮パック情報記憶手段）１２１、オークション買い情報テーブル１２２、プール電池情報テーブル（プール電池情報記憶手段）１２３、オークション実績テーブル１２４、入札情報テーブル１２５が、記憶装置１１０に設けられる。なお、以上の各テーブル１１１〜１２５のデータ構成については、後述する。
【００５４】
ＣＰＵ１４０は、機能的に、電池パックの取引を管理する取引管理部１４１と、通信装置１０１を制御する通信制御部１６１と、を有している。なお、取引管理部１４１は、記憶装置１１０に格納されている取引管理プログラム１３０をＣＰＵ１４０が実行することで機能し、通信制御部１６１は、記憶装置１１０に格納されている通信制御プログラム１３１をＣＰＵ１４０が実行することで機能する。
【００５５】
取引管理部１４１は、前述の各テーブル１１１〜１２５を作成及び変更するテーブル作成・変更部（各種設定手段）１４２と、電池パックの各二次電池毎の性能値を取得する性能情報取得部１４３と、各ユーザ等からの電池パックの売りや買いの希望等を受け付ける売買受付部１４４と、電池パックのユーザ売り価格を求める売り価格算出部１４５と、二次電池の性能値の変化傾向を算出する変化傾向算出部１４６と、電池パックを構成する二次電池群の将来の性能値を予測する将来性能予測部１４７と、ユーザが所有している電池パックの将来の売り価格を予測する将来売り価格予測部１４８と、ユーザが所有している電池パックの買い価格を算出する買い価格算出部１４９と、この取引管理装置１００を運営している取引管理側にプールされている複数の二次電池を用いて新たな電池パックを構築するパック再構築部１５１と、電池パックの売買情報を作成する売買情報作成部１５２と、この売買情報をユーザに提供する売買情報提供部１５３と、電池パックのオークションにおける入札を管理する入札管理部１５４と、ユーザからの売り／買い等の指示に対する返答処理を行う返答処理部１５５と、を有している。
【００５６】
なお、本実施形態において、二次電池の性能値とは、当該二次電池の使用することにより変化する二次電池の性能の程度を示す値であって、新品の二次電池に求められる性能を基準にした値、例えば新品の二次電池に求められる性能値を「１００」とし、二次電池の劣化が進むに連れて小さくなる値である。但し、二次電池の性能値は、使用により変化する二次電池の性能の程度を示す値であれば、例えば、劣化値のように、二次電池の劣化が進むに連れて大きくなる値であってもよい。
【００５７】
パック管理テーブル（ユーザアプリケーション種記憶手段）１１１は、図４に示すように、電池パックの所有者の所有者ＩＤ（IDentification）が格納される所有者ＩＤ領域１１１ａと、当該電池パックのパックＩＤが格納されるパックＩＤ領域１１１ｂと、当該電池パックが装着されるアプリケーション装置の種類が格納されるアプリ種領域１１１ｃと、電池パックに関する状態情報の送信元の通信アドレス（パック通信アドレス）が格納されるパック通信アドレス領域１１１ｄと、電池パックの所有者の通信アドレスが格納される所有者通信アドレス領域１１１ｅと、売買情報の送信先の通信アドレスがパック通信アドレスであるか所有者の通信アドレスであるかが格納される売買情報送信先領域１１１ｆと、を有している。
【００５８】
例えば、このパック管理テーブル１１１のレコード１１１ｘには、図１及び図２に示す自動車１０ａの所有者に関する情報が格納される。すなわち、このレコード１１１ｘの所有者ＩＤ領域１１１ａには、この自動車１０ａに装着されている電池パック１１ａの所有者のＩＤである「ＡＢＣＤ」が格納され、パックＩＤ領域１１１ｂには、この電池パック１１ａのパックＩＤである「Ａ１００−００９８２」が格納される。また、パック通信アドレス領域１１１ｄには、電池パック１１ａに関する状態情報の送信元である無線通信装置１７の通信アドレスである「172.168．101.123」が格納され、所有者通信アドレス領域１１１ｅには、電池パック１１ａの所有者の通信アドレスである「172.168．121.125」が格納される。また、売買情報送信先領域１１１ｆには、取引管理装置１００からの売買情報の送信先が「所有者」である旨、つまり、所有者通信アドレス「172.168．121.125」を送信先の通信アドレスとする旨が格納される。
【００５９】
パック条件情報テーブル（パック条件記憶手段）１１２は、電池パック毎に設けられるテーブルであって、図５に示すように、電池パックのパックＩＤが格納されるパックＩＤ領域１１２ａと、この電池パックが装着されるアプリケーション装置の種類が格納されるアプリ種領域１１２ｂと、この電池パックに組み込まれている二次電池のタイプが格納される電池タイプ領域１１２ｃと、この電池パックに組み込まれている二次電池の数が格納される構成電池数領域１１２ｄと、このアプリケーション装置における電池パック中の二次電池の許容性能値が格納される許容性能値領域１１２ｅと、この電池パックに組み込まれている全ての二次電池の製造番号が格納される製造番号領域１１２ｆと、を有している。なお、構成電池数領域１１２ｄに「１００」が格納される場合、製造番号領域１１２ｆには、１００個の製造番号が格納される。
【００６０】
パック状態情報テーブル（パック状態情報記憶手段）１１３は、電池パック毎に設けられるテーブルであって、図６に示すように、電池パックのパックＩＤが格納されるパックＩＤ領域１１３ａと、この電池パックに組み込まれている全ての二次電池の製造番号が格納される製造番号領域１１３ｂと、各二次電池の性能値が格納される性能値領域１１３ｃと、この性能値の変動傾向を示す変化係数が格納される変化係数領域１１３ｄと、性能値を取得した時刻が格納される時刻領域１１３ｅと、を有している。
【００６１】
アプリ種−パック条件テーブル１１４は、図７に示すように、アプリケーション装置の種類が格納されているアプリ種領域１１４ａと、当該種類のアプリケーション装置に装着される電池パック中の二次電池のタイプが格納されている電池タイプ領域１１４ｂと、二次電池の許容性能値が格納されている許容性能値領域１１４ｃと、電池パックに組み込まれる二次電池の数が格納されている構成電池数領域１１４ｄと、を有している。なお、許容性能値領域１１４ｃには、アプリ種領域１１４ａに格納された種類のアプリケーション装置に装着される電池パックに組み込まれる二次電池であって、電池タイプ領域１１４ｂに格納されたタイプの二次電池の許容性能値が格納されている。また、構成電池数領域１１４ｄには、アプリ種領域１１４ａに格納された種類のアプリケーション装置に装着される電池パックに組み込まれる二次電池の数であって、電池タイプ領域１１４ｂに格納されたタイプの二次電池の数が格納されている。
【００６２】
すなわち、このアプリ種−パック条件テーブル１１４は、アプリケーション装置の種類毎に、アプリケーション装置に装着可能な電池パックの条件を示している。
【００６３】
価格関数テーブル１１５は、図８に示すように、電池パックの構成電池数が格納されている構成電池数領域１１５ａと、電池パックに組み込まれている二次電池のタイプが格納されている電池タイプ領域１１５ｂと、売り価格を求めるための関数が格納されている関数領域１１５ｃと、を有しいている。関数領域１１５ｃには、電池タイプ領域１１５ｂに格納されている電池タイプの二次電池が、構成電池数領域１１５ａに格納されている構成電池数分組み込まれている電池パックを、ユーザが売る際の価格を算出するための関数が格納されている。この関数ｆ（μ，σ２）は、この電池パックに組み込まれている二次電池の各性能値の中央値μ、及び分散σ２をパラメータに、売り価格を算出する関数である。
【００６４】
パック条件ランキングテーブル（条件ランキング記憶手段）１１６は、図９に示すように、電池タイプ毎に設けられるテーブルであって、図７に示すアプリ種−パック条件テーブル１１４に示す電池パック条件毎に、性能値の高い電池パック条件を上位とするランキングを示すテーブルである。
【００６５】
具体的に、このパック条件ランキングテーブル１１６は、電池パック条件に対するランキングが格納されているランキング領域１１６ａと、ランキング領域１１６ａに格納されているランキングの電池パック条件における許容性能値が格納されている許容性能値領域１１６ｂと、ランキング領域１１６ａに格納されているランキングの電池パック条件における構成電池数が格納されている構成電池数領域１１６ｃと、を有している。
【００６６】
例えば、図７に示すアプリ種−パック条件テーブル１１４中、電池タイプＡで最も高い許容性能値が「８０」である場合、電池タイプＡにおけるランキング「１」の電池パック条件は、許容性能値が「８０」であって、この許容性能値「８０」に関連付けられている構成電池数が「１００」の電池パック条件である。よって、電池タイプＡに関するパック条件ランキングテーブル１１６で、ランキング領域１１６ａに「１」が格納されているレコードでは、許容性能値領域１１６ｂに「８０」が格納され、構成電池数領域１１６ｃに「１００」が格納されている。なお、仮に、許容性能値が同じで構成電池数が異なる電池パック条件が複数存在する場合、ここでは、構成電池数の多い電池パック条件を上位とする。
【００６７】
以上、このパック条件ランキングテーブル１１６、さらに、前述の価格関数テーブル１１５及びアプリ種−パック条件テーブル１１４は、テーブル構成のみならず、テーブル内のデータも、取引管理プログラム１３０内に予め組み込まれている。但し、アプリケーション装置の種類が増えた場合、電池タイプが増えた場合等でも、対応できるよう、テーブル内のデータは随時変更可能である。
【００６８】
通常売り情報テーブル（仮パック情報記憶手段）１１７は、図１０に示すように、パックＩＤ毎に設けられるテーブルであって、当該パックＩＤが格納される対象パックＩＤ領域１１７ａと、当該パックＩＤの電池パックをユーザが通常売りで売る場合の売り価格が格納される売り価格領域１１７ｂと、当該パックＩＤの電池パックをユーザから取引管理側が将来買い取った場合に、取引管理側がこの電池パックを売る際、言い換えると、取引管理側から市場のいずれかのユーザが買う際の仮の電池パックの情報が格納される仮パック情報領域１１７ｃと、を有している。
【００６９】
ここで、通常売りとは、オークションによる売買ではなく、売り手と買い手とが一対一の通常の売買のことで、特に、本実施形態では、ユーザである一売り手が取引管理側に電池パックを売り、取引管理側がこの電池パックをオークション形式で売らないことである。また、取引管理側が電池パックを売る際の仮の電池パックの情報とは、当該電池パックに組み込まれている複数の二次電池のうち、少なくとも１個の二次電池を含む仮の電池パックの情報のことである。
【００７０】
この通常売り情報テーブル１１７の仮パック情報領域１１７ｃは、仮の電池パックのパックＩＤが格納される仮パックＩＤ領域１１７ｄと、この仮の電池パックを取引管理側が直ちに売れるか否かが格納される保留フラグ領域１１７ｅと、この仮の電池パックに組み込まれる二次電池のタイプが格納される電池タイプ領域１１７ｆと、この仮の電池パックの構成電池数が格納される構成電池数領域１１７ｇと、この仮の電池パックに組み込まれる、対象電池パック中の二次電池の数が格納される対象パックの電池数領域１１７ｈと、この仮の電池パックをユーザが売る際の売り価格が格納される売り価格領域１１７ｉと、この売り価格中の対象電池パック分の価格が格納される対象パック分の売り価格領域１１７ｊと、この仮の電池パックに組み込まれる二次電池の各性能値に関する統計値が格納される性能値領域１１７ｋと、この仮の電池パックに組み込まれる二次電池の製造番号が格納される製造番号領域１１７ｐと、を有している。
【００７１】
保留フラグ領域１１７ｅには、仮の電池パックを取引管理側が直ちに売れる場合には「０」が格納され、取引管理側が直ちに売れない場合には「１」が格納される。また、性能値領域１１７ｋは、仮の電池パックに組み込まれる二次電池の各性能値のうちで、最小の性能値が格納される最小値領域１１７ｌと、仮の電池パックに組み込まれる二次電池の各性能値の中央値が格納される中央値領域１１７ｍと、仮の電池パックに組み込まれる二次電池の各性能値の分散値が格納される分散値領域１１７ｎと、を有している。
【００７２】
通常買い情報テーブル１１８は、図１１に示すように、ユーザが取引管理側から買える電池パックのＩＤが格納される対象パックＩＤ領域１１８ｄと、この電池パックに組み込まれる二次電池のタイプが格納される電池タイプ領域１１８ｆと、この電池パックの構成電池数が格納される構成電池数領域１１８ｇと、ユーザがこの電池パックを買う価格が格納される買い価格領域１１８ｉと、この電池パックに組み込まれる二次電池の各性能値に関する統計値が格納される性能値領域１１８ｋと、この電池パックに組み込まれる二次電池の製造番号が格納される製造番号領域１１８ｐと、を有している。
【００７３】
性能値領域１１８ｋは、電池パックに組み込まれる二次電池の各性能値のうちで、最小の性能値が格納される最小値領域１１８ｌと、電池パックに組み込まれる二次電池の各性能値の中央値が格納される中央値領域１１８ｍと、電池パックに組み込まれる二次電池の各性能値の分散値が格納される分散値領域１１８ｎと、を有している。
【００７４】
オークション売り情報テーブル（仮パック情報記憶手段）１２１は、図１２に示すように、図１０に示す通常売り情報テーブル１１７と同一のテーブル構成である。但し、このオークション売り情報テーブル１２１は、オークション売りを対象にしたテーブルであるため、通常売り情報テーブル１１７に対して、テーブル内のデータが異なっている。
【００７５】
ここで、本実施形態におけるオークション売りとは、前述の通常売りと同様、ユーザである一売り手が取引管理側に電池パックを売るものの、取引管理側が、この電池パックに組み込まれている二次電池を用いて再構築した電池パックをオークション形式で売ることを前提とした、ユーザによる売りのことである。言い換えると、オークション売りとは、通常売りと同様、ユーザである一売り手が取引管理側に電池パックを売るものの、この電池パックに組み込まれている二次電池がオークション対象になる、ユーザによる売りのことである。
【００７６】
このオークション売り情報テーブル１２１は、前述したように、図１０に示す通常売り情報テーブル１１７と同一のテーブル構成であるため、オークション売りの対象になる電池パックのパックＩＤが格納される対象パックＩＤ領域１２１ａと、当該パックＩＤの電池パックをユーザが売る場合の売り価格が格納される売り価格領域１２１ｂと、当該パックＩＤの電池パックをユーザから取引管理側が将来買い取った場合に、取引管理側がこの電池パックをオークションで売る際、言い換えると、取引管理側からユーザがオークションで買う際の仮の電池パックの情報が格納される仮パック情報領域１２１ｃと、を有している。
【００７７】
このオークション売り情報テーブル１２１の仮パック情報領域１２１ｃは、仮の電池パックのパックＩＤが格納される仮パックＩＤ領域１２１ｄと、この仮の電池パックを取引管理側が直ちに売れるか否かが格納される保留フラグ領域１２１ｅと、この仮の電池パックに組み込まれる二次電池のタイプが格納される電池タイプ領域１２１ｆと、この仮の電池パックの構成電池数が格納される構成電池数領域１２１ｇと、この仮の電池パックに組み込まれる、対象電池パック中の二次電池の数が格納される対象パックの電池数領域１２１ｈと、この仮の電池パックをユーザが売る際の売り価格が格納される売り価格領域１２１ｉと、この売り価格中の対象電池パック分の価格が格納される対象パック分の売り価格領域１２１ｊと、この仮の電池パックに組み込まれる二次電池の各性能値に関する統計値が格納される性能値領域１２１ｋと、この仮の電池パックに組み込まれる二次電池の製造番号が格納される製造番号領域１２１ｐと、を有している。
【００７８】
性能値領域１２１ｋは、仮の電池パックに組み込まれる二次電池の各性能値のうちで、最小の性能値が格納される最小値領域１２１ｌと、仮の電池パックに組み込まれる二次電池の各性能値の中央値が格納される中央値領域１２１ｍと、仮の電池パックに組み込まれる二次電池の各性能値の分散値が格納される分散値領域１２１ｎと、を有している。
【００７９】
オークション買い情報テーブル１２２は、図１３に示すように、図１１に示す通常買い情報テーブル１１８と同一のテーブル構成である。但し、このオークション買い情報テーブル１２２は、オークション買いを対象にしたテーブルであるため、通常買い情報テーブル１１８に対して、テーブル内のデータが異なっている。
【００８０】
ここで、本実施形態におけるオークション買いとは、取引管理側から、ユーザが電池パックをオークション形式で買うこと、である。なお、このオークション買いの対象になる電池パックは、本実施形態において、ユーザがオークション売りで電池パックを取引管理側に売り、この取引管理側が、プールしたこの電池パックに組み込まれている二次電池を用いて、再構築した電池パックである。
【００８１】
このオークション買い情報テーブル１２２は、ユーザが取引管理側から買う電池パックのＩＤが格納される対象パックＩＤ領域１２２ｄと、この電池パックに組み込まれる二次電池のタイプが格納される電池タイプ領域１２２ｆと、この電池パックの構成電池数が格納される構成電池数領域１２２ｇと、ユーザがこの電池パックを買う際の参考価格が格納される買い参考価格領域１２２ｉと、この電池パックに組み込まれる二次電池の各性能値に関する統計値が格納される性能値領域１２２ｋと、この電池パックに組み込まれる二次電池の製造番号が格納される製造番号領域１２２ｐと、を有している。
【００８２】
性能値領域１２２ｋは、電池パックに組み込まれる二次電池の各性能値のうちで、最小の性能値が格納される最小値領域１２２ｌと、電池パックに組み込まれる二次電池の各性能値の中央値が格納される中央値領域１２２ｍと、電池パックに組み込まれる二次電池の各性能値の分散値が格納される分散値領域１２２ｎと、を有している。
【００８３】
プール電池情報テーブル１２３は、ユーザが通常売り又はオークション売りで取引管理側に電池パックを売った結果、取引管理側が保有することになった電池パックに組み込まれている二次電池の状態を示すテーブルである。
【００８４】
このプール電池情報テーブル（プール電池情報記憶手段）１２３は、図１４に示すように、二次電池の製造番号が格納される製造番号領域１２３ａと、ユーザが通常売り又はオークション売りで取引管理側に電池パックを売った日時が格納されるプール日時１２３ｂと、当該二次電池の性能値が格納される性能値領域１２３ｃと、当該二次電池の状態を示す状態領域１２３ｄと、を有している。
【００８５】
このプール電池情報テーブル１２３の性能値領域１２３ｃには、ユーザから電池パックが売られて、当該電池パック中の二次電池が取引管理側にプールされた日時（＝プール日時領域に格納された日時）における、当該二次電池の性能値が格納される。また、状態領域には、当該二次電池が通常プールである場合に「０」が格納され、当該二次電池がオークションプールである場合に「１」が格納され、当該二次電池が廃棄すべきものである場合に「２」が格納される。
【００８６】
なお、二次電池が通常プールであるとは、電池パックが通常売りで取引管理側に売られた結果、当該電池パックに組み込まれていた二次電池が取引管理側にプールされたことである。また、二次電池がオークションプールであるとは、電池パックがオークション売りで取引管理側に売られた結果、当該電池パックに組み込まれていた二次電池が取引管理側にプールされたことである。
【００８７】
以上のように、本実施形態では、ユーザが電池パックを通常売りで取引管理側に売った場合、この電池パックに組み込まれていた複数の二次電池は、取引管理側に通常プールされる。そして、これら複数の二次電池は、取引管理側により、新たな電池パックに再構築されて、この新たな電池パックが一般ユーザによる通常買いの対象となる。また、本実施形態では、ユーザが電池パックをオークション売りで取引管理側に売った場合、この電池パックに組み込まれていた複数の二次電池は、取引管理側にオークションプールされる。そして、これら複数の二次電池は、取引管理側により、新たな電池パックに再構築されて、この新たな電池パックが一般ユーザによるオークション買いの対象となる。
【００８８】
オークション実績テーブル１２４は、一般ユーザが電池パックをオークション買いで買い取った実績を示すテーブルである。このオークション実績テーブル１２４は、図１５に示すように、オークションのＩＤが格納されるオークションＩＤ領域１２４ａと、オークション買いの成立日時が格納されるオークション買い成立日時領域１２４ｂと、オークション買いで買われた電池パック中の二次電池のタイプが格納される電池タイプ領域１２４ｃと、この電池パックの構成電池数が格納される構成電池数領域１２４ｄと、オークションによるこの電池パックのユーザ買い価格が格納される買い価格領域１２４ｅと、この電池パックに組み込まれる二次電池の各性能値に関する統計値が格納される性能値領域１２４ｆと、を有している。
【００８９】
性能値領域１２４ｆは、電池パックに組み込まれる二次電池の各性能値のうちで、最小の性能値が格納される最小値領域１２４ｇと、仮の電池パックに組み込まれる二次電池の各性能値の中央値が格納される中央値領域１２４ｈと、仮の電池パックに組み込まれる二次電池の各性能値の分散値が格納される分散値領域１２４ｉと、を有している。
【００９０】
入札情報テーブル１２５は、オークション買いの対象になった電池パック毎に設けられる。この入札情報テーブル１２５は、図１６に示すように、オークション買いの対象になった電池パックのパックＩＤが格納される対象パックＩＤ領域１２５ａと、この電池パックの入札期間を自動延長するか否かが格納される自動延長フラグ領域１２５ｂと、この電池パックの入札開始日時が格納される入札開始領域１２５ｃと、この電池パックの入札終了日時が格納される入札終了領域１２５ｄと、この電池パックの入札者のＩＤが格納される入札者ＩＤ領域１２５ｅと、当該入札者によるこの電池パックの入札価格が格納される入札価格領域１２５ｆと、を有している。
【００９１】
自動延長フラグ領域１２５ｂには、入札期間を自動延長する場合に「１」が格納され、入札期間を延長しない場合に「０」が格納される。なお、本実施形態において、自動延長フラグ領域には、基本的に「１（自動延長する）」が設定されており、取引管理側が特に希望した場合にのみ、「０（延長しない）」が設定される。
【００９２】
以上のような構成の取引管理装置１００により、流通、あるいは流通可能な全ての二次電池は、その所在、状態が管理される。すなわち、取引管理装置１００により、新規に二次電池が生産されると、この二次電池の情報が新規登録され、また、ユーザとの間で売買取引が行われ、ユーザから売られたものについては管理側でプールされるものとして登録され、また、ユーザが買ったものについては当該ユーザの所有のアプリケーション装置に装着されるものとして登録される。さらに、取引管理装置１００により、二次電池は、その登録情報とリンクして状態が常に監視されて、その状態に応じて電池パック単位で取引が行われ流通している。
【００９３】
以下、このような取引管理装置１００で行われる処理の詳細を、図１７〜図３１に示すフローチャートに従って説明する。
【００９４】
まず、図１７に示すフローチャートに従って、電池パックの新規登録処理について説明する。
【００９５】
取引管理装置１００のテーブル作成・変更部１４２は、常時、電池パックの新規登録申請を待っている（Ｓ１０）。電池パックの新規登録申請は、基本的に、販売元等６が行う。テーブル作成・変更部１４２は、通信制御部１６１を介して、この販売元等６のコンピュータ１６ｅからの電池パックの新規登録申請を受け付けると、まず、この電池パックのパックＩＤを定める（Ｓ１１）。
【００９６】
ここで、この新規登録申請は、二つの形態の申請がある。第一の形態は、アプリケーション装置に既に装着された電池パックに関する申請である。この場合、この新規登録申請では、新規登録の旨の他、電池パックの所有者ＩＤ（販売者等６のＩＤ）、当該電池パックが装着されたアプリケーション装置の種類、当該所有者の通信アドレス（販売者等の通信アドレス）、当該電池パックに組み込まれている二次電池の電池タイプ、当該電池パックに組み込まれている二次電池の数、当該電池パックに組み込まれている全ての二次電池の製造番号も、併せて受け付ける。第二の形態は、いずれのアプリケーション装置に装着されるか定まっていない電池パックに関する申請である。この場合、この新規登録申請では、当該電池パックが装着されるアプリケーション装置の種類を除いて、前者の場合と同様、新規登録の旨、電池パックの所有者ＩＤ（販売者等６のＩＤ）、当該所有者の通信アドレス（販売者等の通信アドレス）、当該電池パックに組み込まれている二次電池の電池タイプ、当該電池パックに組み込まれている二次電池の数、当該電池パックに組み込まれている全ての二次電池の製造番号を受け付けると共に、当該電池パックの売買価格も受け付ける。
【００９７】
そこで、テーブル作成・変更部１４２は、新規登録の申請受付時に、アプリケーション装置の種類を受け付けたか否かを判断する（Ｓ１２）。
【００９８】
テーブル作成・変更部１４２は、ステップ１２で、新規登録の申請受付時にアプリケーション装置の種類を受け付けていない、つまり前述の第二の形態での申請であると判断すると、新規登録申請された二次電池は、取引管理側が売買可能な二次電池として、プールすべく、以下のステップ１３ａ〜ステップ１５の処理を実行する。
【００９９】
テーブル作成・変更部１４２は、まず、パック管理テーブル１１１（図４）に新たなレコードを作成し、当該電池パックに関する情報を格納する（Ｓ１３ａ）。
【０１００】
すなわち、テーブル作成・変更部１４２は、パック管理テーブル１１１に新たなレコードを作成し、電池パックの新規登録申請の際に受け付けた所有者ＩＤ、当該所有者の通信アドレスを、それぞれ、パック管理テーブル１１１（図４）に作成した新たなレコード中の所有者ＩＤ領域１１１ａ、所有者通信アドレス領域１１１ｅに格納する。さらに、ステップ１１で定めたパックＩＤをパックＩＤ領域１１１ｂに格納する。以上で、パック管理テーブル１１１に作成した新たなレコードへのデータ格納が終了する。なお、第二の形態での申請の場合、申請受付時に、アプリケーション装置の種類やパック通信アドレスを受け付けないので、パック管理テーブル１１１の新たなレコード中、アプリ種領域１１１ｃ及びパック通信アドレス領域１１１ｄは空欄である。
【０１０１】
テーブル作成・変更部１４２は、パック管理テーブル１１１への情報格納が終了すると（Ｓ１３ａ）、売買情報作成部１５２に、当該電池パックの通常買い情報を作成させ（Ｓ１４）、これを通常買い情報テーブル１１８に格納させる（Ｓ１５）。
【０１０２】
このように、電池パックの通常買い情報を作成して、これを通常買い情報テーブル１１８に格納するのは、この電池パックを、取引管理側が売却可能な電池パック、言い換えると、一般ユーザの買い対象となる電池パックとして管理するためである。
【０１０３】
テーブル作成・変更部１４２は、ステップ１４において、ステップ１０で受け付けた、電池パックに組み込まれている二次電池の電池タイプ、当該電池パックに組み込まれている二次電池の数、当該電池パックに組み込まれている全ての二次電池の製造番号、当該電池パックの売買価格、さらに、ステップ１１に定めたパックＩＤを、売買情報作成部１５２に渡す。
【０１０４】
売買情報作成部１５２は、通常買い情報テーブル１１８（図１１）に新たなレコードを作成し、このレコード中の電池タイプ領域１１８ｆ、構成電池数領域１１８ｇ、買い価格領域１１８ｉ、製造番号領域１１８pに、テーブル作成・変更部１４２から渡された、電池パックに組み込まれている二次電池の電池タイプ、当該電池パックに組み込まれている二次電池の数、当該電池パックの売買価格、当該電池パックに組み込まれている全ての二次電池の製造番号を格納する。さらに、売買情報作成部１５２は、通常買い情報テーブル１１８の新たなレコード中の対象パックＩＤ領域１１８ｄに、ステップ１１に定めたパックＩＤを格納すると共に、新たなレコード中の最小値領域１１８ｌに「１００」、中央値領域１１８ｍに「１００」、分散値領域１１８ｎに「−」を格納する。
【０１０５】
なお、通常買い情報テーブル１１８の買い価格領域１１８ｉに格納される価格は、テーブル作成・変更部１４２がステップ１０で受け付けた新品の電池パックの売買価格である。また、通常買い情報テーブル１１８の最小値領域１１８ｌ及び中央値領域１１８ｍに格納される値は、いずれも「１００」である。これは、当該電池パックが新品であり、この電池パックに組み込まれている全ての二次電池も新品で、これら性能値がいずれも新品に対する性能値「１００」であるからである。
【０１０６】
売買情報作成部１５２により、当該電池パックの買い情報の格納が終了すると（Ｓ１５）、テーブル作成・変更部１４２は、ステップ１１で定めたパックＩＤを通信制御部１６１に渡して、このパックＩＤを申請元の販売元等６のコンピュータ１６ｅへ送信させる（Ｓ１６）。以上で、電池パックの新規登録処理は終了する。
【０１０７】
テーブル作成・変更部１４２は、ステップ１２で、新規登録の申請受付時にアプリケーション装置の種類を受け付けた、つまり、前述の第一の形態での申請であると判断すると、パック管理テーブル１１１（図４）に新たなレコードを作成し、当該電池パックに関する情報を格納する（Ｓ１３ｂ）。
【０１０８】
テーブル作成・変更部１４２は、パック管理テーブル１１１（図４）に新たなレコードを作成し、電池パックの新規登録申請の際に受け付けた所有者ＩＤ、アプリケーション装置の種類、当該所有者の通信アドレスを、それぞれ、パック管理テーブル１１１に作成した新たなレコード中の所有者ＩＤ領域１１１ａ、アプリ種領域１１１ｂ、所有者通信アドレス領域１１１ｅに格納する。さらに、ステップ１１で定めたパックＩＤをパックＩＤ領域１１１ｂに格納する。以上で、パック管理テーブル１１１に作成した新たなレコードへのデータ格納が終了する。
【０１０９】
テーブル作成・変更部１４２は、各種テーブル作成等が終了すると（Ｓ１３ｂ）、ステップ１１で定めたパックＩＤを通信制御部１６１に渡して、このパックＩＤを申請元の販売元等６のコンピュータ１６ｅへ送信させる（Ｓ１６）。以上で、電池パックの新規登録処理は終了する。
【０１１０】
ところで、本実施形態では、電池パックの新規登録申請が第一の形態での申請、つまり、当該電池パックが既にアプリケーション装置に装着されている、又は特定のアプリケーション装置への装着が既に決まっている場合の申請では、電池パックの新規登録申請が第二の形態での申請のときのように、電池パックの買い情報の作成（Ｓ１４，１５）等の処理を行わない。これは、本実施形態における取引管理装置１００が、電池パック単独での売買に関与し、電池パックが装着されているアプリケーション装置の売買に直接関与しないからである。但し、電池パックが装着されているアプリケーション装置の売買があった場合、本実施形態では、図１８を用いて後述するように、この電池パックの所有者の変更処理が行われる。
【０１１１】
なお、以上では、テーブル作成・変更部１４２が、新規登録の申請受付時に、アプリケーション装置の種類を受け付けていない、つまり前述の第二の形態での申請であると判断すると、売買情報作成部１５２が、電池パックの通常買い情報を作成して、この通常買い情報を通常買い情報テーブルに格納しているが、売買情報作成部１５２は、この電池パックのオークション買い情報も作成して、このオークション買い情報をオークション買い情報テーブルに格納するようにしてもよい。
【０１１２】
次に、図１８に示すフローチャートに従って、アプリケーション装置と共に電池パックの所有者が変わった場合の処理について説明する。具体的には、電池パックを装着した状態でアプリケーション装置を販売する販売元等６が一般ユーザにこのアプリケーション装置を売った場合や、電池パックを装着した状態の中古のアプリケーション装置を転売する中古店等が、一般ユーザにこのアプリケーション装置を売った場合等に、以下の処理が実行される。このため、この所有者の変更申請は、電池パックを装着した状態でアプリケーション装置を販売する販売元や、電池パックを装着した状態の中古のアプリケーション装置を転売する中古店等が行う。
【０１１３】
取引管理装置１００のテーブル作成・変更部１４２は、常時、電池パックの所有者の変更申請を待っている（Ｓ２０）。
【０１１４】
この変更申請では、所有者の変更の旨のほか、旧所有者の所有者ＩＤ、新所有者の所有者ＩＤ、パックＩＤ、電池パックが組み込まれているアプリケーション装置の種類、この電池パックの状態情報の送信元の新通信アドレス（新パック通信アドレス）、新所有者の通信アドレス、売買情報の送信先の通信アドレスが新パック通信アドレスであるか新所有者の通信アドレスであるかの情報、を受け付ける。
【０１１５】
テーブル作成・変更部１４２は、まず、変更申請時に受け付けた旧所有者ＩＤを検索キーとして、パック管理テーブル１１１（図４）から旧所有者ＩＤのレコードを抽出する（Ｓ２１）。
【０１１６】
次に、テーブル作成・変更部１４２は、旧所有者ＩＤのレコード中のパックＩＤ及びアプリケーション装置の種類と、変更申請時に受け付けたパックＩＤ及びアプリケーション装置の種類とが一致するか否かを判断する（Ｓ２２）。テーブル作成・変更部１４２は、両者が一致しないと判断すると、通信制御部１６１により、申請元へ変更申請データを確認してほしい旨を送信させて（Ｓ２３）、一連の処理を終了する。
【０１１７】
また、テーブル作成・変更部１４２は、両者が一致すると判断すると、パック管理テーブル１１１の旧所有者ＩＤのレコード中の所有者ＩＤ領域１１１ａ、パック通信アドレス領域１１１ｄ、所有者通信アドレス領域１１１ｅ、売買情報送信先領域１１１ｆのデータを、変更申請時に受け付けた、新所有者の所有者ＩＤ、新パック通信アドレス、新所有者の通信アドレス、売買情報の送信先の通信アドレスが新パック通信アドレスであるか新所有者の通信アドレスであるかの情報に変更して（Ｓ２４）、一連の処理を終了する。
【０１１８】
次に、図１９に示すフローチャートに従って、リサイクル工場７から二次電池の廃棄完了の旨を受け付けた際の動作について説明する。
【０１１９】
リサイクル工場７のコンピュータ１６ｆは、図１４に示すプール電池情報テーブル１２３の状態領域１２３ｄを定期的に監視しており、プール電池情報テーブル１２３のいずれかのレコード中の状態領域１２３ｄが「２（廃棄）」になっていると、コンピュータ１６ｆの表示装置に、当該レコード中の製造番号の二次電池に関して廃棄依頼されている旨を表示する。
【０１２０】
なお、ここでは、リサイクル工場７のコンピュータ１６ｆが、プール電池情報テーブル１２３の状態領域１２３ｄを定期的に監視することで、二次電池の廃棄依頼を把握するようにしているが、取引管理装置１００が、プール電池情報テーブル１２３のいずれかのレコード中の状態領域１２３ｄを「２（廃棄）」にすると、取引管理装置１００自身が、この情報をリサイクル工場７のコンピュータ１６ｆへ送信するようにしてもよい。
【０１２１】
リサイクル工場７の作業員等は、この表示を見て、取引管理側から該当製造番号の二次電池を引き取って、この二次電池を分解し、この二次電池から各種金属材料等を取り出す。作業員等は、この二次電池に対する作業が終了すると、リサイクル工場７のコンピュータ１６ｆを使って、取引管理装置１００へ、二次電池の廃棄完了の旨を通知する。この際、この廃棄完了の旨と共に、廃棄完了した二次電池の製造番号も通知する。
【０１２２】
取引管理装置１００のテーブル作成・変更部１４２は、リサイクル工場７のコンピュータ１６ｆから、二次電池の廃棄完了の旨、及び廃棄完了した二次電池の製造番号を受け付けると（Ｓ３０で「ＹＥＳ」）、図１４に示すプール電池情報テーブル１２３中で、受け付けた製造番号に関する状態領域１２３に「２（廃棄）」が格納されているか否かを判断する。
【０１２３】
テーブル作成・変更部１４２は、プール電池情報テーブル１２３中で、受け付けた製造番号に関する状態領域１２３に「２（廃棄）」が格納されていないと判断すると、通信制御部１６１により、廃棄完了の通知元へ通知データを確認してほしい旨を送信させて（Ｓ３２）、一連の処理を終了する。
【０１２４】
また、テーブル作成・変更部１４２は、プール電池情報テーブル１２３中で、受け付けた製造番号に関する状態領域１２３に「２（廃棄）」が格納されていると判断すると、プール電池情報テーブル１２３中で、当該製造番号のレコードを削除する。次に、テーブル作成・変更部１４２は、当該製造番号を含むパック条件情報テーブル１１２（図５）を参照して、当該製造番号の二次電池を含んでいる電池パックのパックＩＤを取得した後、このパック条件情報テーブルを削除する。さらに、テーブル作成・変更部１４２は、パック管理テーブル１１１（図４）から、先に取得したパックＩＤを含むレコードを削除して（Ｓ３３）、一連の処理を終了する。
【０１２５】
ところで、ステップ３３では、廃棄完了した二次電池の製造番号を含むパック条件情報テーブル１１２を削除し、パック管理テーブル１１１から当該二次電池を含んでいる電池パックのパックＩＤを含むレコードを削除している。これは、該当二次電池に対して「２（廃棄）」が設定された時点で、いずれのユーザも該当二次電池を含んでいた電池パックを所有しておらず、この電池パックに関する情報を将来使用することがないからである。但し、廃棄された二次電池を含む電池パックに関する情報を、何らかの都合で収集する必要がある場合には、例えば、削除対象のテーブル等を別の記憶装置にコピーしておくとよい。
【０１２６】
次に、図２０及び図２１に示すフローチャートに従って、電池パックの状態監視及び売買価格の作成処理について説明する。取引管理装置１００は、アプリケーション装置が動作し、このアプリケーション装置に装着されている電池パックの二次電池が充放電を行っていると、このアプリケーション装置側と通信して、このアプリケーション装置に装着されている電池パックの状態監視を行う。さらに、取引管理装置１００は、実施した電池パックの状態監視結果に基づいて、当該アプリケーション装置に装着された電池パックの二次電池の売買価格等を含む売り情報の更新を行う。
【０１２７】
電池パックが装着されているアプリケーション装置が動作し、この電池パック内の二次電池が充放電を開始すると、図２に示す電池パック１１ａ（１１ｂ，１１ｃ，１１ｄ）内のＣＭＵ１３は、管理下の一以上の二次電池１２の端子間電圧、端子電流、端子電流の積算値等の各種状態値を取得し、これをＢＭＵ１４に送る。ＢＭＵ１４は、この電池パック１１ａ（１１ｂ，１１ｃ，１１ｄ）に接続されている通信可能な装置１７（１７，１６ｃ，１７ｄ）から、取引管理装置１００へ定期的に、当該電池パックに組み込まれている全ての二次電池の状態値を送信する。
【０１２８】
なお、ＢＭＵ１４が、通信可能な装置を介して、取引管理装置１００へ二次電池の状態値を送信する周期は、例えば、１０秒である。また、ＢＭＵ１４が、通信可能な装置を介して、取引管理装置１００へ送信するデータは、当該電池パックのパックＩＤ、当該電池パックに組み込まれている全ての二次電池の製造番号、各製造番号に関連付けた状態値である。
【０１２９】
取引管理装置１００の性能値取得部１４３が、通信制御部１６１を介して、いずれかの電池パックのパックＩＤと共に、当該電池パックに組み込まれている全ての二次電池の状態値を受付けると（Ｓ４０）、当該パックＩＤに関する状態値受信カウンタの値に「１」を加える（Ｓ４１）。
【０１３０】
性能値取得部１４３は、続いて、受信した各二次電池の状態値に基づいて、各二次電池の性能値を算出し、受信したパックＩＤのパック状態情報テーブル１１３（図６）に、この値を格納する（Ｓ４２）。この際、性能値取得部１４３は、パック状態情報テーブル１１３の各製造番号毎の時刻領域１１３ｅ、性能値領域１１３ｃ、変化係数領域１１３ｄのそれぞれに、新たなレコードを設け、新たなレコード中の時刻領域１１３ｅに、状態値を受信した時刻を格納し、新たなレコード中の性能値領域１１３ｃに、算出した性能値を格納する。
【０１３１】
ここで、二次電池の性能値の算出方法について簡単に説明する。
【０１３２】
二次電池は、その温度が高温になる程、使用によって変化する電池の性能を表す性能値の低下が促進される。言い換えると、その二次電池の劣化度が促進される。二次電池の温度は、二次電池の充放電電流と相関関係があるため、この充放電電流の積算値を用いることで、性能値を求めることができる。また、充放電電流の積算値は、電池パック内に、二次電池の端子電流を測定する電流計を設け、ＣＭＵ又はＢＭＵで、この電流計からの電流値を積算することで得ることができる。
【０１３３】
そこで、充放電電流の積算値等と性能値との関係を規定した関数を予め準備しておき、二次電池の状態値として、この充放電電流の積算値等を取得し、この積算値等を関数に入力すれば、当該二次電池の性能値を求めることができる。
【０１３４】
なお、以上の方法は、特開２００６−１９７７６５号公報に開示されている方法であるが、さらに、二次電池の状態値として、二次電池の起動時間の積算値や、二次電池の起動回数の積算値を取得し、充放電電流の積算値、起動時間の積算値、起動回数の積算値のそれぞれに、適宜重みを付けて、当該二次電池の性能値を求めるようにしてもよい。
【０１３５】
また、二次電池は、その劣化が進行すると、二次電池に特定の充放電電流を与えたときの電流波形に対する電圧波形の位相差が大きくなると共に、電流変動幅に対する電圧変動幅も大きくなる。そこで、電流波形に対する電圧波形の位相差、及び電流変動幅に対する電圧変動幅と、性能値との関係を規定した関数を予め準備しておき、二次電池の状態値として、二次電池に特定の充放電電流を与えた際の以上の位相差や電圧変動幅を取得し、これらの値を関数に入力すれば、当該二次電池の性能値を求めることができる。
【０１３６】
以上のように、二次電池の性能値の求め方は、各種方法があり、本発明では、いずれの方法で二次電池の性能値を求めてもよい。
【０１３７】
また、本実施形態では、性能値取得部１４３が、電池パック側からの二次電池の状態値を受け付け、この状態値に基づいて、二次電池の性能値を取得しているが、電池パックのＣＭＵ又はＢＭＵが二次電池の状態値に基づいて、この二次電池の性能値を求め、性能値取得部１４３が、電池パック側からこの性能値を取得するようにしてもよい。
【０１３８】
性能値取得部１４３が各二次電池の性能値を算出すると（Ｓ４２）、変化傾向算出部１４６は、各二次電池の性能値に関して、単位期間当りの性能値変化量を算出し、これを性能値の変化係数として、パック状態情報テーブル１１３の新たに作成されたレコード中の変化係数領域１１３ｄに格納する（Ｓ４３）。
【０１３９】
この性能値の変化係数を求める方法としては、例えば、性能値を取得した時点から特定期間前の性能値を取得し、両性能値の差を特定期間で割る方法がある。そのほか、特定期間中の性能値に関して、平均二乗法で直線近似し、この直線の傾きを変化係数とする方法等もある。
【０１４０】
各二次電池の性能値の変化係数が算出されると（Ｓ４３）、性能値取得部１４３は、ステップ４０で受け付けた各二次電池の状態値のうちで、いずれかが異常であるか否かを、予め定められている閾値に基づいて判断する（Ｓ４４）。
【０１４１】
性能値取得部１４３は、各二次電池の状態値のうちで、いずれかの二次電池のいずれかの状態値が異常であると判断すると、通信制御部１６１を介して、この状態値の送信元に、電池パック異常を通知し（Ｓ４５）、一連の処理を終了する。
【０１４２】
ここで、状態値の送信元の通信アドレスは、パック管理テーブル１１１のパック通信アドレス領域１１１ｄに格納されている通信アドレスである。この通信アドレスの装置が、取引管理装置１００から電池パック異常を受信すると、この装置に接続されているディスプレイに、電池パック異常が表示される。具体的には、例えば、パック通信アドレス領域１１１ｄに格納されている通信アドレスが、図２に示す無線通信装置１７の通信アドレスである場合、この無線通信装置１７は、取引管理装置１００から、当該自動車１０ａに装着されている電池パック１１ａが異常である旨を受信する。ＥＣＵ２０は、この異常である旨の通知を受けて、ＥＣＵ２０に接続されているモニタ２１のディスプレイに、電池パック異常を表示させる。
【０１４３】
なお、二次電池異常は、当該二次電池が組み込まれている電池パックのＢＭＵ又はＣＭＵでも認識できるので、この電池パック異常の通知は、ダブルセーフティーの観点から行われる。
【０１４４】
性能値取得部１４３は、ステップ４４で、いずれの二次電池のいずれの状態値も異常でないと判断すると、いずれの二次電池の性能値も、当該二次電池が電池パックとして装着されているアプリケーション装置で性能値として許容される許容性能値以上であるか否かを判断する（Ｓ４６）。この際、性能値取得部１４３は、当該電池パックのパック条件情報テーブル１１２（図５）の許容性能値領域１１２ｅから許容性能値を取得する。
【０１４５】
性能値取得部１４３は、いずれかの二次電池の性能値が許容性能値以上でないと判断すると、状態値に送信元に、通信制御部１６１を介して、性能劣化により電池パックは、当該アプリケーション装置に対して使用限界である旨を通知し（Ｓ４７）、ステップ４８に進む。また、性能値取得部１４３は、いずれの二次電池の性能値も許容性能値以上であると判断すると、直ちに、ステップ４８に進む。
【０１４６】
性能値取得部１４３は、ステップ４８で、状態値受信カウンタの値が予め定められた値「Ｃ」であるか否かを判断する。ここで、この「Ｃ」の値は、例えば、１週間の間に、当該パックＩＤの状態値を受信する回数である。
【０１４７】
状態値受信カウンタの値が予め定められた値「Ｃ」に至っていない場合には、一連の処理を終了する。また、状態値受信カウンタの値が予め定められた値「Ｃ」である場合には、売り価格算出部１４５により、当該電池パックの売り価格が算出されると共に、パック再構築部１５１により、当該電池パックに組み込まれている複数の二次電池のうち、少なくとも１個の二次電池を用いた新たな電池パックの再構築が行われる（図２１、Ｓ５０）。ここで、算出される売り価格は、通常売り価格とオークション売り価格で、再構築される新たな電池パックは、通常売買用とオークション売買用で、これらの情報は、売り情報テーブル１１７，１２１に格納される。なお、この売り価格の算出及び新たな電池パックの再構築方法に関しては、後ほど詳細に説明する。
【０１４８】
売り価格の算出処理及びパック再構築処理（Ｓ５０）が終了すると、将来売り価格予測部１４８は、ステップ５０で算出された通常売り価格及びオークション売り価格と、当該電池パックのパック状態情報テーブル１１３の変化係数領域１１３ｄに格納されている変化係数と、を用いて、将来の通常売り価格及び将来のオークション売り価格を算出する（Ｓ５１）。なお、この将来の通常売り価格及び将来のオークション売り価格の算出方法についても、後ほど詳細に説明する。
【０１４９】
将来の売り価格算出処理（Ｓ５１）が終了すると、売買情報作成部１５２は、表示用通常売り情報、表示用オークション売り情報、表示用通常買い情報、及び表示用オークション買い情報を作成する（Ｓ５２）。
【０１５０】
この際、売買情報作成部１５２は、当該電池パックに関して、過去の通常用及びオークション用の売り価格、ステップ５０で求められた通常用及びオークション用の売り価格と、ステップ５１で求められた通常用及びオークション用の将来の売り価格とを用いて、図３２及び図３３の売り情報領域３５ａ，３５ｂ内に示されているように、過去から現在、現在から将来の通常用及びオークション用の売り価格の変動を示すグラフ３６ａ，３６ｂを含む表示用売り情報を作成する。
【０１５１】
また、売買情報作成部１５２は、当該電池パックのパック条件情報テーブル１１２（図５）から、当該電池パックのパック条件（電池タイプ、構成電池数、許容性能値）を認識し、通常買い情報テーブル１１８（図１１）から、このパック条件を満たす全てのレコードを抽出し、このレコード中のデータを用いて、当該電池パックの所有者に対する表示用通常買い情報を作成する。この表示用通常買い情報には、図３２の通常買い情報領域４０ａ内に示されているように、抽出したレコード中のパックＩＤ、性能値の各種統計値、通常買い価格を含んでいる。
【０１５２】
さらに、売買情報作成部１５２は、オークション買い情報テーブル１２２（図１３）から、当該電池パックのパック条件を満たす全てのレコードを抽出し、このレコード中のデータを用いて、当該電池パックの所有者に対する表示用オークション買い情報を作成する。この表示用オークション買い情報にも、通常買い情報と同様、図３３のオークション買い情報領域４０ｂ内に示されているように、抽出したレコード中のパックＩＤ、性能値の各種統計値、オークション買い参考価格、さらに、当該パックＩＤの電池パックの入札期間を含んでいる。
【０１５３】
売買情報作成部１５２は、複数の入札情報テーブル１２５（図１６）のうちで、先に抽出したレコード中のパックＩＤを含む入札情報テーブル１２５があれば、この入札情報テーブル１２５の入札開始領域１２５ｃに格納されている入札開始日時、及び入札終了領域１２５ｄに格納されている入札終了日時を取得し、これらの日時を当該パックＩＤの電池パックの入札期間とする。
【０１５４】
売買情報作成部１５２による売買情報の作成処理（Ｓ５２）が終了すると、入札管理部１５４は、売買情報作成部１５２が作成した表示用オークション買い情報中に、入札期間が設定されていない新たな電池パックの情報が含まれているか否かを判断する（Ｓ５３）。
【０１５５】
入札管理部１５４は、入札期間が設定されていない新たな電池パックの情報が含まれていると判断すると、この電池パックに関する入札情報テーブル１２５（図１６）を作成する（Ｓ５４）。
【０１５６】
入札管理部１５４は、この入札情報テーブル１２５の対象パックＩＤ領域１２５ａに、新たな電池パックのパックＩＤを格納し、自動延長フラグ領域１２５ｂに「１（自動延長）」を格納し、入札開始領域１２５ｃに、当該表示用オークション買い情報をユーザに送信する予定の日時を格納し、入札終了領域１２５ｄに、この日時から所定期間後（例えば、１週間後）の日時を格納する。なお、ここでは、ユーザへ、新たな電池パックに関する表示用オークション買い情報を送信する日時を入札開始領域１２５ｃに格納する関係で、この新たな電池パックの入札開始は、当該表示用オークション買い情報を初めてユーザ側に送信するときとなる。
【０１５７】
入札管理部１５４は、新たな電池パックに関する入札情報テーブル１２５を作成すると（Ｓ５４）、先に作成された表示用オークション買い情報中の新たな電池パックに関する情報に、入札開始日時及び入札終了日時を追加して（Ｓ５５）、ステップ５６に進む。
【０１５８】
また、入札管理部１５４は、ステップ５３で、入札期間が設定されていない新たな電池パックの情報が含まれていないと判断すると、直ちにステップ５６に進む。
【０１５９】
ステップ５６では、売買情報提供部１５３がステップ５２及びステップ５５で作成された表示用売買情報を通信制御部１６１に渡して、この表示用売買情報を電池パックの状態値の送信元等に送信させる。
【０１６０】
ここで、電池パックの状態値の送信元等とは、パック管理テーブル１１１中で、当該電池パックのパックＩＤが格納されているレコードにおいて、売買情報送信先領域１１１ｆに、「所有者」が格納されている場合には、当該レコード中の所有者通信アドレス領域１１１ｅに格納されている所有者通信アドレスの装置であり、売買情報送信先領域１１１ｆに、「パック」が格納されている場合には、当該レコード中のパック通信アドレス領域１１１ｅに格納されているパック通信アドレスの装置である。
【０１６１】
例えば、図１において、自動車１ａに装着されている電池パック１１ａに関する状態値の送信元は、無線通信装置１７である。仮に、パック管理テーブル１１１中で、この電池パック１１ａに関するレコードにおいて、売買情報送信先領域１１１ｆに、「パック」が格納されている場合には、当該レコード中のパック通信アドレス領域１１１ｄに格納されている通信アドレスの上記無線装置１７へ、当該電池パック１１ａの表示用売買情報が送信される。この表示用売買情報は、無線通信装置１７から、図２に示すＥＣＵ２０により、このＥＣＵ２０に接続されているモニタ２１のディスプレイに表示される。
【０１６２】
また、自動車1ｂに装着されている電池パック１１ｂに関する状態値の送信元は、無線通信装置１７である。仮に、パック管理テーブル１１１中で、この電池パック１１ｂに関するレコードにおいて、売買情報送信先領域１１１ｆに、「所有者」が格納されている場合には、当該レコード中の所有者通信アドレス領域１１１ｅに格納されている通信アドレスのコンピュータ１６ｂへ、当該電池パック１１ｂの表示用売買情報が送信される。この表示用売買情報は、このコンピュータ１６ｂのディスプレイに表示される。
【０１６３】
表示用売買情報が送信されると、性能値取得部１４３は、状態値受信カウンタの値をクリアして、一連の処理を終了する。
【０１６４】
ところで、電池パックの売買価格は、当該電池パックが異常にならない限り、基本的に、短期間（例えば、１〜２週間）のうちに大きく変動することはない。また、電池パックの売買価格の算出は、取引管理装置１００の負荷になる。このため、本実施形態では、状態値が送られてくる毎（例えば、１０秒毎）に、状態値受信カウンタの値をカウントアップし、このカウンタ値が例えば一週間分のカウンタ値（Ｃ）になったときに（Ｓ４８で「ＹＥＳ」）、電池パックの売買価格を算出するようにしている。
【０１６５】
次に、図３２及び図３３を用いて、売買情報の表示画面の内容について説明する。なお、この表示画面は、前述したように、一般ユーザ側のディスプレイに表示される画面である。
【０１６６】
図３２に示すように、通常売買情報の表示画面３０ａには、表示内容の名称が示されている表示内容領域３１ａと、状態値の送信元のユーザが所有している電池パックのパック条件が示されているパック条件領域３４と、通常売り情報が示されている通常売り情報領域３５ａと、通受買い情報が示されている通常買い情報領域４０ａと、実行ボタン５０とが表示される。
【０１６７】
表示内容領域３１ａには、「通常売買情報」３２ａ及び「オークション売買情報」３３ａの両方が表示され、通常売買情報の表示画面３０ａでは、「通常売買情報」３２ａが明瞭に表示され、「オークション売買情報」３３ａが不明瞭に表示される。
【０１６８】
パック条件領域３４には、パック条件として、ユーザが所有している電池パックに組み込まれている二次電池の電池タイプ、当該電池パックの構成電池数、当該二次電池の許容性能値が表示される。
【０１６９】
通常売り情報領域３５ａには、過去から将来にかけての通常売り価格の変動を示すグラフ３６ａと、ユーザが所有する電池パックを取引管理側に売る旨の意思表示するための売りボタン３９ａと、が表示される。
【０１７０】
グラフ３６ａは、横軸を時間、縦軸を通常売り価格としたグラフである。このグラフの横軸には、現在の位置が示され、縦軸には、現在の通常売り価格が示されている。
【０１７１】
ここで、電池パックの売買価格の変動傾向について説明する。電池パックの売買価格は、時間の経過に伴ってリニアに減少せず、特定の時点が経過する毎に、時間経過に伴う価格の減少傾向が大きくなる傾向がある。
【０１７２】
仮に、電池タイプＡの二次電池は、自動車に搭載される場合、その許容性能値が８０で、風車の蓄電装置に搭載される場合、その許容性能値が５０で、一般家庭の蓄電装置に搭載される場合、その許容値が２０であるとする。電池タイプＡの二次電池は、性能値が自動車に対する許容値８０を下回ると、自動車への搭載が適さなくなるため、自動車所有のユーザは、性能値が８０を下回った二次電池を購入しようとは思わない。このため、性能値８０を前後にして、需要者が急激に少なくなるので、二次電池の価格の減少傾向が変化する。同様に、風車の蓄電装置に対する許容性能値５０を前後にしても、一般家庭の蓄電装置に対する許容性能値２０を前後にしても、二次電池の価格の減少傾向が変化する。
【０１７３】
このため、この二次電池は、性能値が８０になった時点、性能値が５０になった時点、性能値が２０になった時点で、時間経過に伴う価格の減少傾向が変化する。
【０１７４】
上記グラフ３６ａは、以上で説明した価格の変動傾向を反映したものになっている。仮に、当該電池パックの通常売り価格が近い将来、急激に低下するグラフになっていれば、このグラフを見たユーザは、現時点が電池パックの売り時であると認識することができる。このため、本実施形態では、過去から現在、現在から将来にかけての通常売り価格の変動を示すグラフ３６ａを表示している。
【０１７５】
通常買い情報領域４０ａには、ユーザが所有している電池パックのパック条件を満たし、且つ当該ユーザが取引管理側から購入することができる電池パックに関するテーブル４１ａが表示される。
【０１７６】
このテーブル４１ａには、ユーザが所有している電池パックのパック条件を満たし、且つ当該ユーザが取引管理側から購入することができる電池パックのパックＩＤが格納されているパックＩＤ領域４２ａと、当該電池パックに組み込まれている複数の二次電池の各性能値のうちで最小の性能値が格納されている最小値領域４３ａと、複数の二次電池の各性能値の中央値が格納されている中央値領域４４ａと、複数の二次電池の各性能値の分散値が格納されている分散値領域４５ａと、当該電池パックの通常買い価格が格納されている価格領域４６ａと、当該電池パックを買う旨の意思表示をするためのチェックボックスが格納されているチェックボックス領域４７ａと、が設けられている。
【０１７７】
ユーザは、この通常売買情報の表示画面３０ａを見て、当該ユーザが所有している電池バックを売りたいと判断した場合には、売りボタン３９ａをクリックする。この売りボタン３９ａがクリックされると、この表示画面３０ａ中に、例えば、「購入を希望する電池パックのチェックボックスをクリックして下さい。」等が表示される。そこで、ユーザは、通常買い情報領域４０ａ内のいずれかのチェックボックスをクリックする。チェックボックがクリックされると、例えば、この表示画面４０ａ中に、例えば、「所有している電池パックを売って、指定した電池パックを買いたい場合には、実行ボタンを押して下さい。」等が表示される。そこで、ユーザは、実行ボタン５０をクリックすると、所有している電池パックのパックＩＤ、及びこの電池パックを売る旨、さらに、買い指定したパックＩＤ、及び当該パックＩＤの電池パックを買う旨が、取引管理装置１００へ送信される。
【０１７８】
また、ユーザは、この通常売買情報の表示画面３０ａを見て、通常買い情報領域４０ａに表示されているいずれかの電池パックを購入したいと判断した場合、この電池パックに対するチェックボックをクリックする。チェックボックスがクリックされると、この表示画面３０ａ中に、例えば、「所有している電池パックを売ることになります。所有している電池パックを売って、指定した電池パックを買いたい場合には、実行ボタンを押してください。」等が表示される。そこで、ユーザは、実行ボタン５０をクリックすると、前述の場合と同様、所有している電池パックのパックＩＤ、及びこの電池パックを売る旨、さらに、買い指定したパックＩＤ、及び当該パックＩＤの電池パックを買う旨が、取引管理装置１００へ送信される。
【０１７９】
ところで、ユーザが所有している電池パックを売る場合には、新たな電池パックを購入する必要性が生じ、ユーザが電池パックを購入する場合には、必ず、このユーザが所有している電池パックは不要になる。このため、本実施形態では、ユーザによる電池パックの売りと買いとをリンクさせるようにしている。
【０１８０】
ユーザは、オークション売買情報を見たい場合、通常売買情報表示画面３０ａの表示内容領域３１ａ内の「オークション売買情報」３２ａをクリックする。このクリックにより、ユーザ側のディスプレイには、図３３に示すように、オークション売買情報の表示画面３０ｂが表示される。
【０１８１】
この通常売買情報の表示画面３０ｂには、表示内容の名称が示されている表示内容領域３１ｂと、状態値の送信元のユーザが所有している電池パックのパック条件が示されているパック条件領域３４と、オークション売り情報が示されているオークション売り情報領域３５ｂと、オークション買い情報が示されているオークション買い情報領域４０ｂと、実行ボタン５０とが表示される。
【０１８２】
表示内容領域３１ｂには、「通常売買情報」３２ｂ及び「オークション売買情報」３３ｂの両方が表示され、通常売買情報の表示画面３０ｂでは、「通常売買情報」３２ｂが不明瞭に表示され、「オークション売買情報」３３ｂが明瞭に表示される。
【０１８３】
パック条件領域３４には、通常売買情報の表示画面３１ａの場合と同様、パック条件として、ユーザが所有している電池パックに組み込まれている二次電池の電池タイプ、当該電池パックの構成電池数、当該二次電池の許容性能値が表示される。
【０１８４】
オークション売り情報領域３５ｂには、過去から将来にかけてのオークション売り価格の変動を示すグラフ３６ｂと、ユーザが所有する電池パックを取引管理側に売る旨の意思表示するための売りボタン３９ｂと、が表示される。
【０１８５】
グラフ３６ｂは、横軸を時間、縦軸をオークション売り価格としたグラフである。このグラフの横軸には、現在の位置が示され、縦軸には、現在のオークション売り価格が示されている。将来のオークション売り価格は、後述するように、現時点におけるパック内の二次電池の性能値の変化係数と、この変化係数から推定される将来の性能値に対応する複数の実績オークション価格によって求められている。このため、本実施形態では、ユーザの利便性を考慮し、将来の性能値に対応する複数の実績オークション価格の平均値を、将来のオークション平均売り価格３７ａとして表示し、複数の実績オークション価格のうちの最小値を、将来のオークション最小売り価格３７ｂとして表示し、複数の実績オークション価格のうちの最大値を、将来のオークション最大売り価格３７ｃとして表示している。
【０１８６】
オークション買い情報領域４０ｂには、ユーザが所有している電池パックのパック条件を満たし、且つ当該ユーザが取引管理側からオークションで購入することができる電池パックに関するテーブル４１ｂと、オークションで電池パックを購入する際の入札価格を入力する入札価格入力領域４９と、が表示される。
【０１８７】
このテーブル４１ｂには、ユーザが所有している電池パックのパック条件を満たし、且つ当該ユーザが取引管理側からオークションで購入することができる電池パックのパックＩＤが格納されているパックＩＤ領域４２ｂと、当該電池パックに組み込まれている複数の二次電池の各性能値のうちで最小の性能値が格納されている最小値領域４３ｂと、複数の二次電池の各性能値の中央値が格納されている中央値領域４４ｂと、複数の二次電池の各性能値の分散値が格納されている分散値領域４５ｂと、当該電池パックのオークション買い参考価格が格納されている価格領域４６ｂと、当該電池パックを買う旨の意思表示をするためのチェックボックスが格納されているチェックボックス領域４７ｂと、当該電池パックの入札期間が格納されている入札期間領域４８ｂとが設けられている。
【０１８８】
ユーザは、このオークション売買情報の表示画面３０ｂを見て、当該ユーザが所有している電池バックを売りたいと判断した場合には、売りボタン３９ｂをクリックする。この売りボタン３９ｂがクリックされると、この表示画面３０ｂ中に、例えば、「オークションで購入を希望する電池パックのチェックボックスをクリックすると共に、この電池パックの入札価格を入力して下さい。」等が表示される。そこで、ユーザは、オークション買い情報領域４０ｂ内のいずれかのチェックボックスをクリックする共に、入札価格を入力する。チェックボックがクリックされ、入札価格が入力されると、例えば、この表示画面４０ｂ中に、例えば、「所有している電池パックを売って、指定した電池パックをオークションで買いたい場合には、実行ボタンを押して下さい。」等が表示される。そこで、ユーザは、実行ボタン５０をクリックすると、所有している電池パックのパックＩＤ、及びこの電池パックをオークション対象にして売る旨、さらに、買い指定したパックＩＤ、その入札価格、及び当該パックＩＤの電池パックをオークションで買う旨が、取引管理装置１００へ送信される。
【０１８９】
また、ユーザは、このオークション売買情報の表示画面３０ｂを見て、オークション買い情報領域４０ｂに表示されているいずれかの電池パックを購入したいと判断した場合、この電池パックに対するチェックボックをクリックすると共に、この電池パックの入札価格を入力する。チェックボックスがクリックされ、この電池パックの入札価格が入力されると、この表示画面３０ｂ中に、例えば、「所有している電池パックを売ることになります。所有している電池パックを売って、指定した電池パックをオークションで買いたい場合には、実行ボタンを押してください。」等が表示される。そこで、ユーザは、実行ボタン５０をクリックすると、前述の場合と同様、所有している電池パックのパックＩＤ、及びこの電池パックをオークション対象にして売る旨、さらに、買い指定したパックＩＤ、その入札価格、及び当該パックＩＤの電池パックをオークションで買う旨が、取引管理装置１００へ送信される。
【０１９０】
ところで、ユーザが所有している電池パックのパック条件を満たすオークション対象の電池パックが存在しない場合がある。このような場合、オークション売買情報の表示画面３０ｂには、オークション売り情報は表示されるものの、オークション買い情報は表示されない。この場合、ユーザがオークション売り情報領域３５ｂ内の売りボタン３９ｂをクリックすると、この表示画面３０ｂ中に、例えば、「通常売買情報を見て、購入を希望する電池パックのチェックボックスをクリックして下さい。」等が表示される。そこで、ユーザは、まず、この表示画面３０ｂ内の「通常売買情報」３２ｂをクリックする。このクリックにより、ディスプレイには、通常売買情報の表示画面３０ａ（図３２）が表示される。そして、ユーザは、この表示画面３０ａの通常買い情報領域４０ａ内のいずれかのチェックボックスをクリックする。チェックボックがクリックされると、例えば、この表示画面４０ａ中に、例えば、「所有している電池パックをオークション対象として売って、指定した電池パックを買いたい場合には、実行ボタンを押して下さい。」等が表示される。そこで、ユーザは、実行ボタン５０をクリックすると、所有している電池パックのパックＩＤ、及び電池パックをオークション対象として売る旨、さらに、買い指定したパックＩＤ、及び当該パックＩＤの電池パックを買う旨が、取引管理装置１００へ送信される。
【０１９１】
次に、図２２〜図２５に示すフローチャートに従って、図２０のステップ５０における通常売り価格の算出、及びパック再構築処理の詳細内容について説明する。
【０１９２】
パック再構築部１５１は、図９に示すパック条件ランキングテーブル１１６のうちから、図２０のステップ４０で受け付けたパックＩＤの電池パック（以下、対象パックとする）に組み込まれている二次電池の電池タイプに合ったパック条件ランキングテーブル１１６を選ぶ。そして、このパック条件ランキングテーブル１１６から、未選択で最上位のパック条件を選択する（Ｓ５０１）。この場合、最初のパック条件の選択であるため、図９に示すパック条件ランキングテーブル１１６から、ランキング「１」のパック条件、つまり、許容性能値Ｓｐ「８０」、構成電池数Ｎ０「１００」を選択する。
【０１９３】
次に、パック再構築部１５１は、対象パックに関するパック状態情報テーブル１１３（図６）中の各二次電池の最新性能値のうちから、未抽出のＭａｘ性能値を抽出する（Ｓ５０２）。仮に、ここで抽出した性能値は「８４」であるとする。なお、当該ステップ５０２を含め、以下の各ステップにおける性能値の抽出では、いずれの二次電池の性能値であるかを認識する必要性から、該性能値と関連付けられている製造番号も併せて抽出する。
【０１９４】
次に、パック再構築部１５１は、ステップ５０２で抽出したＭａｘ性能値が、ステップ５０２で抽出した許容性能値Ｓｐより大きいか否かを判断する（Ｓ５０３）。Ｍａｘ性能値の方が大きければ、ステップ５０４に進み、Ｍａｘ性能値が大きくなければ、ステップ５３１に進む。この場合、Ｍａｘ性能値が「８４」であり、許容性能値Ｓｐが「８０」で、Ｍａｘ性能値の方が大きいので、ステップ５０４に進む。
【０１９５】
ステップ５３１に進んだ場合、パック再構築部１５１は、ステップ５０２で抽出したＭａｘ性能値を未抽出扱いする。そして、パック再構築部１５１は、ステップ５３５（図２５）で、図９に示すパック条件ランキングテーブル１１６から全てのパック条件を選択したか否かを判断する。全てのパック条件を選択していなければ、ステップ５０１に戻り、再び、パック条件ランキングテーブル１１６から、未選択で最上位のパック条件を選択する。この場合、パック条件ランキングテーブル１１６から、ランキング「１」のパック条件を選択しているので、ランキング「２」のパック条件を選択する。次に、パック再構築部１５１は、ステップ５０２で、パック状態情報テーブル１１３中の各二次電池の最新性能値のうちから、未抽出のＭａｘ性能値を抽出する。この場合、先のステップ５０２で抽出したＭａｘ性能値が、ステップ５３１の処理で未抽出扱いになっているので、先のステップ５０２で抽出したＭａｘ性能値を再び抽出し、ステップ５０３の判断処理を行う。
【０１９６】
すなわち、ステップ５０１，５０３，５３１，５３５のループは、パック条件として、パック状態情報テーブル１１３中のＭａｘ性能値が適合するパック条件を選択するための処理である。
【０１９７】
パック再構築部１５１は、ステップ５０３で、Ｍａｘ性能値が許容性能値Ｓｐより大きいと判断し、ステップ５０４に進むと、ここで、抽出数カウンタのカウンタ値Ｎを「１」に設定する。
【０１９８】
次に、パック再構築部１５１は、対象パックに関するパック状態情報テーブル１１３（図６）の各二次電池の最新の性能値の全てが抽出済みか否かを判断する（５０５）。最新の性能値の全てが抽出済みであると判断すると、ステップ５２０（図２４）へ進み、最新の性能値の全てが抽出済みでないと判断すると、ステップ５０６に進む。この場合、対象パックに関するパック状態情報テーブル１１３（図６）の各二次電池の最新の性能値のうちから、いずれの性能値も抽出していないので、ステップ５０６に進む。
【０１９９】
パック再構築部１５１は、ステップ５０６で、対象パックに関するパック状態情報テーブル１１３（図６）の各二次電池の最新の性能値のうちから、Ｍａｘ性能値に最も近い未抽出の性能値を抽出する。仮に、ここで抽出した性能値は「８３」であるとする。
【０２００】
次に、パック再構築部１５１は、ステップ５０５で抽出した性能値が許容性能値Ｓｐより大きいか否かを判断すると共に、この性能値が（Ｍａｘ−Ａ）性能値以上であるか否かを判断する（Ｓ５０７）。この性能値が許容性能値Ｓｐより大きく且つ（Ｍａｘ−Ａ）性能値以上である場合には、ステップ５０８に進み、この性能値が許容性能値Ｓｐより大きくない又は（Ｍａｘ−Ａ）性能値以上でない場合には、ステップ５２０（図２４）に進む。
【０２０１】
ここで、予め定められた偏差Ａが「３」であるとすると、ステップ５０６で抽出した性能値が「８３」であるため、ステップ５０７では、この性能値「８３」は、許容性能値Ｓｐ「８０」より大きく且つ（Ｍａｘ−Ａ）性能値「８１（＝８４−３）」以上であると判断され、ステップ５０８に進む。
【０２０２】
ステップ５０８で、パック再構築部１５１は、抽出数カウンタのカウンタ値Ｎに「１」を加える。
【０２０３】
次に、パック再構築部１５１は、抽出数カウンタのカウンタ値Ｎが、ステップ５０２で抽出した構成電池数Ｎ０と等しいか否かを判断する（Ｓ５０９）。両者が等しいと判断された場合には、ステップ５０１で抽出したパック条件を満たす電池パックを構築できたとして、ステップ５１０（図２３）へ進む。また、両者が等しくないと判断された場合には、ステップ５０５に戻る。この場合、カウンタタ値Ｎが「２」であり、構成電池数Ｎ０が「１００」であるため、両者は等しくないと判断されて、ステップ５０５に戻る。
【０２０４】
以下、ステップ５０７で「ＮＯ」と判断される、つまり、抽出性能値が許容性能値Ｓｐより大きくない又は（Ｍａｘ−Ａ）性能値以上でないと判断されるか、ステップ５０９で「ＹＥＳ」と判断される、つまり、抽出数カウンタのカウンタ値Ｎが構成電池数Ｎ０と等しいと判断されるまで、ステップ５０５〜ステップ５０９の処理が繰り返される。
【０２０５】
仮に、抽出数カウンタのカウンタ値Ｎが「２５」になり、ステップ５０６で、パック状態情報テーブル１１３（図６）から２６個目の性能値を抽出し、この性能値が「８０」であるとする。この場合、ステップ５０７では、この性能値「８０」は、許容性能値Ｓｐ「８０」より大きくない、さらに、（Ｍａｘ−Ａ）性能値「８１（＝８４−３）」以上でないと判断され、ステップ５２０（図２４）に進む。
【０２０６】
ステップ５２０で、パック再構築部１５１は、図１４に示すプール電池情報テーブル１２３から、状態領域１２３ａに「０（通常プール）」が格納され、Ｍａｘ性能値以下で、このＭａｘ性能値に最も近い未抽出の性能値を抽出する。仮に、ここで抽出した性能値は「８３」であるとする。なお、このステップ５２０で、性能値を抽出できない場合には、ステップ５２２に進む。
【０２０７】
以下、パック再構築部１５１は、前述のステップ５０７，５０８，５０９と同様の処理をステップ５２１，５２３，５２４で実行する。
【０２０８】
すなわち、パック再構築部１５１は、ステップ５２１で、ステップ５２０で抽出した性能値が許容性能値Ｓｐより大きいか否かを判断すると共に、この性能値が（Ｍａｘ−Ａ）性能値以上であるか否かを判断する。そして、この性能値が許容性能値Ｓｐより大きく且つ（Ｍａｘ−Ａ）性能値以上であると判断すると、ステップ５２３で、抽出数カウンタのカウンタ値Ｎに「１」を加える。次に、ステップ５２４で、抽出数カウンタのカウンタ値Ｎが、ステップ５０２で抽出した構成電池数Ｎ０と等しいか否かを判断する。そして、両者が等しくないと判断した場合には、ステップ５２０に戻る。
【０２０９】
この場合、ステップ５２０で抽出した性能値が「８３」であるため、ステップ５２１で、この性能値「８３」は、許容性能値Ｓｐ「８０」より大きく且つ（Ｍａｘ−Ａ）性能値「８１（＝８４−３）」以上であると判断され、ステップ５２３に進む。そして、ステップ５２３で、抽出数カウンタのカウンタ値Ｎに「１」を加えられて、カウンタ値Ｎが「２６」になる。次に、ステップ５２４で、抽出数カウンタのカウンタ値Ｎ「２６」が、ステップ５０２で抽出した構成電池数Ｎ０「１００」と等しくないと判断され、ステップ５２０に戻る。
【０２１０】
以下、ステップ５２１で「ＮＯ」と判断される、つまり、抽出性能値が許容性能値Ｓｐより大きくない又は（Ｍａｘ−Ａ）性能値以上でないと判断されるか、ステップ５２４で「ＹＥＳ」と判断される、つまり、抽出数カウンタのカウンタ値Ｎが構成電池数Ｎ０と等しいと判断されるまで、ステップ５２０〜ステップ５２４の処理が繰り返される。
【０２１１】
仮に、抽出数カウンタのカウンタ値Ｎが「９９」になってから、ステップ５２０で、プール電池情報テーブル１２３から抽出した性能値が「８２」である場合、ステップ５２１では、この性能値「８２」は、許容性能値Ｓｐ「８０」より大きく且つ（Ｍａｘ−Ａ）性能値「８１（＝８４−３）」以上であると判断される。次に、ステップ５２３で、抽出数カウンタのカウンタ値Ｎに「１」を加えられて、カウンタ値Ｎが「１００」になる。そして、ステップ５２４で、抽出数カウンタのカウンタ値Ｎ「１００」が、構成電池数Ｎ０「１００」と等しいと判断される。
【０２１２】
パック再構築部１５１は、ステップ５２４で「ＹＥＳ」、つまり、抽出数カウンタのカウンタ値Ｎが構成電池数Ｎ０と等しい、と判断すると、ステップ５０１で抽出したパック条件を満たす電池パックを構築できたとして、ステップ５２５に進み、抽出数カウンタのカウンタ値Ｎを「０」にクリアする。
【０２１３】
すなわち、パック再構築部１５１は、以上の処理で、図３４に示すように、対象パック５０から、性能値が８４〜８１の二次電池を２５個を選び出し、プール電池５５から、性能値が８３〜８２の二次電池を７５個選び出して、ステップ５０１で選択したパック条件（許容性能値Ｓｐ「８０」、構成電池数Ｎ０「１００」）を満たし、且つ性能値の最大値と最小値との偏差が「Ａ」の電池パック５１を再構築している。
【０２１４】
ステップ５２５で、パック再構築部１５１により、抽出数カウンタのカウンタ値Ｎが「０」にクリアされると、売り価格算出部１４５は、以上で抽出されたＮ０個の性能値に関して、中央値μ及び分散値σ２を算出する（Ｓ５２６）。
【０２１５】
次に、売り価格算出部１４５は、図８に示す価格関数テーブル１１５から、新たに再構築された電池パックに組み込まれる二次電池の電池タイプ、及びこの電池パックの構成電池数に対応する関数ｆ（μ，σ２）を選択する（Ｓ５２７）。
【０２１６】
そして、売り価格算出部１４５は、この関数ｆ（μ，σ２）に、ステップ５２６で算出した中央値μ及び分散値σ２を代入して、Ｎ０個の二次電池を有している電池パックの売り価格を求める（Ｓ５２８）。
【０２１７】
図８に示す価格関数テーブル１１５に格納されている関数ｆ（μ，σ２）は、前述したように、電池パックに組み込まれている複数の二次電池の性能値に関する中央値μの減少に対して、売り価格の減少傾向が、特定の中央値μになる毎に変化する関数である。また、分散値σ２が大きくなるに連れて、価格が減少する関数でもある。
【０２１８】
ステップ５２８で、売り価格算出部１４５により、売り価格が算出されると、パック再構築部１５１が、対象パックに関する通常売り情報テーブル１１７（図１０）に新たなレコードを作成して、このパック再構築部１５１及び売り価格算出部１４５がこのレコードに各種データを格納する（Ｓ５２９）。
【０２１９】
このステップ５２９では、まず、パック再構築部１５１が、新たに再構築した電池パックに関する仮パックＩＤを定めて、対象パックに関する通常売り情報テーブル１１７の新たなレコード中の仮パックＩＤ領域１１７ｄに、仮パックＩＤを格納する。さらに、このレコードの電池タイプ領域１１７ｆに新たな電池パックの電池タイプ（＝対象パックの電池タイプ）を格納し、構成電池数領域１１７ｇに新たな電池パックの構成電池数を格納し、対象パックの電池数領域１１７ｈに新たな電池パック中に組み込まれる対象電池パック中の二次電池の数を格納し、売り価格領域１１７ｉにステップ５２８で求めた売り価格を格納する。さらに、このレコードの最小値領域１１７ｌに、新たな電池パックに組み込まれる複数の二次電池の性能値のうちで最小の性能値を格納し、中央値領域１１７ｍに、新たな電池パックに組み込まれる複数の二次電池の性能値の中央値を格納し、分散値領域１１７ｎに、新たな電池パックに組み込まれる複数の二次電池の性能値の分散値を格納し、製造番号領域１１７ｐに、新たな電池パックに組み込まれる全ての二次電池の製造番号を格納する。この製造番号は、新たな電池パック中の二次電池が対象パックに組み込まれるものであれば、対象パックに関するパック状態情報テーブル１１３（図６）に格納されている製造番号であって、ステップ５０２又はステップ５０５（図２２）で抽出した性能値に対応する製造番号である。また、新たな電池パック中の二次電池がプール電池であれば、プール電池情報テーブル（図１４）に格納されている製造番号であって、ステップ５２０（図２４）で抽出した性能値に対応する製造番号である。
【０２２０】
ステップ５２９では、さらに、売り価格算出部１４５が、通常売り情報テーブル１１７の売り価格領域１１７ｉに格納されている売り価格に、構成電池数領域１１７ｇに格納されている構成電池数に対する、対象パックの電池数領域１１７ｈに格納されている電池数の割合（対象パックの電池数／構成電池数）を掛けて、対象パック分の売り価格を求める。そして、売り価格算出部１４５は、この対象パック分の売り価格を、通常売り情報テーブル１１７の対象パック分の売り価格領域１１７ｊに格納する。
【０２２１】
ここで、対象パックのパックＩＤが「Ａ100−00982」で、以上で説明した処理のうち、ステップ５０１〜５０９、ステップ５２０〜５２５の処理で、前述したように、対象パック「Ａ100−00982」５０から、性能値が８４〜８１の二次電池を２５個を選び出し、プール電池５５から、性能値が８３〜８２の二次電池を７５個選び出して、パック条件（許容性能値Ｓｐ「８０」、構成電池数Ｎ０「１００」）を満たす電池パック５１を再構築したとする。
【０２２２】
この場合、ステップ５２９において、パック再構築部１５１が、新たに再構築した電池パック５１に関する仮パックＩＤを、例えば、「Ａ100−00982ａ」と定めて、対象パック「Ａ100−00982」に関する通常売り情報テーブル１１７（図１０）の新たなレコード１１７ｘ中の仮パックＩＤ領域１１７ｄに、仮パックＩＤ「Ａ100−00982ａ」を格納する。さらに、このレコード１１７ｘの電池タイプ領域１１７ｆに新たな電池パックの電池タイプ（＝対象パックの電池タイプ）「Ａ」を格納し、構成電池数領域１１７ｇに新たな電池パックの構成電池数「１００」を格納し、対象パックの電池数領域１１７ｈに新たな電池パック中に組み込まれる対象電池パック中の二次電池の数「２５」を格納し、売り価格領域１１７ｉにステップ５２８で求めた売り価格「６８（万円）」を格納する。さらに、このレコード１１７ｘの最小値領域１１７ｌに、新たな電池パックに組み込まれる複数の二次電池の性能値のうちで最小の性能値「８１」を格納し、中央値領域１１７ｍに、新たな電池パックに組み込まれる複数の二次電池の性能値の中央値「８２．２」を格納し、分散値領域１１７ｎに、新たな電池パックに組み込まれる複数の二次電池の性能値の分散値「１．２」を格納し、製造番号領域１１７ｐに、新たな電池パックに組み込まれる全ての二次電池の製造番号「Ａ12−Ｘ03−001，…」を格納する。
【０２２３】
ステップ５２９では、さらに、売り価格算出部１４５が、通常売り情報テーブル１１７の売り価格領域１１７ｉに格納されている売り価格「６８（万円）」に、構成電池数領域１１７ｇに格納されている構成電池数「１００」に対する、対象パックの電池数領域１１７ｈに格納されている電池数「２５」の割合（２５／１００）を掛けて、対象パック分の売り価格「１７（万円）」を求める。そして、売り価格算出部１４５は、この対象パック分の売り価格「１７（万円）」を、通常売り情報テーブル１１７の対象パック分の売り価格領域１１７ｊに格納する。
【０２２４】
ステップ５２９が終了すると、パック再構築部１５１が、対象パックに関するパック状態情報テーブル１１３（図６）中の各二次電池の最新性能値のうちから、対象パックの全ての二次電池に関する性能値を抽出したか否かを判断する（Ｓ５３０）。全ての二次電池に関する性能値を抽出したと判断すると、ステップ５１７（図２３）に進み、全ての二次電池に関する性能値を抽出していないと判断すると、ステップ５３５（図２５）に進む。
【０２２５】
この場合、対象パック中の１００個の二次電池の性能値のうちから、この段階までで「２５」の性能値しか抽出していないので、対象パックの全ての二次電池に関する性能値を抽出していないと判断し、ステップ５３５（図２５）に進む。
【０２２６】
ステップ５３５で、パック再構築部１５１は、パック条件ランキングテーブル１１６（図９）から全てのパック条件を選択したか否かを判断する。全てのパック条件を選択していれば、ステップ５３６に進み、全てのパック条件を選択していなければ、ステップ５０１（図２２）に戻る。
【０２２７】
この場合、この段階までで、パック条件ランキングテーブル１１６から、ランキング「１」のパック条件しか選択していないので、ステップ５０１に戻る。そして、パック再構築部１５１は、前述と同様に、ステップ５０２〜５０９の処理を実行する。
【０２２８】
ここで、パック再構築部１５１は、ステップ５０１において、パック条件ランキングテーブル１１６（図９）のうちから、未抽出で最上位のパック条件として、ランキング「２」のパック条件を選択する。この場合、以下の説明の都合上、図９に示すパック条件ランキングテーブル１１６のうちから、ランキング「９」のパック条件、つまり、許容性能値Ｓｐ「７０」、構成電池数Ｎ０「５０」を、ランキング「２」のパック条件として選択したとする。
【０２２９】
そして、パック再構築部１５１は、ステップ５０２〜５０９の処理で、図３４に示すように、対象パック５０から、性能値が８０〜７７の二次電池を５０個を選び出したとする。この場合、この時点でのパック条件の構成電池数Ｎ０「５０」を満たすことになるので、パック再構築部１５１は、ステップ５０９で、抽出数カウンタのカウンタ値Ｎが構成電池数Ｎ０と等しいと判断して、ステップ５１０（図２３）へ進み、抽出数カウンタのカウンタ値Ｎを「０」にクリアする。
【０２３０】
すなわち、パック再構築部１５１は、二度目のステップ５０１〜５０９の処理により、図３４に示すように、対象パック５０から、性能値が８０〜７７の二次電池を５０個を選び出して、二度目のステップ５０１で選択したパック条件（許容性能値Ｓｐ「７０」、構成電池数Ｎ０「５０」）を満たし、且つ性能値の最大値と最小値との偏差が「Ａ」の電池パック５２を再構築している。
【０２３１】
ステップ５１０で、パック再構築部１５１により、抽出数カウンタのカウンタ値Ｎが「０」にクリアされると、以下、前述のステップ５２６〜５３０の処理と同様のステップ５１１〜５１５の処理が実行される。
【０２３２】
すなわち、ステップ５１０が終了すると、売り価格算出部１４５が、以上で抽出されたＮ０個の性能値に関して、中央値μ及び分散値σ２を算出し（Ｓ５１１）、図８に示す価格関数テーブル１１５から、新たに再構築された電池パックに対応する関数ｆ（μ，σ２）を選択する（Ｓ５１２）。そして、売り価格算出部１４５は、この関数ｆ（μ，σ２）に、中央値μ及び分散値σ２を代入して、Ｎ０個の二次電池を有している電池パックの売り価格を求める（Ｓ５１３）。
【０２３３】
次に、パック再構築部１５１が、対象パックに関する通常売り情報テーブル１１７（図１０）に新たなレコードを作成して、このパック再構築部１５１及び売り価格算出部１４５がこのレコードに各種データを格納する（Ｓ５１４）。
【０２３４】
ここで、図３４に示すように、対象パック５０のパックＩＤが「Ａ100−00982」で、二度目のステップ５０１〜５０９の処理により、前述したように、対象パック「Ａ100−00982」５０から、性能値が８０〜７７の二次電池を５０個を選び出し、パック条件（許容性能値Ｓｐ「７０」、構成電池数Ｎ０「５０」）を満たす電池パック５２を再構築したとする。
【０２３５】
この場合、ステップ５１４において、パック再構築部１５１が、新たに再構築した電池パック５２に関する仮パックＩＤを、例えば、「Ａ100−00982ｂ」と定めて、対象パック「Ａ100−00982」に関する通常売り情報テーブル１１７（図１０）の新たなレコード１１７ｙ中の仮パックＩＤ領域１１７ｄに、仮パックＩＤ「Ａ100−00982ａ」を格納する。さらに、このレコード１１７ｙの電池タイプ領域１１７ｆに新たな電池パックの電池タイプ（＝対象パックの電池タイプ）「Ａ」を格納し、構成電池数領域１１７ｇに新たな電池パックの構成電池数「５０」を格納し、対象パックの電池数領域１１７ｈに新たな電池パック中に組み込まれている対象電池パック中の二次電池の数「５０」を格納し、売り価格領域１１７ｉにステップ５１３で求めた売り価格「２１（万円）」を格納する。さらに、このレコード１１７ｙの最小値領域１１７ｌに、新たな電池パックに組み込まれている複数の二次電池の性能値のうちで最小の性能値「７７」を格納し、中央値領域１１７ｍに、新たな電池パックに組み込まれている複数の二次電池の性能値の中央値「７８．７」を格納し、分散値領域１１７ｎに、新たな電池パックに組み込まれている複数の二次電池の性能値の分散値「１．１」を格納し、製造番号領域１１７ｐに、新たな電池パックに組み込まれている全ての二次電池の製造番号「Ａ12−Ｘ03−027，…」を格納する。
【０２３６】
ステップ５１４では、さらに、売り価格算出部１４５が、通常売り情報テーブル１１７の売り価格領域１１７ｉに格納されている売り価格「２１（万円）」に、構成電池数領域１１７ｇに格納されている構成電池数「５０」に対する、対象パックの電池数領域１１７ｈに格納されている電池数「５０」の割合（５０／５０）を掛けて、対象パック分の売り価格「２１（万円）」を求める。そして、売り価格算出部１４５は、この対象パック分の売り価格「１７（万円）」を、通常売り情報テーブル１１７の対象パック分の売り価格領域１１７ｊに格納する。
【０２３７】
ステップ５１４が終了すると、パック再構築部１５１は、対象パックに関するパック状態情報テーブル１１３（図６）中の各二次電池の最新性能値のうちから、対象パックの全ての二次電池に関する性能値を抽出したか否かを判断する（Ｓ５１６）。全ての二次電池に関する性能値を抽出したと判断すると、ステップ５１７に進み、全ての二次電池に関する性能値を抽出していないと判断すると、ステップ５０２（図２２）に進む。
【０２３８】
この場合、対象パック中の１００個の二次電池の性能値のうちから、この段階までで「７５（＝２５＋５０）」の性能値しか抽出していないので、対象パックの全ての二次電池に関する性能値を抽出していないと判断し、ステップ５０２（図２５）に進む。そして、パック再構築部１５１は、前述と同様に、ステップ５０２〜５０９の処理を実行する。
【０２３９】
仮に、パック再構築部１５１は、三度目のステップ５０２〜５０９の処理で、図３４に示すように、対象パック５０から性能値が７６〜７４の二次電池を２５個を選び出したとする。この場合、一度目のステップ５０２〜５０９の処理で、対象パック５０から２５個の二次電池が選び出され、二度目のステップ５０２〜５０９の処理で、対象パック５０から５０個の二次電池が選び出され、三度目のステップ５０２〜５０９の処理で、対象パック５０から２５個の二次電池が選び出されたことになるので、対象パック５０を構成する１００個の二次電池は、全て選び出されたことになる。このため、三度目のステップ５０２〜５０９の処理で、対象パック５０から２５個の二次電池が選び出すと、ステップ５０５において、パック再構築部１５１は、パック状態情報テーブル１１３（図６）の各二次電池の最新の性能値の全てが抽出済みであると判断し、ステップ５２０に進む（図２４）。
【０２４０】
パック再構築部１５１は、仮に、前述したステップ５２０〜５２４の処理で、図３４に示すように、プール電池５５から、性能値が７６〜７３の二次電池を２３個選び出したとする。この場合、前述したように、三度目のステップ５０２〜５０９の処理で、対象パック５０から性能値が７６〜７４の二次電池を２５個を選び出しているので、抽出数カウンタのカウンタ値が「４８（＝２５＋２３）」になるものの、このカウンタ値はパック条件の構成電池数Ｎ０「５０」に至っていない。このため、パック再構築部１５１は、ステップ５２４の処理で、抽出数カウンタのカウンタ値Ｎが構成電池数Ｎ０と等しくないとして、ステップ５２０に戻る。ここで、パック再構築部１５１は、Ｍａｘ性能値「７６」以下で、このＭａｘ性能値「７６」に最も近い未抽出の性能値として、先に抽出した性能値「７３」よりも低い性能値「７２」を抽出したとする。
【０２４１】
パック再構築部１５１は、抽出した性能値「７２」に関して、ステップ５２１で、許容性能値Ｓｐ「７０」より大きいか否か、さらに、（Ｍａｘ−Ａ）性能値「７３（＝７６−３）」以上であるか否かを判断する。この場合、パック再構築部１５１は、抽出した性能値「７２」が（Ｍａｘ−Ａ）性能値「７３（＝７６−３）」以上ではないと判断し、ステップ５２２に進む。すなわち、プール電池の中に、ステップ５２１の判断条件を満たす二次電池が存在しない場合には、ステップ５２２に進む。
【０２４２】
パック再構築部５２２は、ステップ５２２で、構成電池数Ｎ０「５０」に対して、抽出した性能値の数Ｎの不足分「Ｎ０−Ｎ（２＝５０−４８）」に関して、ステップ５２１の判断条件で最低条件の性能値を抽出できたと仮定し、ステップ５２５に進む。この場合、不足分の２個に関して、いずれも、（Ｍａｘ−Ａ）性能値「７３（＝７６−３）」であると仮定する。
【０２４３】
すなわち、パック再構築部１５１は、三度目のステップ５０１〜５０９の処理により、図３４に示すように、対象パック５０から、性能値が７６〜７４の二次電池を２５個を選び出して、二度目のステップ５２０〜５２４の処理により、プール電池５５から、性能値７６〜７３の二次電池を２３個選び出している。しかしながら、プール電池５５には、ステップ５２１の判断条件を満たす二次電池が存在しないため、構成電池数Ｎ０「５０」に対する不足分「２」の二次電池に関しては、前記判断条件で最低条件、つまり性能値が「７３」であると仮定して、パック条件（許容性能値Ｓｐ「７０」、構成電池数Ｎ０「５０」）を満たす仮想の電池パックを構築している。
【０２４４】
ステップ５２２を経て、ステップ５２５に至ると、パック再構築部１５１は、前述したように、抽出数カウンタのカウンタ値Ｎを「０」にクリアする。そして、前述と同様に、ステップ５２６〜５３０の処理が実行される。
【０２４５】
但し、この場合、ステップ５２６において、売り価格算出部１４５が、性能値の中央値μ及び分散値σ２を算出するにあたり、実際に抽出された性能値と、存在するものと仮定した二次電池の性能値とを含めた性能値の中央値μ及び分散値σ２を算出する。また、ステップ５２９において、パック再構築部１５１は、通常売り情報テーブル１１７（図１０）の新たなレコード１１７zに、仮想の電池パックに関するデータを格納するにあたり、新たなレコード１１７zの保留フラグ領域１１７ｅに「１」を格納する。なお、この「１」は、前述したように、このレコード１１７z中のデータで示されている電池パックは、取引管理側で直ちに売れないことを意味している。また、パック再構築部１５１は、ステップ５３０において、対象パックの各二次電池の性能値を全て抽出したと判断して、ステップ５１７に進む。
【０２４６】
ステップ５１７では、売り価格算出部１４５が、対象パックに関する通常売り情報テーブル１１７（図１０）中の対象パック分の売り価格領域１１７jに格納されている全ての価格を合計し、対象パックの通常売り価格を求める。この場合、通常売り情報テーブル１１７中の対象パック分の売り価格領域１１７jには、「１７（万円）」「２１（万円）」「９（万円）」が格納されているので、これらを合計して、対象パックの通常売り価格「４７（万円）」を求める。
【０２４７】
次に、売り価格算出部１４５は、対象パックに関する通常売り情報テーブル１１７（図１０）の売り価格領域１１７bに、ステップ５１６で求めた対象パックの通常売り価格「４７（万円）」を格納し（Ｓ５１８）、一連の処理を終了する。
【０２４８】
ところで、前述したように、パック再構築部１５１は、ステップ５３０（図２４）で、対象パックの各二次電池の性能値を全て抽出していないと判断した場合、さらに、ステップ５３１（図２２）で、対象パックの各二次電池の性能値のうちから、抽出したＭａｘ性能値を未抽出扱いした場合、つまり、対象パックの各二次電池の性能値のうちで未抽出の性能値が存在する場合には、ステップ５３５（図２５）で判断処理を行う。
【０２４９】
パック再構築部１５１は、このステップ５３５で、パック条件ランキングテーブル１１３から全てのパック条件を選択していないと判断した場合には、前述したように、ステップ５０１（図２２）に戻る。また、このステップ５３５で、パック条件ランキングテーブル１１３から全てのパック条件を選択したと判断した場合には、パック再構築部１５１は、対象パックに関するパック状態情報テーブル１１３（図６）を参照して、対象パックの各二次電池の性能値のうちで未抽出の性能値の電池製造番号を特定する（Ｓ５３６）。そして、パック再構築部１５１は、プール電池情報テーブル１２３の状態領域１２３ｄのうちで、ステップ５３６で特定した製造番号に対応する状態領域１２３ｄに、「２（廃棄）」を格納する（Ｓ５３７）。
【０２５０】
すなわち、対象パックの各二次電池の性能値のうちで未抽出の性能値が存在するにも関わらず、ステップ５３５で、パック条件ランキングテーブル１１３から全てのパック条件を選択したと判断された場合には、未抽出の性能値は、いずれのパック条件も満足していないことになる。そこで、本実施形態では、このような場合、この性能値の二次電池を廃棄処分にすることにしている。
【０２５１】
なお、プール電池情報テーブル１２３の状態領域１２３ｄに「２（廃棄）」が格納されている二次電池は、図１９を用いて前述した廃棄完了受付処理の対象になる。
【０２５２】
パック再構築部１５１は、ステップ５３７を終了すると、通常売り情報テーブル１１７（図１０）及び通常買い情報テーブル１１８（図１１）から、ステップ５３６で特定した製造番号を含むレコードを全て削除し、一連の処理を終了する。
【０２５３】
以上で、図２０のステップ５０における通常売り価格の算出、及びパック再構築処理の説明を終了する。
【０２５４】
次に、図２０のステップ５０におけるオークション売り価格の算出、及びパック再構築処理について、図２６及び図２７に示すフローチャートに従って説明する。
【０２５５】
このオークション売りに関する処理では、図２２〜図２５に示す通常売りに関する処理中のステップ５０１〜５１４、ステップ５１６〜５１８、ステップ５２０〜５３８に対応する、ステップ５０１〜Ｓ５１０、ステップ５１１ａ〜５１４ａ、ステップ５１６〜５１８、ステップ５２０ａ、ステップ５２１〜５２５、ステップ５２６ａ〜５２９ａ、ステップ５３０〜５３７、ステップ５３８ａが実行される。
【０２５６】
このオークション売りに関する処理する以上のステップのうち、ステップ５０１〜Ｓ５１０、ステップ５１６〜５１８、ステップ５２０ａ、ステップ５２１〜５２５、ステップ５３０〜５３７、ステップ５３８ａは、通常売りに関する処理中の対応ステップと基本的に同じ処理が実行される。
【０２５７】
但し、オークション売りに関する処理中のステップ５２０ａでは、通常売りに関する処理中のステップ５２０で通常プール電池を対象とした処理が実行されるのに対して、オークションプール電池を対象として処理が実行される点で異なっている。また、オークション売りに関する処理中のステップ５３８ａでは、通常売りに関する処理中のステップ５３８で通常売り情報テーブル１１７及び通常買い情報テーブル１１８を対象とした処理が実行されるのに対して、オークションプール売り情報テーブル１２１及びオークション買い情報テーブル１２２を対象として処理が実行される点で異なっている。
【０２５８】
以上のステップ５０１〜Ｓ５１０、ステップ５１６〜５１８、ステップ５２０ａ、ステップ５２１〜５２５、ステップ５３０〜５３７、ステップ５３８ａは、いずれも、パック再構築部１５１により処理されるステップである。
【０２５９】
一方、このオークション売りに関する以上のステップのうち、ステップ５１１ａ〜５１４ａ、ステップ５２６ａ〜５２９ａは、通常売りに関する処理中の対応ステップとは、大きく異なる処理が実行される。以上のステップ５１１ａ〜５１４ａ、ステップ５２６ａ〜５２９ａは、いずれも、売り価格算出部１４５により、又はパック再構築部１５１と売り価格算出処理１４５により、処理されるステップである。
【０２６０】
すなわち、オークション売りに関する処理では、パック再構築部１５１によるパック再構築の方法が、通常売りに関する処理と基本的に同様であるが、売り価格算出部１４５による売り価格の算出方法等が、通常売りに関する処理と異なっている。
【０２６１】
以下、オークション売りに関する処理中のステップのうち、通常売りに関する処理中の対応ステップと異なっているステップ５１１ａ〜５１４ａ、ステップ５２６ａ〜５２９ａでの処理内容を、主に説明する。
【０２６２】
ステップ５０１〜５０９の処理で、パック再構築部１５１により、対象パックの各二次電池の性能値のうちから、構成電池数Ｎ０分の性能値が抽出されて、新たな電池パックが再構築され、ステップ５１０で、抽出数カウンタのカウンタ値Ｎが「０」にクリアされると、売り価格算出部１４５及びパック再構築部１５１は、以下のステップ５１１ａ〜５１３ａの処理を実行する。
【０２６３】
売り価格算出部１４５は、まず、パック再構築部１５１により抽出された構成電池数Ｎ０分の性能値の（μ（中央値），σ２（分散値））を算出し、この（μ，σ２）と、図１５に示すオークション実績テーブル１２４中の各レコードの（μ，σ２）との類似度を求める（Ｓ５１１ａ）。
【０２６４】
類似度の求め方としては、各種方法があるが、ここで、例えば、ベクトル空間法により類似度を求める。具体的には、パック再構築部１５１により抽出された構成電池数Ｎ０分の性能値の（μ，σ２）をベクトルＸとし、オークション実績テーブル中の性能値の（μ，σ２）をベクトルＹとして、以下の式で類似度ｃｏｓθを求める。
【０２６５】
ｃｏｓθ＝＜Ｘ、Ｙ＞／{〔Ｘ〕・〔Ｙ〕}
なお、以上の式で、＜Ｘ、Ｙ＞は、ベクトルＸ，Ｙの内積で、〔Ｘ〕及び〔Ｙ〕は、各ベクトルの長さである。
【０２６６】
この類似度ｃｏｓθは、比較する二者が最も類似している場合に「１」となり、まったく類似していない場合に「０」となる。
【０２６７】
次に、売り価格算出部１４５は、オークション実績テーブル１２４中の全レコードのうちで、（μ，σ２）の類似度が所定以上のレコードを抽出する（Ｓ５１２ｓ）。
【０２６８】
次に、売り価格算出部１４５は、抽出した各レコードの類似度の平均値Ｓａと、抽出した各レコード中のオークション実績買い価格の平均値Ｐａとを求める。続いて、売り価格算出部１４５は、類似度Ｓと買い価格Ｐをパラメータとする関数ｇ(Ｓ，Ｐ)を用いて、オークション実績買い価格の平均値Ｐａを類似度見合いの買い価格に変換する。そして、例えば、この実績に基づく買い価格に「０．８」を掛けて、この実績に基づく買い価格からマージン分を差し引いたオークション売り価格を求める（Ｓ５１３ａ）。
【０２６９】
ステップ５１３ａで、売り価格算出部１４５により、オークション売り価格が算出されると、通常売りに関する処理中のステップ５１４での処理と基本的に同様に、パック再構築部１５１が、対象パックに関するオークション売り情報テーブル１２１（図１２）に新たなレコードを作成して、このパック再構築部１５１及び売り価格算出部１４５がこのレコードに各種データを格納する（Ｓ５１４ａ）。
【０２７０】
また、ステップ５０１〜５０９の処理、及びステップ５２０ａ〜５２４の処理で、構成電池数Ｎ０分の性能値が抽出されて、新たな電池パックが再構築され、ステップ５２５で、抽出数カウンタのカウンタ値Ｎが「０」にクリアされると、売り価格算出部１４５及びパック再構築部１５１は、以下のステップ５２６ａ〜５２９ａの処理を実行する。
【０２７１】
これらのステップステップ５２６ａ〜５２９ａでの処理は、前述のステップ５１１ａ〜５１４ａの処理と同じである。このため、これらのステップステップ５２６ａ〜５２９ａでの処理に関する説明を省略する。
【０２７２】
以上で、図２０のステップ５０におけるオークション売り価格の算出、及びパック再構築処理の説明を終了する。
【０２７３】
次に、図２１のステップ５１における将来の通常売り価格の算出方法、及び将来のオークション売り価格の算出方法について説明する。
【０２７４】
まず、将来の通常売り価格の算出方法について説明する。
将来売り価格予測部１４８は、まず、対象パックのパック状態情報テーブル１１３から、各二次電池毎の最新の性能値を抽出し、これらの中央値及び分散値を求める。さらに、対象パックのパック状態情報テーブル１１３から、各二次電池毎の最新の変化係数を抽出し、これらの中央値も求める。
【０２７５】
次に、将来売り価格予測部１４８は、性能値の中央値が、時間経過に伴って変化係数相当分変化するとして、将来の複数時点での性能値の中央値を予測する。さらに、予め把握しておいた、時間経過に伴う分散値の変化傾向に基づいて、将来の各時点での分散値を予測する。
【０２７６】
続いて、将来売り価格予測部１４８は、価格関数テーブル１１５（図８）から、対象パックに対応するに対応する関数ｆ（μ，σ２）を選択する。そして、将来売り価格予測部１４８は、この関数ｆ（μ，σ２）に、先に求めた将来の各時点での中央値μ及び分散値σ２を代入して、将来の各時点での売り価格を求める。
【０２７７】
以上のように求められた将来の各時点での売り価格は、図３２中の価格グラフ３６ａに反映される。
【０２７８】
次に、将来のオークション売り価格の算出方法について説明する。
将来売り価格予測部１４８は、まず、将来通常売り価格の算出方法と同様に、対象パックのパック状態情報テーブル１１３中の各二次電池毎の最新の性能値に関する中央値及び分散値を求めると共に、このパック状態情報テーブル１１３中の各二次電池毎の最新の変化係数に関する中央値を求める。さらに、性能値に関する変化係数の中央値と性能値の中央値とを用いて、将来の複数時点での性能値の中央値を予測すると共に、分散値に関する変化傾向と分散値とを用いて、将来の複数時点での分散値を予測する。ここで、将来の複数時点は、次の月が１月であるとすると、１月の末日、３月の末日、５月の末日、７月の末日、９月の末日とする。
【０２７９】
次に、将来売り価格予測部１４８は、オークション実績テーブル１２４から、過去の１月及び２月の全レコードを抽出し、これらのレコードの（μ，σ２）と、将来の１月末日の（μ，σ２）との類似度を求める。そして、過去の１月及び２月の全レコードのうちから、類似度が所定以上のレコードを抽出する。
【０２８０】
次に、将来売り価格予測部１４８は、類似度が所定以上の各レコードの類似度の平均値Ｓａと、類似度が所定以上の各レコード中のオークション実績買い価格の平均値Ｐａとを求める。続いて、将来売り価格予測部１４８は、前述の関数ｇ(Ｓ，Ｐ)を用いて、オークション実績買い価格の平均値Ｐａを類似度見合いの買い価格に変換する。そして、例えば、この実績に基づく買い価格に「０．８」を掛けて、この実績に基づく買い価格からマージン分を差し引いたオークション売り価格を求め、これを将来の１月末日におけるオークション売り価格の中央値とする。
【０２８１】
また、将来売り価格予測部１４８は、類似度が所定以上の各レコードのうちから、オークション買い実績価格が最大のレコードをさらに抽出し、このレコードの類似度とオークション買い実績最大価格とを前述の関数ｇ(Ｓ，Ｐ)に代入して、オークション買い実績最大価格を類似度見合いに変換する。そして、このオークション買い実績最大価格からマージン分を差し引いたオークション売り最大価格を求め、これを将来の１月末日におけるオークション売り価格の最大値とする。
【０２８２】
また、将来売り価格予測部１４８は、類似度が所定以上の各レコードのうちから、オークション買い実績価格が最小のレコードをさらに抽出し、このレコードの類似度とオークション買い実績最小価格とを前述の関数ｇ(Ｓ，Ｐ)に代入して、オークション買い実績最小価格を類似度見合いに変換する。そして、このオークション買い実績最小価格からマージン分を差し引いたオークション最小売り価格を求め、これを将来の１月末日におけるオークション売り価格の最小値とする。
【０２８３】
以上のようにして、将来売り価格予測部１４８は、将来の１月末日のオークション売り価格の中央値、最大値、最小値を求める。同様に、将来売り価格予測部１４８は、将来の３月の末日、５月の末日、７月の末日及び９月の末日におけるオークション売り価格の中央値、最大値、最小値を求める。
【０２８４】
以上のように求められた将来の各時点でのオークション売り価格の中央値、最大値、最小値は、図３３中の価格グラフ３６ｂに反映される。
【０２８５】
次に、図２８に示すフローチャートに従って、ユーザから通常売りを受け付けた際の処理について説明する。
【０２８６】
図３２を用いて前述したように、ユーザが、通常売買情報の表示画面３０ａ中の売りボタン３９ａをクリック等した後、実行ボタン５０をクリックすると、このユーザ側から、所有している電池パックのパックＩＤ、及びこの電池パックの通常売りの旨、さらに、買い指定したパックＩＤ、及び当該パックＩＤの電池パックの通常買いの旨が、取引管理装置１００へ送信される。
【０２８７】
以下で説明する処理は、ユーザ側から、所有している電池パックのパックＩＤと共に、この電池パックの通常売りの旨を取引管理装置１００が受信することで、開始される。なお、取引管理装置１００は、この際、このユーザ側から、買い指定したパックＩＤと共に、当該パックＩＤの電池パックの通常買いの旨も受信するので、後述する通常買いを受け付けた際の処理は、この処理と前後して、又はこの処理と並行して実行される。
【０２８８】
取引管理装置１００の売買受付部１４４が、通信制御部１６１を介して、電池パックの通常売りの旨、及びこの電池パックのパックＩＤを受け付けると（Ｓ６０）、返答処理部１５５は、この電池パックの売主に対して、この電池パックの売買が成立した旨、さらに、この電池パックの受渡し情報を、通信制御部１６１を介して送信する（Ｓ６１）。なお、ここでの受渡し情報とは、電池パックの受渡し方法や、電池パックの売り価格の送金方法等である。
【０２８９】
次に、取引管理装置１００のテーブル作成・変更部１４２は、プール電池情報テーブル１２３（図１４）に、対象パックに関する情報を格納する（Ｓ６２）。
【０２９０】
テーブル作成・変更部１４２は、まず、売り対象パックに対応するパック状態情報テーブル１１３（図６）を参照して、プール電池情報テーブル１２３（図１４）に、売り対象パックに含まれている二次電池の数分のレコードを新たに作成する。そして、これらのレコードの製造番号領域１２３ａに対象パック中の二次電池の製造番号を格納し、これらのレコードのプール日時領域１２３ｂに対象パックの売りの旨を受け付けた日時を格納し、これらのレコードの性能値領域１２３ｃに対象パック中の二次電池の性能値を格納する。なお、この性能値は、パック状態情報テーブル１１３の性能値領域１１３ｃ内の性能値のうち、最新の性能値である。さらに、テーブル作成・変更部１４２は、これらのレコードの状態領域１２３ｄに、「０（通常プール）」を格納する。
【０２９１】
次に、買い価格算出部１４９は、対象パックの通常売り情報テーブル１１７（図１０）の仮パック情報領域１１７ｃ中の売り価格から再構築パックの買い価格を求める（Ｓ６３）。この際、買い価格算出部１４９は、通常売り情報テーブル１１７（図１０）の仮パック情報領域１１７ｃ中のレコードから、保留フラグ領域１１７ｅに「０（取引管理側で直ちに売れる）」が格納されている全レコードを抽出する。そして、これらのレコード中の売り価格領域１１７ｉから売り価格を抽出し、これらの売り価格に、例えば、１．２を掛けて、マージン分を付加し、これらの売り価格に対する買い価格を求める。
【０２９２】
次に、売買情報作成部１５２は、対象パックの通常売り情報テーブル１１７（図１０）の仮パック情報領域１１７ｃに格納されている情報、及びステップ６３で求められた買い価格に基づき、他ユーザ用の通常買い情報を作成し、これを通常買い情報テーブル１１８（図１１）に格納する（Ｓ６４）。
【０２９３】
売買情報作成部１５２は、まず、通常売り情報テーブル１１７（図１０）の仮パック情報領域１１７ｃの保留フラグ領域１１７ｅに「０（取引管理側で直ちに売れる）」が格納されている全レコードを抽出すると共に、抽出したレコード数分のレコードを通常買い情報テーブル１１８（図１１）中に作成する。
【０２９４】
なお、保留フラグ領域１１７ｅに「０（取引管理側で直ちに売れない）」が格納されているレコードを抽出しないのは、このレコードの情報が、実際には構築できなかった仮想の電池パックに関する情報であるため、これを他ユーザのための買い情報として扱えないからである。
【０２９５】
次に、売買情報作成部１５２は、抽出した各レコードにおける仮パックＩＤ領域１１７ｃに格納されている全ての仮のパックＩＤを、パック管理テーブル１１１やパック条件情報テーブル１１２等に格納されていない未格納の正式なパックＩＤに変更し、この正式なパックＩＤを、通常買い情報テーブル１１８（図１１）の新たなレコード中の対象パックＩＤ領域１１８dに格納する。
【０２９６】
次に、売買情報作成部１５２は、通常売り情報テーブル１１７（図１０）から抽出したレコード中の電池タイプ領域１１７ｆ、構成電池数領域１１７ｇ、最小値領域１１７ｌ、中央値領域１１７ｍ、分散値領域１１７ｎ、製造番号領域１１７ｐに格納されているデータを、通常買い情報テーブル１１８の対応レコード中の電池タイプ領域１１８ｆ、構成電池数領域１１８ｇ、最小値領域１１８ｌ、中央値領域１１８ｍ、分散値領域１１８ｎ、製造番号領域１１８ｐに格納する。
【０２９７】
さらに、売買情報作成部１５２は、ステップ６３で求められた各レコード毎の買い価格を、通常買い情報テーブル１１８の対応レコード中の買い価格領域１１８ｉに格納する。以上で、他ユーザ用の通常買い情報の作成及びその格納が終了する。なお、ここでの他ユーザ用の通常買い情報とは、通常買い情報テーブル１１８で新たな各レコードに格納された情報のことである。
【０２９８】
ここで、他ユーザ用の通常買い情報の作成及びその格納について、具体的に説明する。
【０２９９】
売買情報作成部１５２は、通常売り情報テーブル１１７（図１０）の仮パック情報領域１１７ｃの保留フラグ領域１１７ｅに「０（取引管理側で直ちに売れる）」が格納されている全レコード１１７ｘ，１１７ｙを抽出する。そして、通常買い情報テーブル１１８（図１１）中に、抽出した二つ分のレコード１１８ｘ，１１８ｙを作成する。
【０３００】
次に、売買情報作成部１５２は、通常売り情報テーブル１１７から抽出した二つのレコード１１７ｘ，１１７ｙ内の情報を、通常買い情報テーブル１１８の新たなレコード１１８ｘ，１１８ｙに格納する。但し、ここでの情報は、電池タイプ、構成電池数、性能値の最小値、性能値の中央値、性能値の分散値、製造番号である。さらに、通常売り情報テーブル１１７から抽出した二つのレコード１１７ｘ，１１７ｙ内の売り価格（６８万円、２１万円）を用いて、ステップ６２で求められた買い価格（８１万円、２５万円）を、通常買い情報テーブル１１８の新たなレコード１１８ｘ，１１８ｙ中の買い価格領域１１８ｉに格納する。以上で、他ユーザ用の通常買い情報の作成及びその格納が終了する。
【０３０１】
なお、通常買い情報テーブル１１８（図１１）のレコード１１８ｖ，１１８ｗは、いずれのアプリケーション装置に装着されるか定まっていない電池パックに関する新規登録申請の受付処理で作成されたレコードである。
【０３０２】
他ユーザ用の買い情報の作成及びその格納が終了すると、テーブル作成・変更部１４２は、売り対象パックＩＤに関する、パック条件情報テーブル１１２、パック状態情報テーブル１１３、通常売り情報テーブル１１７及びオークション売り情報テーブル１２１を削除する（Ｓ６５）。なお、これらのテーブルが削除されるのは、ユーザの電池パックが取引管理側へ売られた時点で、この電池パック中の二次電池が買い対象用の新たな電池パックとして現実に利用されるようになり、この電池パックに関する情報が基本的に不要になるからである。
【０３０３】
以上で、ユーザから通常売りを受け付けた際の処理が終了する。
【０３０４】
次に、図２９に示すフローチャートに従って、ユーザから通常買いを受け付けた際の処理について説明する。
【０３０５】
この処理は、前述したように、ユーザ側から、買い指定したパックＩＤと共に、当該パックＩＤの電池パックの通常買いの旨を取引管理装置１００が受信することで、開始される。
【０３０６】
取引管理装置１００の売買受付部１４４が、通信制御部１６１を介して、電池パックの通常買いの旨、及びこの電池パックのパックＩＤを受け付けると（Ｓ７０）、返答処理部１５５は、受け付けたパックＩＤが通常買い情報テーブル１１８（図１１）に有るか否かを判断する（Ｓ７１）。
【０３０７】
返答処理部１５５は、受け付けたパックＩＤが通常買い情報テーブル１１８に無いと判断すると、買主に対して、売買不成立の旨を、通信制御部１６１を介して送信し（Ｓ７２）、一連の処理を終了する。また、返答処理部１５５は、受け付けたパックＩＤが通常買い情報テーブル１１８に有ると判断すると、買主に対して、売買成立の旨及び電池パックの受渡し情報を、通信制御部１６１を介して送信する（Ｓ７３）
【０３０８】
ところで、ユーザ側から、買い指定したパックＩＤと共に、当該パックＩＤの電池パックの通常買いの旨が取引管理装置１００へ送信される条件は、ユーザが、図３２に示す通常売買情報の表示画面３０ａを見て、そこに、買うことが可能な電池パックとして表示されているパックＩＤを指定することである。すなわち、ユーザ側から、買い指定したパックＩＤと共に、当該パックＩＤの電池パックの通常買いの旨が取引管理装置１００へ送信されるときには、基本的に、取引管理側において、当該パックＩＤの電池パックが存在しているべきである。
【０３０９】
しかしながら、本実施形態では、プール電池情報テーブル１２３（図１４）に、一旦、プール電池として記憶された二次電池は、できる限り多くの電池パックを再構築できるようにするために重複して利用できるようにしている。このため、あるユーザが、図３２に示す通常売買情報の表示画面３０ａを見て、そこに、買うことが可能な電池パックとして表示されているパックＩＤを指定しても、この電池パック内の一の二次電池が、他の電池パックの再構築のために利用されており、しかも、あるユーザが電池パックを指定する前に、他のユーザがこの他の電池パックを買ってしまった場合には、この電池パックは存在し得なくなる。
【０３１０】
そこで、本実施形態では、電池パックの通常買いの旨、及びこの電池パックのパックＩＤを受け付けると（Ｓ７０）、ステップ７１において、受け付けたパックＩＤが通常買い情報テーブル１１８（図１１）に有るか否かを判断するようにしている。
【０３１１】
返答処理部１５５が、電池パックの受渡し情報等を買主に通知すると（Ｓ７３）、テーブル作成・変更部１４２は、パック管理テーブル１１１中の買主のレコードを変更する（Ｓ７４）。
【０３１２】
テーブル作成・変更部１４２は、買主のＩＤ（所有者ＩＤ）から、パック管理テーブル１１１（図４）中の買主のレコードを特定する。そして、当該レコード中のパックＩＤ領域１１１ｂに、ステップ７０で受け付けたパックＩＤを格納する。
【０３１３】
なお、本実施形態では、電池パックの所有者がこの電池パックを売った時点では、パック管理テーブル１１１中の当該所有者のレコードを変更しない。これは、本実施形態において、電池パックの売りと買いとがリンクしているため、電池パックの所有者がこの電池パックを売り、この所有者が新たに電池パックを購入した時点で、パック管理テーブル１１１中の当該所有者のレコードを変更するようにしているからである。
【０３１４】
また、本実施形態では、パック管理テーブル１１１中に所有者ＩＤが登録されていない者は、取引管理側から電池パックを購入できない仕組みになっているため、前述のステップ７４において、パック管理テーブル１１１中に、この者のレコードを追加するような処理は起こらない。パック管理テーブル１１１中に所有者ＩＤが登録されていない者が、電池パックを購入する場合、本実施形態では、この電池パックがアプリケーション装置に装着されている状態で、アプリケーション装置と共に電池パックを購入することを前提としている。この場合、電池パックが装着されているアプリケーション装置を売る販売元等６（図１）が、先に新規登録申請しておいた電池パックに関するパック管理テーブル１１１中のレコードに関して、図１８に示す所有者の変更処理の申請を行うことになる。
【０３１５】
テーブル作成・変更部１４２は、次に、買い対象パックＩＤに関するパック条件情報テーブル１１２、パック状態情報テーブル１１３、通常売り情報テーブル１１７、オークション売り情報テーブル１１８を作成する（Ｓ７５）。なお、この時点において、作成されたパック状態情報テーブル１１３（図６）のパックＩＤ領域１１３ａ及び製造番号領域１１３ｂには、データが格納されているが、その他の領域１１３ｅ，１１３ｃ，１１３ｄは、空欄である。また、通常売り情報テーブル１１７及びオークション売り情報テーブル１２１の対象パックＩＤ領域１１７ａ，１１８ａには、データが格納されているが、その他の領域は空欄である。
【０３１６】
次に、テーブル作成・変更部１４２は、通常買い情報テーブル１１８及びプール電池情報テーブル１２３から、買い対象パックに含まれている二次電池の製造番号を含む全てのレコードを削除し（Ｓ７６）、一連の処理を終了する。
【０３１７】
なお、取引管理側では、ユーザが買った電池パックをユーザに渡す前に、倉庫等にプールされている二次電池のうちから、当該電池パックに組み込まれるべき全ての二次電池を持ち出し、これらの二次電池を用いて、当該ユーザ用の電池パックを組み立てる。この際、取引管理側では、プールされている電池パックに組み込まれているＣＭＵやＢＭＵに対して、当該ユーザが所有しているアプリケーション装置に合わせる等の調整を行い、調節後のＣＭＵやＢＭＵを、当該ユーザ用の電池パックに組み込む。
【０３１８】
取引管理側での以上の作業は、例えば、取引管理側に所属している販売元等６が行う。
【０３１９】
次に、図３０に示すフローチャートに従って、オークション買いでの処理について説明する。この処理は、オークション買い対象パックに関して、以下で説明するように、入札開始に開始される。
【０３２０】
取引管理装置１００の入札管理部１５４は、図１６に示す入札情報テーブル１２５の入札終了領域１２５ｄを参照して、オークション買い対象パック毎に、入札期間が終了したか否かを判断している（Ｓ８０）。なお、オークション買い対象パックに関する入札情報テーブル１２５は、図２１を用いて前述したように、ステップ５３において、入札管理部１５４が、売買情報作成部１５２が作成した表示用オークション買い情報中に、入札期間が設定されていない新たな電池パックの情報が含まれていると判断した場合に、作成する。また、オークション買い対象パックの入札開始は、このパックに関する表示用オークション買い情報を含む表示用オークション売買情報を、初めてユーザ側に送信したときである。
【０３２１】
ユーザ側では、この表示用オークション売買情報が表示される。この情報を見たユーザは、図３３を用いて前述したように、この情報の表示画面３０ｂ中の買い対象パックＩＤを指定すると共に、入札価格を入力等した後、実行ボタン５０をクリックする。すると、このユーザ側から、当該買い対象パックＩＤ及び入札価格と共に、当該パックＩＤの電池パックのオークション買いの旨が、取引管理装置１００へ送信される。さらに、この際、このユーザが所有している電池パックのパックＩＤと共に、この電池パックのオークション売りの旨も、取引管理装置１００へ送信される。
【０３２２】
取引管理装置１００は、このオークション買いでの処理において、このオークション参加希望のユーザから、買い対象パックＩＤ及び入札価格と共に、この電池パックのオークション買いの旨を取引管理装置１００が受信する。なお、取引管理装置１００は、この際、このユーザ側から、このユーザが所有している電池パックのパックＩＤと共に、この電池パックのオークション売りの旨も受信するので、後述するオークション売りを受け付けた際の処理は、この処理と前後して、又はこの処理と並行して実行される。
【０３２３】
入札管理部１４５は、ステップ８０で、入札期間が終了していないと判断した電池パックに関して、通信制御部１６１を介して、売買受付部１４４が、オークション買いの旨、この電池パックのパックＩＤ及び入札価格を受け付けると（Ｓ８１）、この電池パックに関する入札情報テーブル１２５（図１６）に、入札者ＩＤ及び入札価格を格納する（Ｓ８２）。この際、入札管理部１４５は、パック管理テーブル１１１（図４）から、オークション買いの旨の送信元の通信アドレスに対応する所有者ＩＤを取得し、これを入札者ＩＤとして、入札情報テーブル１２５に格納する。
【０３２４】
入札管理部１４５は、入札情報テーブル１２５に入札者ＩＤ及び入札価格を格納すると（Ｓ８２）、再び、ステップ８０に戻る。
【０３２５】
入札管理部１４５は、ステップ８０で、入札情報テーブル１２５が設けられているオークション買い対象パックのいずれかに関して、入札期間が終了したと判断すると、この電池パックに関する入札情報テーブル１２５に、入札者等のレコードが存在するか否かを判断する（Ｓ８３）。
【０３２６】
入札管理部１４５は、入札情報テーブル１２５に入札者等のレコードが存在しない、つまり、入札者がいないと判断すると、当該入札情報テーブル１２５の自動延長フラグ領域１２５ｂに「１（自動延長する）」が格納されているか否かを判断する（Ｓ８４）。
【０３２７】
入札管理部１４５は、自動延長フラグ領域１２５ｂに「１（自動延長する）」が格納されていないと判断すると、直ちに、一連の処理を終了する。一方、入札管理部１４５は、自動延長フラグ領域１２５ｂに「１（自動延長する）」が格納されていると判断すると、当該入札情報テーブル１２５の入札終了領域１２５ｄに格納されている入札終了日時を例えば１週間後に変更して（Ｓ８５）、ステップ８０に戻る。
【０３２８】
入札管理部１４５は、ステップ８３で、入札情報テーブル１２５に入札者等のレコードが存在する、つまり、入札者がいると判断すると、入札情報テーブル１２５の各レコード中で最高の入札価格の入札者ＩＤを把握する（Ｓ９０）。
【０３２９】
返答処理部１５５は、入札管理部１４５により最高入札価格の入札者ＩＤが把握されると、この入札者ＩＤの入札者を除く他の入札者に対して、通信制御部１６１を介して、「落札できなかった」の旨を送信し、ステップ９３に進む（Ｓ９１）。
【０３３０】
さらに、返答処理部１５５は、入札管理部１４５により最高入札価格の入札者ＩＤが把握されると、この入札者ＩＤの入札者、つまり落札者に対して、通信制御部１６１を介して、「落札」の旨、及び電池パックの受渡し情報を送信し、ステップ９３に進む（Ｓ９２）。
【０３３１】
ステップ９３では、テーブル作成・変更部１４２が、パック管理テーブル１１１中の落札者のレコードを変更する。この際、テーブル作成・変更部１４２は、落札者のＩＤ（所有者ＩＤ）から、パック管理テーブル１１１（図４）中の落札者のレコードを特定する。そして、当該レコード中のパックＩＤ領域１１１ｂに、ステップ８１で受け付けたパックＩＤを格納する。
【０３３２】
テーブル作成・変更部１４２は、次に、オークション買い対象パックＩＤに関するパック条件情報テーブル１１２、パック状態情報テーブル１１３、通常売り情報テーブル１１７、オークション売り情報テーブル１１８を作成する（Ｓ９４）。なお、この時点において、作成されたパック状態情報テーブル１１３（図６）のパックＩＤ領域１１３ａ及び製造番号領域１１３ｂには、データが格納されているが、その他の領域１１３ｅ，１１３ｃ，１１３ｄは、空欄である。また、通常売り情報テーブル１１７及びオークション売り情報テーブル１２１の対象パックＩＤ領域１１７ａ，１１８ａには、データが格納されているが、その他の領域は空欄である。
【０３３３】
また、この際、テーブル作成・変更部１４２は、オークション実績テーブル１２４（図１５）に新たなテーブルを作成し、このテーブルに、オークションが成立した電池パックに関する情報を格納する。
【０３３４】
次に、テーブル作成・変更部１４２は、当該オークション買い対象パックに関する入札情報テーブル１２５を削除すると共に、オークション買い情報テーブル１２２及びプール電池情報テーブル１２３から、オークション買い対象パックに含まれている二次電池の製造番号を含む全てのレコードを削除し（Ｓ９５）、一連の処理を終了する。
【０３３５】
次に、図３１に示すフローチャートに従って、ユーザからオークション売りを受け付けた際の処理について説明する。
【０３３６】
この処理は、前述したように、ユーザ側から、このユーザが所有している電池パックのパックＩＤと共に、この電池パックのオークション売りの旨を、取引管理装置１００が受信することで、開始される。
【０３３７】
取引管理装置１００の返答処理部１５５は、通信制御部１６１を介して、売買受付部１４４が電池パックのオークション売りの旨、及びこの電池パックのパックＩＤを受け付けると（Ｓ１００）、この電池パックの売主に対して、この電池パックのオークション売りが成立した旨、さらに、この電池パックの受渡し情報を、通信制御部１６１を介して送信する（Ｓ１０１）。
【０３３８】
次に、取引管理装置１００のテーブル作成・変更部１４２は、プール電池情報テーブル１２３（図１４）に、オークション売り対象パックに関する情報を格納する（Ｓ１０２）。
【０３３９】
テーブル作成・変更部１４２は、まず、オークション売り対象パックに対応するパック状態情報テーブル１１３（図６）を参照して、プール電池情報テーブル１２３（図１４）に、オークション売り対象パックに含まれている二次電池の数分のレコードを新たに作成する。そして、これらのレコードの製造番号領域１２３ａに対象パック中の二次電池の製造番号を格納し、これらのレコードのプール日時領域１２３ｂに対象パックの売りの旨を受け付けた日時を格納し、これらのレコードの性能値領域１２３ｃに対象パック中の二次電池の性能値を格納する。なお、この性能値は、パック状態情報テーブル１１３の性能値領域１１３ｃ内の性能値のうち、最新の性能値である。さらに、テーブル作成・変更部１４２は、これらのレコードの状態領域１２３ｄに、「１（オークションプール）」を格納する。
【０３４０】
次に、買い価格算出部１４９は、対象パックのオークション売り情報テーブル１２１（図１２）の仮パック情報領域１２１ｃ中の売り価格からオークション買い参考価格を求める（Ｓ１０３）。この際、買い価格算出部１４９は、オークション売り情報テーブル１２１の仮パック情報領域１２１ｃ中のレコードから、保留フラグ領域１２１ｅに「０（取引管理側で直ちに売れる）」が格納されている全レコードを抽出する。そして、これらのレコード中の売り価格領域１２１ｉから売り価格を抽出し、これらの売り価格に、例えば、１．２を掛けて、マージン分を付加し、これらの売り価格に対するオークション買い参考価格を求める。
【０３４１】
次に、売買情報作成部１５２は、対象パックのオークション売り情報テーブル１２１（図１２）の仮パック情報領域１２１ｃに格納されている情報、及びステップ１０３で求められたオークション買い参考価格に基づき、他ユーザ用のオークション買い情報を作成し、これをオークション買い情報テーブル１２２（図１３）に格納する（Ｓ１０４）。
【０３４２】
売買情報作成部１５２は、まず、オークション売り情報テーブル１２１（図１２）の仮パック情報領域１２１ｃの保留フラグ領域１２１ｅに「０（取引管理側で直ちに売れる）」が格納されている全レコードを抽出すると共に、抽出したレコード数分のレコードをオークション買い情報テーブル１２２（図１３）中に作成する。
【０３４３】
次に、売買情報作成部１５２は、抽出した各レコードにおける仮パックＩＤ領域１２１ｃに格納されている全ての仮のパックＩＤを、パック管理テーブル１１１やパック条件情報テーブル１１２等に格納されていない未格納の正式なパックＩＤに変更し、この正式なパックＩＤを、オークション買い情報テーブル１２２（図１３）の新たなレコード中の対象パックＩＤ領域１２２dに格納する。
【０３４４】
次に、売買情報作成部１５２は、オークション売り情報テーブル１２１から抽出したレコード内の情報を、オークション買い情報テーブル１２２の新たなに格納する。但し、ここでの情報は、電池タイプ、構成電池数、性能値の最小値、性能値の中央値、性能値の分散値、製造番号である。
【０３４５】
さらに、売買情報作成部１５２は、ステップ１０３で求められた各レコード毎のオークション買い参考価格を、オークション買い情報テーブル１２２の対応レコード中の買い価格領域１２２ｉに格納する。以上で、他ユーザ用のオークション買い情報の作成及びその格納が終了する。
【０３４６】
他ユーザ用の買い情報の作成及びその格納が終了すると、テーブル作成・変更部１４２は、売り対象パックＩＤに関する、パック条件情報テーブル１１２、パック状態情報テーブル１１３、通常売り情報テーブル１１７及びオークション売り情報テーブル１２１を削除する（Ｓ１０５）。
【０３４７】
以上で、ユーザからオークション売りを受け付けた際の処理が終了する。
【０３４８】
以上のように、本実施形態では、取引管理側がプールしている多数の二次電池を用いて、各種パック条件を満たす多数の電池パックを仮に再構築し、これをユーザに対して、買い対象パックとして提示しているので、電池パックの購入希望者に対して、性能や価格面等が異なる各種電池パックを提示することができる。すなわち、本実施形態によれば、電池パックの購入希望者に対して、多くの選択肢を提示することができる。
【０３４９】
また、本実施形態では、ユーザが所有している電池パック中の複数の二次電池と、取引管理側がプールしている多数の二次電池とを用いて、パック条件がより厳しい電池パック、つまり高く売れる電池パックを仮に再構築し、この電池パック中のユーザ所有の二次電池分価格を、ユーザ所有の電池パックの売り価格としているので、電池パックの売主に対して、より高い売り価格を提示することができる。
【０３５０】
また、本実施形態の取引管理装置１００は、通常売買の他にオークション売買も受け付けるので、電池パックの所有者は、この電池パックの売買に関して、各種形態を選択できる。
【０３５１】
次に、以上で説明した実施形態の各種変形例について説明する。
【０３５２】
「パック再構築処理の変形例」
図２１に示す売り価格算出及びパック再構築処理（Ｓ５０）の変形例について、図３５〜図４０に示すフローチャートに従って説明する。
【０３５３】
本変形例では、売り価格算出及びパック再構築処理（Ｓ５０）を二つのルーチンで処理する。一つのルーチンは、対象パックの売り価格を算出する売り価格算出処理を実行するルーチンで、他の一つのルーチンは、買い価格算出及びパック再構築処理を実行するルーチンである。
【０３５４】
まず、図３５〜図３７に示すフローチャートに従って、買い価格算出及びパック再構築処理を実行するルーチンについて説明する。
【０３５５】
パック再構築部１５１は、まず、対象パックのパック条件情報テーブル１１２を参照して、対象パックの許容性能値Ｓｐ及び構成電池数Ｎ０を把握する（Ｓ５５０）。
【０３５６】
次に、パック再構築部１５１は、図１４に示すプール電池情報テーブル１２３から、状態領域１２３ａに「０（通常プール）」が格納され、且つ許容性能値Ｓｐより大きい性能値のレコードを抽出できるか否かを判断する（Ｓ５５１）。
【０３５７】
パック再構築部１５１は、プール電池情報テーブル１２３から上記レコードを抽出できないと判断すると、一連の処理を終了する。また、プール電池情報テーブル１２３から上記レコードを抽出できると判断すると、プール電池情報テーブル１２３から上記レコードを全て抽出し、このレコードの集まりを対象プールとする（Ｓ５５２）。
【０３５８】
次に、パック再構築部１５１は、対象プールから、未抽出のＭａｘ性能値を抽出し（Ｓ５５３）、抽出数カウンタのカウンタ値Ｎを「１」に設定する（Ｓ５５４）。
【０３５９】
次に、パック再構築部１５１は、対象プールから、Ｍａｘ性能値に最も近い未抽出の次性能値を抽出できるか否かを判断する（Ｓ５５５）。パック再構築部１５１は、対象プールから未抽出の次性能値を抽出できないと判断すると、一連の処理を終了する。また、対象プールから未抽出の次性能値を抽出できると判断すると、この次性能値を抽出する（Ｓ５５６）。
【０３６０】
次に、ステップ５５６で抽出した次性能値が、（Ｍａｘ−Ａ）性能値以上であるか否かを判断する（Ｓ５５７）。この次性能値が（Ｍａｘ−Ａ）性能値以上である場合には、ステップ５６０（図３６）に進み、この次性能値が（Ｍａｘ−Ａ）性能値以上でない場合には、ステップ５７０（図３７）に進む。
【０３６１】
ステップ５６０（図３６）では、パック再構築部１５１が、抽出数カウンタのカウンタ値Ｎに「１」を加える。そして、パック再構築部１５１は、抽出数カウンタのカウンタ値Ｎが、ステップ５５０で把握した構成電池数Ｎ０と等しいか否かを判断する（Ｓ５６１）。両者が等しいと判断された場合には、対象パックのパック条件を満たす電池パックを構築できたとして、ステップ５６２（図２３）へ進む。また、両者が等しくないと判断された場合には、ステップ５５５に戻る。すなわち、ここでは、ステップ５５５，５５６，５５７，５６０，５６１を繰り返して実行することで、対象パックのパック条件を満たす電池パックを構築する。
【０３６２】
また、パック再構築部１５１は、ステップ５５７で、次性能値が（Ｍａｘ−Ａ）性能値以上でないと判断すると、ステップ５７０（図３７）で、対象プールからＭａｘ性能値を抽出した後、最初に抽出した次性能値をＭａｘ性能値に設定する。続いて、対象プールからＭａｘ性能値を抽出した後、２回以上、次性能値を抽出した場合には、２回目以降の次性能値を未抽出扱いし（Ｓ５７１）、ステップ５５５に戻る。
【０３６３】
すなわち、これらのステップ５７０及びステップ５７１の処理は、Ｍａｘ性能値を、次性能値へ１つシフトさせて、Ｓ５５５以降の処理を実行させる処理である。
【０３６４】
パック再構築部１５１は、ステップ５６１で、抽出数カウンタのカウンタ値Ｎが構成電池数Ｎ０と等しいと判断すると、抽出数カウンタのカウンタ値を「０」にクリアする（Ｓ５６２）。
【０３６５】
ステップ５６２で、パック再構築部１５１により、抽出数カウンタのカウンタ値Ｎが「０」にクリアされると、買い価格算出部１４９は、以上で抽出されたＮ０個の性能値に関して、中央値μ及び分散値σ２を算出する（Ｓ５６３）。
【０３６６】
次に、買い価格算出部１４９は、図８に示す価格関数テーブル１１５から、新たに再構築された電池パックに組み込まれている二次電池の電池タイプ、及びこの電池パックの構成電池数に対応する関数ｆ（μ，σ２）を選択する（Ｓ５６４）。
【０３６７】
そして、買い価格算出部１４９は、この関数ｆ（μ，σ２）に、ステップ５６３で算出した中央値μ及び分散値σ２を代入して、Ｎ０個の二次電池を有している電池パックの売り価格を求める。続いて、買い価格算出部１４９は、この売り価格に、例えば、１．２を掛けて、マージン分を付加し、この売り価格を買い価格に変換する（Ｓ５６５）。すなわち、ここでは、対象パックのパック条件を満たす再構築パックの買い価格を求めている。
【０３６８】
買い価格算出部１４９により、再構築パックの買い価格が求められると、パック再構築部１５１は、対象パックの買い情報テーブルに再構築パックの情報を格納する（Ｓ５６６）。
【０３６９】
ここで、本変形例における買い情報テーブルについて、図４０を用いて説明する。
【０３７０】
この買い情報テーブル１４８は、対象パックＩＤ毎に設けられるテーブルであって、当該対象パックＩＤが格納される対象パックＩＤ領域１４８ａと、当該対象パックＩＤの電池パックの所有者が買える買い対象パックに関する情報が格納される買い対象パック情報領域１４８ｃと、を有している。
【０３７１】
この買い情報テーブル１４８は、対象パックＩＤの電池パックが取引管理側から所有者に買われた時点で、テーブル作成・変更部１４２により作成され、その時点で、対象パックＩＤ領域１４８ａに、対象パックＩＤが格納される。一方、買い対象パック情報領域１４８ｃは、買い価格算出及びパック再構築処理のルーチンが実行される毎に、更新される。
【０３７２】
この買い対象パック情報領域１４８ｃは、前述の買い対象パックのパックＩＤが格納される買い対象パックＩＤ領域１１８ｄと、この買い対象パックの買い価格が格納される買い価格領域１４８ｉと、この買い対象パックに組み込まれる二次電池の各性能値に関する統計値が格納される性能値領域１４８ｋと、この買い対象パックに組み込まれる二次電池の製造番号が格納される製造番号領域１４８ｐと、を有している。
【０３７３】
性能値領域１４８ｋは、買い対象パックに組み込まれる二次電池の各性能値のうちで、最小の性能値が格納される最小値領域１４８ｌと、買い対象パックに組み込まれる二次電池の各性能値の中央値が格納される中央値領域１４８ｍと、買い対象パックに組み込まれる二次電池の各性能値の分散値が格納される分散値領域１４８ｎと、を有している。
【０３７４】
パック再構築部１５１は、ステップ５６６において、買い情報テーブル１４８の買い対象パック情報領域１４８ｃに新たなレコード１４８ｘを作成する。次に、再構築パックのパックＩＤを定め、このパックＩＤを新たなレコード１４８ｘ中の買い対象パックＩＤ領域１４８ｄに格納する。
【０３７５】
次に、パック再構築部１５１は、Ｓ５６５で求められた再構築パックの買い価格を、新たなレコード１４８ｘの買い価格領域１４８ｉに格納する。続いて、新たなレコード１４８ｘの最小値領域１４８ｌに、買い対象パックに組み込まれる二次電池の各性能値のうちで、最小の性能値を格納し、中央値領域１４８ｍに、買い対象パックに組み込まれる二次電池の各性能値の中央値を格納し、格納分散値領域１４８ｎに、買い対象パックに組み込まれる二次電池の各性能値の分散値を格納する。そして、新たなレコード１４８ｘの製造番号領域１４８ｐに、買い対象パックに組み込まれる二次電池の製造番号を格納する。
【０３７６】
以上で、ステップ５６６の処理が終了する。
【０３７７】
次に、パック再構築部１５１は、対象プールから、未抽出のＭａｘ性能値を抽出できるか否かを判断する（Ｓ５６７）。未抽出のＭａｘ性能値を抽出できる場合には、ステップ５５３（図３５）に戻り、未抽出のＭａｘ性能値を抽出できなければ、一連の処理を終了する。
【０３７８】
以上で、買い価格算出及びパック再構築のルーチンにおける処理が終了する。
【０３７９】
次に、図３８に示すフローチャートに従って、売り価格算出処理を実行するルーチンについて説明する。
【０３８０】
まず、売り価格算出部１４５が、対象パックに組み込まれている全二次電池の性能値に関して、中央値μ及び分散値σ２を算出する（Ｓ５８０）。
【０３８１】
次に、売り価格算出部１４５は、図８に示す価格関数テーブル１１５から、対象パックに組み込まれている二次電池の電池タイプ、及びこの電池パックの構成電池数に対応する関数ｆ（μ，σ２）を選択する（Ｓ５８１）。
【０３８２】
そして、売り価格算出部１４５は、この関数ｆ（μ，σ２）に、ステップ５８０で算出した中央値μ及び分散値σ２を代入して、対象パックの売り価格を求め（Ｓ５８２）、対象パックの売り情報テーブル１４７（図３９）に、この売り価格を格納する（Ｓ５８３）。
【０３８３】
ここで、本変形例における売り情報テーブル１４７について、図３９を用いて説明する。この売り情報テーブル１４７は、ユーザ毎の電池パックのパックＩＤが格納される対象パックＩＤ領域１４７ａと、当該電池パックの売り価格が格納される売り価格領域１４７ｂとを有している。
【０３８４】
この売り情報テーブル１４７の対象パックＩＤ領域１４７ａには、電池パックが取引管理側から所有者に買われた時点で、当該電池パックのパックＩＤが格納される。また、売り価格領域１４７ｂには、この売り価格算出のルーチンが実行される毎に、更新される。
【０３８５】
以上で、売り価格算出のルーチンにおける処理が終了する。
【０３８６】
以上のように、本変形例では、パック再構築の際、既にプールされている二次電池のみを用いて新たな電池パックを再構築しているので、上記実施形態のように、再構築する電池パック中の二次電池が対象パックに組み込まれている二次電池の性能値に依存することがなく、電池パックの再構築の自由度を高めることができる。
【０３８７】
但し、上記実施形態でも、ユーザの買い対象パックになる電池パックは、他のユーザによって売られた電池パック中の二次電池で再構築されているので、上記実施形態でも本変形例でも、ユーザの買い対象パックになる電池パックは、プールされた二次電池で構築されている点で同じである。
【０３８８】
なお、本変形例は、基本的に、通常売買の過程でのパック再構築処理を前提にしているが、オークション売買の過程でのパック再構築処理においても、本変形例と同様の方法でパック再構築を行うようにしてもよい。
【０３８９】
また、本発明でのパック再構築処理は、上記実施形態にように、対象パックの売り価格を算出する過程で実行してもよいし、本変形例のように、対象パック所有者の買い対象パックとなる電池パックの買い価格を算出する過程で実行するようにしてもよい。
【０３９０】
さらに、上記実施形態では、パック再構築処理で、対象パック所有者を除くユーザの買い対象パックになる電池パックを構築しているが、本変形例にように、パック再構築処理で、対象パック所有者の買い対象パックになる電池パックを構築するようにしてもよい。
【０３９１】
ところで、上記実施形態及び上記変形例では、いずれも、組み込まれる二次電池の性能値がＭａｘ性能値から一つの偏差Ａの範囲に収まるように、電池パックを再構築しているが、偏差は一つである必要はなく、複数の偏差を用いてもよい。この場合、一つの偏差で、電池パックの再構築処理を行った後、他の偏差で改めて電池パックの再構築処理を行うことになる。
【０３９２】
このように、複数の偏差を用いて、電池パックの再構築処理を行うと、各偏差毎の再構築処理で電池パック中の二次電池の組み合わせが変わるので、電池パックの購入希望者に対して、より多くの選択肢を提供することができる。但し、複数の偏差を用いて、電池パックの再構築処理を行うと、各偏差毎の再構築処理で、二次電池の組み合わせが同じ電池パックを再構築する可能性がある。このため、全ての偏差での電池パック再構築処理が終了した時点で、二次電池の組み合わせが同じ電池パックを再構築している場合には、このような電池パックを除くことが好ましい。
【０３９３】
「オークション売買の変形例」
以上の実施形態では、ユーザが電池パックをオークション売りで取引管理側へ売り、この売買が成立した後、売買が成立した電池パックの二次電池を含む電池パックをオークションにかけているが、ユーザが電池パックのオークション売りの意思表示をすれば、取引管理側がこの電池パックを買い取らずに、この電池パックの二次電池を含む電池パックをオークションにかけるようにしてもよい。
【０３９４】
この場合、取引管理側は、基本的に、電池パックをオークション売りしたいユーザと、この電池パックの二次電池を含む電池パックをオークションで買いたいユーザとの間の調整役となる。
【０３９５】
以下、以上で説明したオークション売買の具体例について、図４１〜図４３を用いて説明する。
【０３９６】
まず、ユーザからオークション売りを受け付けた際の処理について説明する。
【０３９７】
この処理は、ユーザ側から、このユーザが所有している電池パックのパックＩＤ、この電池パックの最低落札価格、この電池パックのオークション売りの旨を、取引管理装置１００が受信することで、開始される。
【０３９８】
取引管理装置１００の返答処理部１５５は、通信制御部１６１を介して、電池パックのオークション売りの旨、この電池パックのパックＩＤ、この電池パックの最低落札価格を受け付けると、この電池パックの売主に対して、この電池パックの受渡し情報、さらに、例えば、「オークションが成立した後、あなたへの入金金額をお知らせします」等を、通信制御部１６１を介して送信する。なお、本変形例では、このオークション売りを受け付けた段階で、上記実施形態のように、この電池パックの売買は成立しない。このため、、この段階で、上記実施形態のステップ１０１（図３１）のように、売主に対して、売買成立の旨を通知しない。但し、本変形例では、この電池パックをプールしておくために、売主に対して、この電池パックに関する受渡し情報を通知する。
【０３９９】
返答処理部１５５が、売主に対して受渡し情報等を通知すると、以下は、上記実施形態と基本的に同様の処理が行われる。すなわち、図３１中のステップ１０２〜ステップ１０５の処理が実行される。
【０４００】
但し、本変形例において、ステップ１０４で、売買情報作成部１５２は、売買情報作成部がオークション買い情報を作成するにあたり、このオークション買い情報中に、オークション買い対象パックに含まれる電池の売主の売主ＩＤ、当該オークション買い対象パック中に含まれる当該売主分の電池数、当該売主が希望した最低落札価格を含める。そして、売買情報作成部１５２は、このオークション買い情報をオークション買い情報テーブルに格納する。
【０４０１】
ここで、本変形例におけるオークション買い情報テーブルについて、図４３を用いて説明する。
【０４０２】
本変形例におけるオークション買い情報テーブル１５２は、上記実施形態におけるオークション買い情報テーブル１２２（図１３）と同様、対象パックＩＤ領域１２２ｄ、電池タイプ領域１２２ｆ、構成電池数領域１２２ｇ、買い参考価格領域１２２ｉ、性能値領域１２２ｋ、及び製造番号領域１２２ｐを有している。さらに、本変形例におけるオークション買い情報テーブル１５２は、当該対象パックがオークションによって決定した価格が格納される決定買い価格領域１５２ａと、当該対象パックに含まれる電池の全売主に関する情報が格納される売主情報領域１５２ｂと、を有している。
【０４０３】
このオークション買い情報テーブル１５２の決定買い価格領域１５２ａには、当該電池パックに関するオークションが成立したときに、その際に決定した価格が格納される。
【０４０４】
また、このオークション買い情報テーブル１５２の売主情報領域１５２ｂは、当該対象パックに含まれる電池の売主のＩＤと、当該対象パック中の売主分の電池数、売主が希望した最低落札価格が格納される。
【０４０５】
本変形例において、ステップ１０４では、以上で説明したオークション買い情報テーブル１５２中の対象パックＩＤ領域１２２ｄ、電池タイプ領域１２２ｆ、構成電池数領域１２２ｇ、買い参考価格領域１２２ｉ、性能値領域１２２ｋ、製造番号領域１２２ｐにデータを格納すると共に、売主情報領域１５２ｂにもデータを格納する。
【０４０６】
次に、オークション買いでの処理について、図４１に示すフローチャートに従って説明する。
【０４０７】
本変形例においても、オークション買い対象パックに関するオークションが開始されると、上記実施形態と同様に、ステップ８０〜８３，９０の処理が実行される。すなわち、オークション買い対象パックに関する入札期間が終了したか否かの判断処理（Ｓ８０）、オークション買いを受け付けたか否かの判断処理（Ｓ８１）、入札情報テーブル１２５への入社者ＩＤ等の格納処理（Ｓ８２）、入札情報テーブル１２５にレコードが有るか否かの判断処理（Ｓ８３）、最高入札価格の入札者ＩＤの把握処理（Ｓ９０）が実行される。
【０４０８】
入札管理部１４５は、ステップ８３で、入札情報テーブル１２５にレコードがあると判断し、ステップ９０で、入札情報テーブル１２５から最高入札価格の入札者ＩＤを把握すると、この入札者ＩＤの入札価格、つまり最高入札価格が参考価格より高いか否かを判断すると共に、最高入札価格が対象パックの最低落札価格以上であるか否かを判断する（Ｓ１１１）。
【０４０９】
ここで、参考価格とは、図４３に示すオークション買い情報テーブル１５２中の買い参考価格領域１２２ｉに格納されている価格である。また、対象パック最低落札価格は、オークション買い対象パックに含まれている複数の電池の売主が指定した最低落札価格に基づく価格である。
【０４１０】
オークション買い対象パックは、基本的に複数の売主の電池パック中の二次電池を含んでいる。さらに、オークション買い対象パックに含まれている二次電池の各売主は、個々に、自分が所有していた電池パックに関して最低落札価格を指定している。そこで、ここでは、各売主が指定した最低落札価格に基づいて、オークション買い対象パックの最低落札価格を定めている。
【０４１１】
具体的には、以下の（数１）に示すように、各売主毎の、対象パック中の電池の売主分の最低落札価格を合計した値を、対象パックの最低落札価格としている。
対象パックの最低落札価格＝Σ（対象パック中の電池の売主分の最低落札価格）
・・・・・・（数１）
【０４１２】
ここで、対象パック中の電池の売主分の最低落札価格は、以下の（数２）を用いた値である。
対象パック中の電池の売主分の最低落札価格＝売主指定の最低落札価格
×（対象パックの構成電池数／売主パックの構成電池数）
×（対象パック中の売主の電池数／対象パックの構成電池数）
・・・・・・（数２）
【０４１３】
なお、上記（数２）中で、上記売主指定の最低落札価格は、オークション買い情報テーブル１５２（図４３）の売主情報領域１５２ｂから取得される。また、上記（数２）中で、（対象パックの構成電池数／売主パックの構成電池数）は、売主指定の最低落札価格を対象パックの構成電池数見合いに換算するための項で、（対象パック中の売主の電池数／対象パックの構成電池数）は、売主指定の最低落札価格を対象パック中の売主の構成電池数見合いに換算するための項である。
【０４１４】
入札管理部１４５は、ステップ１１１で、最高入札価格が参考価格より高く、且つ最高入札価格が対象パックの最低落札価格以上であると判断すると、オークション買い情報テーブル１５２（図４３）の対象パックに関する決定買い価格領域１５２ａに、この最高落札価格を格納する（Ｓ１１２）。
【０４１５】
以下、先に説明した実施形態と同様に、落札者等への落札等の通知処理（Ｓ９１，９２）、パック管理テーブル１１１中の落札者のレコードの変更処理（Ｓ９３）、買い対象パックＩＤに関するパック条件情報テーブル１１２等の作成処理（Ｓ９４）、入札情報テーブル１２５等の削除処理（Ｓ９５）が実行される。
【０４１６】
但し、ステップ９５において、テーブル作成・変更部１４２は、上記実施形態と同様、ステップ９４が終了すると直ちに、当該オークション買い対象パックに関する入札情報テーブル１２５を削除すると共に、プール電池情報テーブル１２３からオークション買い対象パックに含まれている二次電池の製造番号を含む全てのレコードを削除するものの、オークション買い情報テーブル１２２からオークション買い対象パックに含まれている二次電池の製造番号を含むレコードの削除に関しては、上記実施形態と若干異なる。
【０４１７】
本変形例では、オークション買い情報テーブル１２２からオークション買い対象パックに含まれている二次電池の製造番号を含む全レコード中、このオークション買い対象パックのレコードを、オークション成立から一週間後に削除し、他のレコードに関しては直ちに削除する。
【０４１８】
ここで、この理由について、以下で説明する。
【０４１９】
オークション買い対象パックは、前述したように、基本的に複数の売主の電池パック中の二次電池を含んでいる。また、各売主の電池パック中の複数の二次電池は、複数のオークション買い対象パックに分散されている可能性がある。このため、あるオークション買い対象パックに関するオークション買い価格が決定したとしても、この対象パック中の二次電池の一部の売主に対する入金金額（売り価格）は定まらない。この売主に対する入金金額（売り価格）は、この売主の電池パック中のいずれかの二次電池を含む全てのオークション買い対象パックに関するオークション買い価格が決定して、初めて定められる。
【０４２０】
すなわち、売主に対する入金金額（売り価格）を定めるためには、この売主の電池パック中のいずれかの二次電池を含む全てのオークション買い対象パックに関するオークション買い価格が決定するまで、各オークション買い対象パックに関するオークション買い情報を削除してはならない。
【０４２１】
しかも、オークション買い対象パックは、前述したように、基本的に複数の売主の電池パック中の二次電池を含んでいるため、このオークション買い対象パックに関する一売主に関して、このオークション買い対象パックの買い情報の削除条件を満たしたとしても、他の売主に関して、このオークション買い対象パックの買い情報の削除条件を満たしていなければ、このオークション買い対象パックの買い情報を削除してはならない。
【０４２２】
一方、本変形例において、いずれのオークションの入札期間も、例えば、１週間であるとすると、オークションが成立したオークション買い対象パックに関係する全ての売主の電池パック中の二次電池も、このオークション買い対象パックのオークションが成立してから一週間後には、必ず、オークション結果が判明している。
【０４２３】
そこで、本変形例では、ステップ９５において、オークション買い情報テーブル１５２から、オークションが成立したオークション買い対象パックのレコードに関し、このオークションが成立してから、一週間後に削除するようにしている。
【０４２４】
再び、図４１に基づく説明に戻る。
【０４２５】
入札管理部１４５は、ステップ８３で、入札情報テーブル１２５にテーブルが存在しないと判断した場合、さらに、ステップ１１１で、最高入札価格が参考価格より高くない、又は最高入札価格が対象パックの最低落札価格以上でないと判断した場合、参考価格が対象パックの最低落札価格以上であるか否かを判断する（Ｓ１１３）。
【０４２６】
入札管理部１４５は、参考価格が対象パックの最低落札価格以上である判断すると、この対象パックを取引管理側が買い取ると判断してステップ１１４に進み、参考価格が対象パックの最低落札価格以上でない判断すると、取引管理側でもこの対象パックを買い取れないと判断して、一連の処理を終了する。
【０４２７】
入札管理部１４５は、ステップ１１４で、オークション買い情報テーブル１５２（図４３）の対象パックに関する決定買い価格領域１５２ａに、参考価格を格納する。すなわち、このオークション買い対象パックに関しては、取引管理側が参考価格で買い取ったことになる。
【０４２８】
オークション買い情報テーブル１５２の決定買い価格領域１５２ａに参考価格が格納されると、テーブル作成・変更部１４２は、ステップ９５での処理と同様、当該オークション買い対象パックに関する入札情報テーブル１２５を削除すると共に、オークション買い情報テーブル１２２からオークション買い対象パックに含まれている二次電池の製造番号を含むレコードを削除し（Ｓ１１５）、一連の処理を終了する。但し、この場合も、ステップ９５での処理と同様、オークション買い情報テーブル１２２からオークション買い対象パックに含まれている二次電池の製造番号を含む全レコード中、このオークション買い対象パックのレコードを、オークション成立から一週間後に削除し、他のレコードに関しては直ちに削除する。
【０４２９】
なお、このステップ１１５では、ステップ９５と異なり、プール電池情報テーブル１２３からオークション買い対象パックに含まれている二次電池の製造番号を含む全てのレコードは削除されない。これは、取引管理側が、オークション買い対象パックを買い取ったことにより、これをプールしておく必要があるからである。
【０４３０】
次に、図４２を用いて、オークション買い対象パックに組み込まれている二次電池を含む電池パックの売主への入金額（売り価格）決定処理について説明する。
【０４３１】
売り価格算出部１４５は、図４５に示すオークション買い情報テーブル１５２の決定買い価格領域１５２ａに価格が格納されたか否かを監視している（Ｓ１２０）。
【０４３２】
売り価格算出部１４５は、オークション買い情報テーブル１５２の決定買い価格領域１５２ａに価格が格納されたと判断すると、このオークション買い情報テーブル１５２の売主情報領域１５２ｂを参照して、オークション買い情報テーブル１５２で価格が格納されたレコードに関する売主ＩＤを把握する、つまり、オークション価格が決定した対象パックの売主ＩＤを把握する。そして、この売主ＩＤを含む全レコードに関して、決定買い価格領域１５２ａに価格が格納されているか否かを判断する（Ｓ１２１）。
【０４３３】
売り価格算出部１４５は、売主ＩＤを含む全レコードに関して、決定買い価格領域１５２ａに価格が格納されていないと判断すると、一連の処理を終了する。また、売り価格算出部１４５は、売主ＩＤを含む全レコードに関して、決定買い価格領域１５２ａに価格が格納されていると判断すると、レコード毎に、売主分の価格を求める（Ｓ１２２）。
【０４３４】
売り価格算出部１４５は、売主ＩＤを含む全レコードのうち、一つのレコードに着目して、このレコードの決定買い価格領域１５２ａに価格が格納されているオークション買い価格と、このレコードの売主情報領域１５２ｂに格納されている売主分の電池数と把握し、このオークション買い価格に、（売主分の電池数／対象パックの構成電池数）を掛けて、売主分のオークション買い価格を求める。売り価格算出部１４５は、以上の処理を、売主ＩＤを含む全レコードに関して実施する。
【０４３５】
次に、売り価格算出部１４５は、ステップ１２２で求めた、レコード毎の売主分の価格を合計して、売主の電池パックに関する買い価格を求め、この買い価格に、例えば、０．８を掛けて、この買い価格を売り価格に換算する（Ｓ１２３）。
【０４３６】
返答処理部１５５は、売主の電池パックに関する売り価格が求められると、当該売主に対して、オークション成立の旨、及び売主に対する入金額、つまり売り価格を、通信制御部１６１により送信させる（Ｓ１２４）。
【０４３７】
以上で、売主への入金額（売り価格）決定処理が終了する。
【０４３８】
なお、以上の変形例は、電池パックの買いを希望するユーザによるオークションであるが、本発明では、電池パックの売りを希望するユーザによるオークションを行ってもよい。
「プールの変形例」
上記実施形態では、一般ユーザから買い取った電池パック中の二次電池のみプール電池としているが、新品の二次電池もプール電池としてもよい。
【０４３９】
この場合、この二次電池を電池パックの再構築処理に利用可能にするため、販売元等６から、新品の二次電池に関する登録申請を受けて、この二次電池に関する情報をプール電池情報テーブル１２３に格納する。さらに、上記実施形態のステップ５２０（図２４）において、性能値を抽出する条件である、ａ）対象パックの二次電池中のＭａｘ性能値以下であること、ｂ）Ｍａｘに最も近い性能値であること、ｃ）未抽出であること、のうちから、条件ａ）を削除する。さらに、上記実施形態のステップ５２１（図２４）において、再パック条件を満たすか否かの判断条件として、抽出性能値≦（Ｍａｘ＋Ｂ）を追加する。なお、「Ｂ」は予め定められた値である。また、この追加条件は、仮に、新品の二次電池の性能値がステップ５２０で抽出された場合に、対象パックの二次電池中のＭａｘ性能値に対して、この新品の二次電池の性能値がＢ以上大きいときには、この性能値を排除するための条件である。
【０４４０】
「その他」
上記実施形態では、電池パックの売買価格を二種類の方法、つまり、電池パックに組み込まれている二次電池の各性能値の中央値及び分散値を関数に代入して求める方法、実績値に求めているが、本発明は、これに限定されるものではなく、他の方法で電池パックの売買価格を求めてもよい。
【０４４１】
例えば、需要や供給に応じて、売買価格を定めるようにしてもよい。例えば、性能値がある範囲内の二次電池が所定以上の数量プールされている場合は、当該二次電池を含む電池パックの売買価格を、この数量に応じて下げるようにしてもよい。
【０４４２】
また、上記実施形態では、プール電池を通常用とオークション用とに分けて管理しているが、プール電池を通常用とオークション用とに分けて管理しなくてもよい。
【符号の説明】
【０４４３】
１０ａ，１０ｂ：自動車、１０ｃ，１０ｄ：蓄電装置、１１ａ，１１ｂ，１１ｃ，１１ｄ：電池パック、１２：二次電池、１３：ＣＭＵ、１４：ＢＭＵ、１００：取引管理装置（取引情報提供装置）、１０１：通信装置、１０２：メモリ、１１０：記憶装置、１１１：パック管理テーブル、１１２：パック条件情報テーブル、１１３：パック状態情報テーブル、１１４：アプリ種−パック条件テーブル、１１５：価格関数テーブル、１１６：パック条件ランキングテーブル、１１７，１４７：通常売り情報テーブル、１１８，１４８：通常買い情報テーブル、１２１：オークション売り情報テーブル、１２２，１５２：オークション買い情報テーブル、１２３：プール電池情報テーブル、１２４：オークション実績テーブル、１２５：入札情報テーブル、１３０：取引管理プログラム（取引情報提供プログラム）、１４０：ＣＰＵ、１４１：取引管理部、１４２：テーブル作成・変更部、１４３：性能情報取得部、１４４：売買受付部、１４５：売り価格算出部、１４６：変化傾向算出部、１４７：将来性能予測部、１４８：将来売り価格予測部、１４９：買い価格算出部、１５１：パック再構築部、１５２：売買情報作成部、１５３：売買情報提供部、１５４：入札管理部
【図１】
0005167377.tif 000002
【図２】
0005167377.tif 000003
【図３】
0005167377.tif 000004
【図４】
0005167377.tif 000005
【図５】
0005167377.tif 000006
【図６】
0005167377.tif 000007
【図７】
0005167377.tif 000008
【図８】
0005167377.tif 000009
【図９】
0005167377.tif 000010
【図１０】
0005167377.tif 000011
【図１１】
0005167377.tif 000012
【図１２】
0005167377.tif 000013
【図１３】
0005167377.tif 000014
【図１４】
0005167377.tif 000015
【図１５】
0005167377.tif 000016
【図１６】
0005167377.tif 000017
【図１７】
0005167377.tif 000018
【図１８】
0005167377.tif 000019
【図１９】
0005167377.tif 000020
【図２０】
0005167377.tif 000021
【図２１】
0005167377.tif 000022
【図２２】
0005167377.tif 000023
【図２３】
0005167377.tif 000024
【図２４】
0005167377.tif 000025
【図２５】
0005167377.tif 000026
【図２６】
0005167377.tif 000027
【図２７】
0005167377.tif 000028
【図２８】
0005167377.tif 000029
【図２９】
0005167377.tif 000030
【図３０】
0005167377.tif 000031
【図３１】
0005167377.tif 000032
【図３２】
0005167377.tif 000033
【図３３】
0005167377.tif 000034
【図３４】
0005167377.tif 000035
【図３５】
0005167377.tif 000036
【図３６】
0005167377.tif 000037
【図３７】
0005167377.tif 000038
【図３８】
0005167377.tif 000039
【図３９】
0005167377.tif 000040
【図４０】
0005167377.tif 000041
【図４１】
0005167377.tif 000042
【図４２】
0005167377.tif 000043
【図４３】
0005167377.tif 000044